(57)【要約】【課題】焦点面において外部シーンの像と同時に重ね合わせて観察することができる表示システム、又はそれを有する観察光学機器を提供する。【解決手段】光学系の第１の焦点面に投影される画像を生成するため複数のアクティブディスプレイを備えた表示システム、又はそれを有する観察光学機器に関する。表示システムは、第１の像を生成する第１のアクティブディスプレイと第２の像を生成する第２のアクティブディスプレイを備えて、第１のアクティブディスプレイ及び第２のアクティブディスプレイが互いに垂直であり、第１の像又は第２の像が、観察光学機器の第１の焦点面において外部シーンの像と同時に重ね合わせて観察するために第１のビームコンバイナに導かれる。【選択図】図８５
2021535353.tif 000002
【特許請求の範囲】
【請求項１】
観察光学機器用の表示システムであって、
第１の像を生成するよう構成された第１のアクティブディスプレイと、第２の像を生成するよう構成された第２のアクティブディスプレイと、を備え、
前記第１のアクティブディスプレイ及び前記第２のアクティブディスプレイが互いに垂直であり、前記第１の像又は前記第２の像が、前記観察光学機器の第１の焦点面において外部シーンの像と同時に重ね合わせて観察するために第１のビームコンバイナに導かれる、
ことを特徴とする表示システム。
【請求項２】
前記第１のアクティブディスプレイと前記第２のアクティブディスプレイの間に位置付けられる第２のビームコンバイナを更に備える、請求項１に記載の表示システム。
【請求項３】
前記第１のアクティブディスプレイが、前記第２のビームコンバイナの右側又は左側に位置付けられる、請求項２に記載の表示システム。
【請求項４】
前記第２のアクティブディスプレイが、前記第２のビームコンバイナの上方又は下方に位置付けられる、請求項２に記載の表示システム。
【請求項５】
前記第２のビームコンバイナから集光するよう構成されたレンズ系を更に備える、請求項２に記載の表示システム。
【請求項６】
前記第１の像又は前記第２の像を前記第１のビームコンバイナに投影するよう構成された反射材料を更に備える、請求項１に記載の表示システム。
【請求項７】
前記第１のアクティブディスプレイによって生成された前記第１の像又は前記第２のアクティブディスプレイによって生成された前記第２の像が、テキスト、英数字、グラフィック、記号、ビデオ撮像、アイコン、アクティブな標的レチクル、距離測定値、風情報、ＧＰＳ及びコンパス情報、銃器傾斜情報、標的の発見、認識及び識別（ＩＤ）情報、外部センサ情報、温度、圧力、湿度、リアルタイム弾道解、熱画像、及び飛翔時曳光弾検出及び追跡による次のラウンドの弾道修正からなる群から選択される、請求項１に記載の表示システム。
【請求項８】
前記第１のアクティブディスプレイが、低色深度、低解像度及び高輝度を有し、前記第２のアクティブディスプレイが、高色深度、高解像度及び低輝度を有する、請求項１に記載の表示システム。
【請求項９】
観察光学機器用の表示システムであって、
第１の像を生成するよう構成された第１のアクティブディスプレイと、第２の像を生成するよう構成された第２のアクティブディスプレイと、前記第１のアクティブディスプレイ及び前記第２のアクティブディスプレイの間に位置付けられ、前記第１の像と前記第２の像を結合して結合された像を生成するよう構成されたビームコンバイナと、を備え、前記結合された像が、前記観察光学機器の第１の焦点面に投影される、
ことを特徴とする、表示システム。
【請求項１０】
前記ビームコンバイナから集光するよう構成されたレンズ系を更に備える、請求項９に記載の表示システム。
【請求項１１】
前記結合された像を前記観察光学機器の第１の焦点面に導くように構成される反射材料を更に備える、請求項９に記載の表示システム。
【請求項１２】
前記第１のアクティブディスプレイが、前記ビームコンバイナの右側又は左側に位置付けられる、請求項９に記載の表示システム。
【請求項１３】
前記第２のアクティブディスプレイが、前記ビームコンバイナの上方又は下方に位置付けられる、請求項９に記載の表示システム。
【請求項１４】
前記第１のアクティブディスプレイが、低色深度、低解像度及び高輝度を有し、前記第２のアクティブディスプレイが、高色深度、高解像度及び低輝度を有する、請求項９に記載の表示システム。
【請求項１５】
観察光学機器を用いて観察する方法であって、
第１の焦点面を有する光学系及び第１のビームコンバイナを用いて外部シーンの視野を観察するステップと、
第１のアクティブディスプレイを用いて第１の像を生成するステップと、
第２のアクティブディスプレイを用いて第２の像を生成するステップと、
第２のビームコンバイナを用いて前記第１の像と前記第２の像を結合して結合された像を生成するステップと、
前記観察光学機器の前記第１の焦点面において前記結合された像と前記外部シーンの像と同時に重ね合わせて観察するため前記結合された像を前記第１のビームコンバイナに導くステップと、
を含む、方法。
【請求項１６】
前記第１のアクティブディスプレイ及び前記第２のアクティブディスプレイが、互いに垂直である、請求項１５に記載の方法。
【請求項１７】
前記第１のアクティブディスプレイが、前記第１のビームコンバイナの右側又は左側に位置付けられる、請求項１５に記載の方法。
【請求項１８】
前記第２のアクティブディスプレイが、前記第１のビームコンバイナの上方又は下方に位置付けられる、請求項１５に記載の方法。
【請求項１９】
前記第１のアクティブディスプレイが、低色深度、低解像度及び高輝度を有し、前記第２のアクティブディスプレイが、高色深度、高解像度及び低輝度を有する、請求項１５に記載の方法。
【請求項２０】
前記アクティブディスプレイによって生成された前記第１の像又は前記第２の像が、テキスト、英数字、グラフィック、記号、ビデオ撮像、アイコン、アクティブな標的レチクル、距離測定値、風情報、ＧＰＳ及びコンパス情報、銃器傾斜情報、標的の発見、認識及び識別（ＩＤ）情報、外部センサ情報、温度、圧力、湿度、リアルタイム弾道解、熱画像、及び飛翔時曳光弾検出及び追跡による次のラウンドの弾道修正からなる群から選択される、請求項１５に記載の方法。
【発明の詳細な説明】
【技術分野】
【０００１】
（関連出願の相互参照）
本出願は、２０１８年８月０８日出願の米国特許仮出願第６２／７１６，１７６号に対する本出願であって優先権を主張するものであり、この仮出願は、引用により全体が本明細書に組み込まれる。
【０００２】
（技術分野）
本開示は、統合表示システムを備えた観察光学機器に関する。一実施形態では、この観察光学機器は、像を生成してこれを光学系の第１の焦点面に投影するアクティブディスプレイシステムを有する。更に別の実施形態では、本開示は、１又は２以上のアクティブディスプレイを有する表示システムに関する。
【背景技術】
【０００３】
ライフルスコープは、一世紀を優に超えて使用されており、これらのデバイスの品質及び機能は、長年にわたり極めて進歩しているが、これらの設計、製造及び用途において使用されるコア構成要素（及びこれらの構成要素に関する制限）は、依然として１００年前とほとんど変わっていない。ライフルスコープは、照準特徴部、すなわちレチクルと一致する焦点面上に射手から遠隔にあるシーンの拡大像又は非拡大像を生成する。レチクルは、ガラス面上にパターン状に堆積されたワイヤ又は材料から構成され、取り付けられるライフル銃の軌道に対応する照準基準として使用される。レチクルはまた、射手が距離判断を行い異なる距離での弾丸の逸れを補正するのを支援するために特定の特徴部を含めることができる。
【０００４】
また、弾丸の逸れを補償する目的で標的に対してレチクル位置を調整するために、ターレットも使用される。これは、極めて発展した信頼性の高いシステムであり、困難な長距離射撃を行うために、経験豊富で熟練の射手の手で使用することができる。レーザ側距計（ＬＲＦ）と弾道コンピュータの支援と細部にわたる細心の注意を払うことで、経験豊富な射手は、銃器に対して必要な機械的調整を行うこと及び／又はレチクルパターン上の正確なホールドを実行することによって、自分の銃器の最大有効距離で標的に常に命中させることができる。
【０００５】
このシステムは良好に機能するが、システムに改良を加える要望は常に存在する。特に、長距離の標的に命中させるのに伴う複雑さを軽減する要望がある。長距離標的に効果的に命中させるためには、射撃毎に大量の情報が必要とされ、射手はこの情報を処理して、リアルタイムで正しい判断及び計算を行うことができなければならない。ライフルスコープに加えて、正確な射撃配置を確実にするために、射手により他のツールが必要とされる。例えば、射撃を実行する前に光学機器が水平であることを確保するために、ライフルスコープの外部に取り付けられた気泡水準器が必要とされる。これには、射手が、光学機器の瞳から頭部を移動させて自分の水平度を点検することが必要である。
【０００６】
レーザ測距計と弾道コンピュータもまた、標的距離を測定して弾丸の軌道を計算するために必要とされる。この場合も同様に、射手が、外部デバイスに注意を向けて、次いで必要な調整を行う際にそのデータを覚えておくことが必要である。兵器搭載型のレーザ測距計を使用する場合、射手は、光学機器の照準点がＬＲＦの照準点と厳密に一致していることを確保するために特別な注意を払う必要がある。
【０００７】
更に、ライフルスコープの使用にとって見過ごせない点は、これらは昼光の時間帯でのみ有用なことである。夜になり始めると、熱デバイス及び／又は暗視デバイスをライフルスコープの前方で兵器に取り付ける必要がある。これらのデバイスは、その波長又は強度が低いことに起因して人間の目には可視でない別形態の放射線を捕捉する。次いで、これらのデバイスは、シーンの像を再現するか又はこれを増感させて、ライフルスコープの対物レンズにシーンを再結像させる。微小光条件に対して有効で必要とされるこれらのデバイスはまた、重くて大きい。
【０００８】
熱撮像デバイスの特定の事例では、熱シーンは、赤外線光学機器を介して特殊な熱センサに結像される。次に、その像がマイクロディスプレイ上に再現され、マイクロディスプレイが、可視光学系を有するライフルスコープの対物レンズに再結像される。これを達成するために必要とされる２つの別個の光学系は、かなり大きく、重量があり、高価なデバイスをもたらすことになる。
【先行技術文献】
【特許文献】
【０００９】
【特許文献１】米国特許仮出願第６２／７１６，１７６号明細書
【発明の概要】
【発明が解決しようとする課題】
【００１０】
技術の進歩に伴い、射手に課せられる重い処理要件を軽減するために、或るレベルのシステム統合が必要とされている。この統合はまた、従来では複数のデバイスを参照しなければならず、計算及び調整を行わなければならない場合にはかなり長い「交戦までの時間」を短縮することも必要とされる。また最後に、微小光条件でライフルスコープを効果的に使用するのに必要とされる追加のデバイスのサイズ及び重量は、より統合された解決策を用いて削減することができる。
【００１１】
従来のデバイスは、種々の方法でこれらの問題の幾つかに対処しようと試みてきたが、成功の程度は様々であった。しかしながら、従来の全ての試みでは、その解決策を光学機器の第２の焦点面において実施していた。ライフルスコープの第２の焦点面は、単一の倍率設定でシーンの像と十分に相関しているに過ぎないので、これは非常に不利である。
【００１２】
照準点の位置も同様に、ターレット調整の一箇所でのみ正確である。この深刻な制限に起因して、システムの残りにおける変数を追跡し、それに応じて照準点を調整するために、追加の電子機器が必要とされる。他のシステムは、準無限距離の選択点を有する代わりに、包括的な粗い間隔で特徴を照明することによって近似的な照準点解決策を提供する。より脆弱なシステムは、標的までの距離又は現在の気象条件などの基本的情報を表示することしかできない。
【００１３】
従って、光学系の第１の焦点面に情報を投影できる観察光学機器に対する必要性が依然としてある。本明細書で開示される装置、システム、及び方法は、革新的な方式でこれらの欠点の全てに対処する。
【課題を解決するための手段】
【００１４】
一実施形態では、本開示は、像を生成するように構成された第１のアクティブディスプレイと、第２の像を生成するように構成された第２のアクティブディスプレイと、第１のアクティブディスプレイと第２のアクティブディスプレイの間に位置付けられ、第１の像と第２の像を結合して結合された像を生成するよう構成されたビームコンバイナとを備え、ここで結合された像が観察光学機器の第１の焦点面に投影される、表示システムに関する。一実施形態では、表示システムは更に、集光器レンズ系を備える。更に別の実施形態では、表示システムは、反射材料を備える。
【００１５】
一実施形態では、第１のアクティブディスプレイは、ビームコンバイナの左側又は右側に位置付けられる。一実施形態では、第２のアクティブディスプレイは、ビームコンバイナの上方又は下方に位置付けられる。
【００１６】
一実施形態では、観察光学機器は、主チューブと、主チューブの第１の端部に結合された対物レンズ系と、主チューブの第２の端部に結合された接眼レンズ系とを含む観察光学機器が提供される。主チューブ、対物レンズ系及び接眼レンズ系は、少なくとも１つの焦点面を定めるように協働的に構成される。観察光学機器は更に、対物レンズ系と第１の焦点面の間に位置付けられるビームコンバイナを含む。観察光学機器は更に、アクティブディスプレイを備えた統合表示システムを含み、アクティブディスプレイは、デジタル像を生成してビームコンバイナに投影し、デジタル像と対物レンズ系からの標的像とを第１の焦点面において結合することができる。
【００１７】
一実施形態では、本開示は、標的から第１の焦点面に像を合焦させる（以下、「ＦＦＰ標的像」と呼ぶ）対物レンズ系と、その後に続く、ＦＦＰ標的像を反転させて第２の焦点面に合焦させる（以下、「ＳＦＰ標的像」と呼ぶ）正立レンズ系と、対物レンズ系とＦＦＰ標的像との間に配置されるビームコンバイナと、ＳＦＰ標的像を人間の目で観察できるようにコリメートする接眼レンズ系と、から構成された第１の光学系と、第２の光学系とを備える観察光学機器に関する。一実施形態では、第２の光学系は、像を生成するためのアクティブディスプレイと、アクティブディスプレイから集光するレンズ系とを有する。デジタルディスプレイからの像は、デジタル像と対物レンズ系からの標的像とが第１の焦点面において結合されて同時に観察できるように、ビームコンバイナに導かれる。
【００１８】
一実施形態では、本開示は、外部シーンを観察するための光学系を備えた主本体と、デジタル像を生成し、その生成された像を導いて主本体の第１の焦点面において生成された像と外部シーンの像とを同時に重ね合わせて観察するようにするための統合表示システムを備えて、主本体に結合されたベースと、を有する観察光学機器に関する。一実施形態では、ベースは主本体から分離可能である。一実施形態では、ベースは主本体の底部に結合する。更に別の実施形態では、ベースは、統合表示システムを収容するキャビティを有する。別の実施形態では、キャビティはまた、１又は２以上の電源のための区画を有することができる。
【００１９】
一実施形態では、本開示は、外部シーンの像を観察するための直接観察光学機器を備えた本体と、統合表示システムを備えたベースとを有する観察光学機器に関し、統合表示システムは、アクティブディスプレイを用いて像を生成し、この像を導いて生成された像と外部シーンの像とを同時に重ね合わせて観察するようにする。
【００２０】
一実施形態では、本開示は、標的から第１の焦点面に像を合焦させる（以下、「ＦＦＰ標的像」と呼ぶ）対物レンズ系と、対物レンズ系とＦＦＰ標的像との間に配置されるビームコンバイナと、その後に続く、ＦＦＰ標的像を反転させて第２の焦点面に合焦させる（以下、「ＳＦＰ標的像」と呼ぶ）正立レンズ系と、最後に、ＳＦＰ標的像を人間の目で観察できるようにコリメートする接眼レンズ系と、から構成された主光学系を有する本体と、像を生成し、その生成された像を導いて本体の第１の焦点面において生成された像と外部シーンの像とを同時に重ね合わせて観察するようにするための統合表示システムを備えた、キャビティを有して本体の底部に結合されたベースと、を備える観察光学機器に関する。
【００２１】
別の実施形態では、本開示は、外部シーンを観察するための光学系を備えた本体と、像を生成するためのアクティブディスプレイを備えたベースと、を有する観察光学機器に関し、生成された像は、光学系の第１の焦点面において外部シーンの像に結合される。
【００２２】
別の実施形態では、本開示は、外部シーンを観察するための光学系を備えた主本体と、像を生成するためのアクティブディスプレイを有するキャビティを備えて、主本体の底部に結合されたベースと、を有する観察光学機器に関し、生成された像は、光学系の第１の焦点面において外部シーンの像に結合される。
【００２３】
一実施形態では、本開示は、外部像を観察するための第１の光学系を備えた本体と、ハウジング内に取り付けられたデジタルディスプレイから構成される第２の光学系と、を有する観察光学機器に関し、ハウジングは第１の光学系と平行であり、第２の光学系の像は、観察光学機器の第１の焦点面において第１の光学系の像に結合される。一実施形態では、第２の光学系はアクティブディスプレイを備える。更に別の実施形態では、第２の光学系は、アクティブディスプレイから集光するレンズ系を備える。
【００２４】
一実施形態では、本開示は、外部像を観察するための第１の光学系を備えた主本体と、像を生成するための統合表示システムを備えて、主本体に結合されたハウジングと、を有する観察光学機器に関し、統合表示システムの像は、光学機器の第１の焦点面において第１の光学系の像に結合される。
【００２５】
一実施形態では、統合表示システムは、アクティブディスプレイと、集光器光学機器と、限定ではないがミラーを含む反射面又は反射材料と、を備える。一実施形態では、アクティブディスプレイは、アクティブな標的レチクル、修正照準点、距離測定値及び風情報を含めて、限定ではないが、テキスト、英数字、グラフィック、記号、及び／又はビデオ撮像、アイコンなどを含む像を生成することができる。
【００２６】
一実施形態では、本開示は、（ｉ）外部シーンからの標的像を第１の焦点面に合焦させる対物レンズ系と、標的像を反転させる正立レンズ系と、第２の焦点面と、標的像を観察するための接眼レンズ系と、を有する第１の光学系と、（ｉｉ）ビームコンバイナと、（ｉｉｉ）像を生成するためのアクティブディスプレイと、生成された像をアクティブディスプレイからビームコンバイナに導く反射材料と、を有する第２の光学系と、を有する本体と、（ａ）アクティブディスプレイを反射材料に対して移動すること、（ｂ）反射材料をアクティブディスプレイに対して移動すること、（ｃ）反射材料をビームコンバイナに対して移動すること、（ｄ）ビームコンバイナを反射材料に対して移動すること、並びに（ｅ）正立レンズ系をビームコンバイナに対して移動することの内の１又は２以上を実行するための１又は２以上の調整機構と、を備える、観察光学機器に関し、アクティブディスプレイからの像と対物レンズ系からの標的像とが、第１の焦点面に結合されて同時に観察される。
【００２７】
一実施形態では、本開示は、（ａ）主チューブと、（ｂ）主チューブの第１の端部に結合された、外部シーンからの標的像を合焦させる対物レンズ系と、（ｃ）主チューブの第２の端部に結合された接眼レンズ系あって、主チューブ、対物レンズ系及び接眼レンズ系が、少なくとも第１の焦点面を定めるように構成される、接眼レンズ系と、（ｄ）対物レンズ組立体と第１の焦点面の間に位置決めされたビームコンバイナと、（ｅ）像を生成するためのアクティブディスプレイと、この像をアクティブディスプレイからビームコンバイナに導く反射材料であって、アクティブディスプレイからの像と対物レンズ系からの標的像とが第１の焦点面に結合されて同時に観察される、反射材料と、（ｆ）（ｉ）アクティブディスプレイを反射材料に対して移動すること、又は（ｉｉ）反射材料をアクティブディスプレイに対して移動することの内の１又は２以上を実行するための調整機構と、を備える観察光学機器に関する。
【００２８】
一実施形態では、本開示は、第１の焦点面を定めるように構成された光学系と、像を生成するためのアクティブディスプレイ、及びこの像を第１の焦点面に導くための反射材料と、（ａ）アクティブディスプレイを反射材料に対して移動すること、（ｂ）反射材料をアクティブディスプレイに対して移動すること、の内の１又は２以上を実行するための１又は２以上の調整機構と、を備える観察光学機器に関する。
【００２９】
一実施形態では、統合表示システムは、アクティブディスプレイから集光するために集光器光学機器又はレンズ系を有する。ディスプレイからの光は、限定ではないがミラーを含む反射面又は反射材料に導かれ、及び反射面から観察光学機器の主チューブ組立体内のビームコンバイナに導かれ、光学系の第１の焦点面と一致するディスプレイの像が形成される。このディスプレイの像は、シーン（標的）から生じる像と結合され、従来のワイヤレチクル又はガラスエッチングレチクルの「下方」にあるように知覚される。
【００３０】
一実施形態では、本開示は、観察光学機器の主本体に結合されたハウジングに関し、ハウジングは、主本体の第１の焦点面に導入することができる像を生成するためにディスプレイを収容し、第１の焦点面上のディスプレイ像が正立チューブの移動に結びつけられないようになる。
【００３１】
一実施形態では、本開示は、外部シーンを観察するための光学系を備えた主本体と、主本体の底部に結合されたベースとを備える観察光学機器に関し、ベースは、像を生成するためのアクティブディスプレイであって、生成された像が光学系の第１の焦点面において外部シーンの像に結合される、アクティブディスプレイと、ユーザの存在を検出するためのセンサと、センサと通信して観察光学機器の電力状態を制御することができるプロセッサと、を有する。
【００３２】
一実施形態では、本開示は、外部シーンからの標的像を、第１レチクルを有する第１の焦点面に合焦させる対物レンズ系と、本体内に取り付けられた変倍レンズ要素と、外部シーンからの標的像の光学倍率を調整するために本体内に取り付けられた倍率調整機構と、光学倍率の調整を示す信号を生成するために倍率調整機構と動作可能に関連付けられたセンサと、を有する主本体と、マークのセットを生成しマークのセットを第１レチクル上に重ね合わせる又は重畳するための統合表示システムと、センサと通信し、センサによって生成された信号に応答して、第１レチクル上に重ね合わされるマークの第１セットの少なくとも一部のサイズを調整するように動作可能な電子コントローラと、を有する、主本体の底部に結合されたベースと、を備える観察光学機器に関する。
【００３３】
一実施形態では、本開示は、外部シーンからの標的像を、第１レチクルを有する第１の焦点面に合焦させる対物レンズ系と、本体内に取り付けられた変倍レンズ要素と、外部シーンからの標的像の光学倍率を調整するために本体内に取り付けられた倍率調整機構と、光学倍率の調整を示す信号を生成するために倍率調整機構と動作可能に関連付けられたセンサと、を有する主本体と、マークのセットを生成し第１の焦点面においてマークのセットを第１レチクル上に重ね合わせる又は重畳するための統合表示システムと、センサと通信し、センサによって生成された信号に応答して、第１レチクル上に重ね合わされるマークの第１セットの少なくとも一部のサイズを調整するように動作可能な電子コントローラと、を備える観察光学機器に関する。
【００３４】
一実施形態では、本開示は、第１の端部及び第２の端部を備えて、中心軸を有する主本体と、本体内に配置された対物レンズ系と、本体内に配置された接眼レンズと、主本体内に配置され、正立レンズ系を有する正立チューブであって、対物レンズ系、接眼レンズ、及び正立レンズ系が第１レチクルを備えた第１の焦点面を有する光学系を形成する正立チューブと、外部シーンからの標的像の光学倍率を調整するために本体内に取り付けられた倍率調整機構と、倍率調整機構と動作可能に関連付けられ、光学吸収率／反射率の異なる少なくとも２つの区域を備えた材料を有するカムスリーブであって、各区域が光学倍率に関連付けられたカムスリーブと、マークの第１セットを生成し、そのマークのセットを第１レチクル上に重ね合わせる又は重畳するための統合表示システムと、材料からの反射光を検出して信号を生成するためのフォトセンサと、フォトセンサと通信し、センサによって生成された信号に応答して、第１レチクルの上に重ね合わされるマークの第１セットの少なくとも一部のサイズを調整するように動作可能な電子コントローラと、を有する、主本体の底部に結合されたベースと、を備える観察光学機器に関する。
【００３５】
一実施形態では、本開示は、標的からの像を、第１レチクルを有する第１の焦点面に合焦させる対物レンズ系と、対物レンズ系と第１の焦点面の間に配置されたビームコンバイナと、標的までの距離を決定するためのレーザ測距計と、を有する主本体と、
マークのセットを生成してそのマークのセットを第１レチクル上に重ね合わせる又は重畳するための統合ディスプレイシステムと、レーザ測距計と通信し、レーザ測距計によって測距された距離に応じて、統合表示システムのアクティブディスプレイ上に配置されるマークの第１セットを生成し、測距された距離に応じたホールドオーバ・マークに対応させるように動作可能な電子コントローラと、を有する、主本体の底部に結合されたベースと、を備えた観察光学機器に関する。
【００３６】
一実施形態では、本開示は、標的からの像を、第１レチクルを有する第１の焦点面に合焦させる対物レンズ系と、対物レンズ系と第１の焦点面の間に配置されたビームコンバイナと、標的までの距離を決定するためのレーザ測距計と、少なくとも第１測距距離及び第２測距距離を保存するためのメモリデバイスと、有する主本体と、
マークのセットを生成してそのマークのセットを第１レチクル上に重ね合わせる又は重畳するための統合ディスプレイシステムと、レーザ測距計及び／又はメモリデバイスと通信し、第１測距距離に応じて統合表示システムのアクティブディスプレイ上にマークの第１セットを形成するように、並びに第２測距距離に応じてマークの第１セットを削除し、マークの第１セットと異なるマークの第２セットを形成するようにアクティブディスプレイ上にマークの第２セットを生成するように構成された電子コントローラとを有する、主本体の底部に結合されたベースとを備えた観察光学機器に関する。
【００３７】
一実施形態では、アクティブディスプレイは、観察光学機器の光軸と実質的に平行な方向に光を放出するように構成される。
【００３８】
一実施形態では、アクティブディスプレイは、観察光学機器の光軸と実質的に垂直な方向に光を放出するように構成される。
【００３９】
一実施形態では、ミラーは、ディスプレイの放出光に対して約４５°の角度に向けられる。
【００４０】
一実施形態では、ディスプレイとミラーは、観察光学機器の主本体の共通する側に位置付けられる。
【００４１】
一実施形態では、ディスプレイとミラーは、観察光学機器の主本体の対向する側に位置付けられる。
【００４２】
一実施形態では、ディスプレイとミラーは、観察光学機器の主本体に結合されたベースの共通する側に位置付けられる。
【００４３】
一実施形態では、ディスプレイとミラーは、観察光学機器の主本体に結合されたベースの対向する側に位置付けられる。
【００４４】
一実施形態では、ミラーは、観察光学機器の主本体に結合されたベースの対物レンズ側に位置付けられる。
【００４５】
一実施形態では、アクティブディスプレイは、観察光学機器の主本体に結合されたベースの接眼レンズ側に位置付けられる。
【００４６】
一実施形態では、本明細書で開示される方法及び装置により、エンドユーザは、昼間光学シーンからデジタルオーバレイを容易に識別することができる。
【００４７】
一実施形態では、本開示は、観察光学機器を覗く時にユーザに視認されるアナログレチクルとデジタルレチクルの両方を有する観察光学機器に関する。
【００４８】
一実施形態では、観察光学機器は、銃器と連動して使用される。一実施形態では、観察光学機器はライフルスコープである。一実施形態では、ライフルスコープは、弾道計算機能を備えた外付けレーザ測距計と共に使用することができる。一実施形態では、ライフルスコープは、銃器に剛体的に取り付けられ、レーザ側距計は、銃器又はライフルスコープの何れかに取り付けられる。
【００４９】
一実施形態では、本開示は、外部シーンを観察するための第１の光学観察系を備えた主本体と、像を生成するためのアクティブディスプレイを有するベースであって、ベースが主本体の底部に結合され、更に、生成された像と外部シーンの像とが光学系の第１の焦点面において結合されるベースと、を有するライフルスコープと、標的までの距離を測定するレーザ測距計と、その標的に命中させるために弾道を計算するための構成要素と、を備えた照準システムに関する。一実施形態では、統合表示システムは、計算された情報と、ライフル弾丸の着弾点と対応する正しい照準点とをデジタル表示することができ、デジタル表示された照準点と外部シーンは、ライフルスコープの第１の焦点面に重ね合わされて表示される。
【００５０】
一実施形態では、本開示は、外部シーンを観察するための第１の光学観察系を備えた主本体と、像を生成するためのアクティブディスプレイを有するベースであって、ベースが主本体の底部に結合され、更に、生成された像と外部シーンの像とが光学系の第１の焦点面において結合されるベースと、標的までの距離を測定するレーザ測距計と、ライフルスコープの主本体に位置付けられた、その標的に命中させるために弾道を計算する構成要素と、を備えた照準システムに関する。
【００５１】
一実施形態では、本開示は、視差調整レンズ（フォーカスセル）の遠隔配置を可能にするために、観察光学機器の主本体内に視差調整システムを有する観察光学機器に関し、これにより、必要なプリズムレンズ（ビームコンバイナ）を第１の焦点面の前方に統合するためのスペースが提供される。
【００５２】
一実施形態では、本開示は、第１の焦点面レチクル上に投影されたデジタル像を拡大縮小するために内部倍率追跡デバイスを備えたライフルスコープに関する。
【００５３】
別の実施形態では、本開示は、倍率の変化により第１の焦点面上に投影されたデジタル像を拡大縮小するための倍率追跡デバイスに関する。
【００５４】
一実施形態では、本開示は、最大限の垂直補正のためにアクティブレチクル・ライフル光学機器内でディスプレイを配向する方法及び装置に関する。
【００５５】
別の実施形態では、本明細書で開示される方法及び装置は、拡大像の放出を担うデバイスを具体的に配向することによって、ライフルスコープ内のアクティブレチクルの垂直調整に関する最大範囲を可能にする。
【００５６】
別の実施形態では、本開示は、マイクロディスプレイの垂直軸と観察光学機器の光学系におけるレチクルの垂直軸の傾きを整合する方法に関し、これは、小型で、簡単且つ正確である。
【００５７】
一実施形態では、本明細書で開示される方法及び装置は、処理されたデジタル像を昼間可視光学機器にシームレスに結合することを可能にする。
【００５８】
一実施形態では、本開示は、軸方向に向けられたデータポート又は通信ポートを利用して、これにより物理的なトップダウン・プロファイルを最小限に維持する、第１の焦点面（ＦＦＰ）に統合されたアクティブディスプレイに関する。
【００５９】
本明細書で開示される装置及び方法の利点は、標的シーンの直接的観察を維持しながら、多数の高度なターゲティング機能を利用できることである。
【００６０】
本明細書で開示される装置及び方法の利点は、統合表示システムから生成された像が、第１の焦点面の前方で標的からの外部像と結合されて、次いで第１の焦点面上に合焦され、このため、標的像と統合表示システムから生成された像とが互いに対して移動しないことである。
【００６１】
本明細書で開示される装置及び方法の利点は、アクティブディスプレイから生成された像を光学系の第１の焦点面に導入することにより、生成された像が正立系のターレット調整又は位置のいかなる変化にも影響されないようにすることができる。
【００６２】
本明細書で開示される装置及び方法の利点は、アクティブディスプレイの生成された像を第１の焦点面上に重畳することにより、電子機器が故障した又は電源を使い果たした場合に、ユーザが、照準目的で従来のガラスエッチング式レチクルを使用できることである。これは、本明細書で開示される装置及び方法が提供する重要なフェイルセーフである。
【００６３】
本明細書で開示される装置及び方法の利点は、統合表示システムから生成された像を第１の焦点面上に表示することにより、ライフルスコープの現在の倍率設定又は他の調整に関係なく、電子的照準点の位置が標的に対して正確なままであることである。
【００６４】
本明細書に記載する一実施形態の特徴、構成要素、ステップ又は態様は、制限なしに他の実施形態の特徴、構成要素、ステップ又は態様と組み合わせることができる。
【図面の簡単な説明】
【００６５】
【図１Ａ】ライフルスコープの部品を示す概略図である。
【図１Ｂ】本開示の一実施形態による観察光学機器の追加の部品及び構成要素を示す概略図である。
【図１Ｃ】本開示の一実施形態による光学機器本体内部の可動光学要素を示す、図１Ｂの観察光学機器の断面図である。
【図１Ｄ】本開示の一実施形態による視差調整ノブを示す、観察光学機器の概略図である。
【図１Ｅ】本開示の一実施形態による観察光学機器の光学要素における正立系の概略図である。
【図２】本開示の一実施形態による、主本体と主本体に結合されたベースとを有するライフルスコープの側面図である。
【図３】本開示の一実施形態による、対物レンズ組立体と第１の焦点面の間にビームコンバイナが設置された主本体を備える観察光学機器の断面図である。
【図４】本開示の一実施形態による、長手方向に分割された観察光学機器の主本体を表する代表的な概略図である。
【図５Ａ】視差ノブのカム溝内に置かれるカムピンを備えた従来の視差調整ノブの代表的な概略図である。
【図５Ｂ】フォーカスセルの態様を視差ノブに接続するカムピンを示す、従来の視差調整ノブの代表的な概略図である。
【図５Ｃ】視差調整に使用できる接続ロッドが示され、本開示の一実施形態に従ってビームコンバイナ（プリズムレンズ）のスペースが第１の焦点面の前方に配置することを可能にするようにフォーカスセル（視差レンズ）が移動している、視差調整システムの代表的な概略図である。
【図５Ｄ】本開示の一実施形態による視差調整ノブ組立体のカム溝内に置かれるカムピンを有する接続ロッドの一端部を示す、視差調整システムの代表的な概略図である。
【図５Ｅ】本開示の一実施形態による、ロッドの一端部がフォーカスセルに接続され、他端がカムピンに接続された接続ロッドを有する視差調整システムの代表的な概略図である。
【図５Ｆ】本開示の一実施形態による、一端部がフォーカスセルに接続され、他端が、視差調整ノブ上のカム溝内に置かれるカムピンに接続された、接続ロッドを有する視差調整システムの代表的な概略図である。
【図６】本開示の一実施形態によるポテンショメータワイパを備えた外側正立スリーブを示す代表的な概略図である。
【図７】本開示の一実施形態によるライフルスコープの主本体上へのメンブレンポテンショメータの配置を示す代表的な概略図である。
【図８】本開示の一実施形態による、ライフルスコープの主本体上に設置されたポテンショメータワイパとメンブレンポテンショメータとを有する外側正立スリーブを示す代表的な概略図である。
【図９】本開示の一実施形態による観察光学機器の様々な構成要素のブロック図である。
【図１０】本開示の一実施形態による、主本体とベースとを有するライフルスコープの上面図である。
【図１１】本開示の一実施形態による、主本体とベースとを有するライフルスコープの一部分の側面図である。
【図１２】本開示の一実施形態による、ガラスエッチング式レチクルを備えた主本体と、統合表示システムを備えたベースとを有するライフルスコープの概略切り欠き側面図である。
【図１３】本開示の一実施形態による統合表示システムの切り欠き側面図を示す代表的な概略図である。
【図１４】本開示の一実施形態による、観察光学機器の主本体と、統合表示システムを備え、主本体の少なくとも一部分に結合されたベースの概略切り欠き側面図である。
【図１５】本開示の一実施形態による、観察光学機器の主本体の光学系の第１の焦点面上にデジタル表示を結像させるための統合表示システムの代表的な図である。
【図１６】本開示の一実施形態による、観察光学機器の主本体と、観察光学機器の主本体の接眼レンズ組立体と比べて対物レンズ組立体に最も近いベースの一部分にアクティブディスプレイが位置付けられる統合表示システムを備えたベースとの概略図である。
【図１７】本開示の一実施形態による、観察光学機器の主本体と、観察光学機器の主本体の対物レンズ組立体と比べて接眼レンズ組立体に最も近いベースの一部分にアクティブディスプレイが位置付けられる統合表示システムを備えたベースとの概略図である。
【図１８】本開示の一実施形態によるマイクロディスプレイのアスペクト比を示す代表的な概略図である。
【図１９】本開示の一実施形態による５３０ｎｍ〜５７０ｎｍデジタルディスプレイを備えた統合表示システムを示す図である。
【図２０】本開示の一実施形態による５３０ｎｍ〜５７０ｎｍデジタルディスプレイで表示できる例示的な像の概略図である。
【図２１】本開示の一実施形態によるＡＭＯＬＥＤデジタルディスプレイを備えた統合表示システムを示す図である。
【図２２】本開示の一実施形態によるＡＭＯＬＥＤデジタルディスプレイで表示できる例示的な像の概略図である。
【図２３】本開示の一実施形態による、アクティブディスプレイと、内側レンズセル及び外側レンズセルを有する光学系とを示す、切り欠き代表的な概略側面図である。
【図２４】本開示の一実施形態による、観察光学機器に設置された集光器光学系を有する統合表示システムの切り欠き側面図である。
【図２５】本開示の一実施形態による、アクティブディスプレイと、内側セル及び外側セルを有する集光器光学系と、ミラーと、アクティブディスプレイの傾きを調整するためのねじと、を有する統合表示システムの代表的な概略上面図である。
【図２６】本開示の一実施形態による、アクティブディスプレイと、内側セル及び外部セルを有する集光器光学系と、ミラーと、アクティブディスプレイの傾きを調整するためのねじと、を有する統合表示システムの後方切り欠き図の代表的な概略図である。
【図２７】本開示の一実施形態による、マイクロディスプレイと、内側及び外側レンズセルと、内側セルと外側セルの間に位置付けられるバネと、を示す代表的な切り欠き側面図である。
【図２８Ａ】本開示の一実施形態による、内側レンズセルの位置を調整し、視差誤差を除去するために使用することができる表面を示す、統合ディスプレイシステムの代表的な図である。
【図２８Ｂ】本開示の一実施形態におけるレンズ系を示す、統合表示システムの代表的な図である。
【図２９】図２９は、本開示の一実施形態による観察光学機器内に設置された、マイクロディスプレイと、光学系と、傾斜調整機能を備えたミラーとを有する統合表示システムの代表的な切り欠き側面図である。
【図３０】本開示の一実施形態による、ライフルスコープの主本体に結合可能なベース内におけるバッテリ区画の代表的な概略左側面図である。
【図３１】本開示の一実施形態による、ライフルスコープの主本体に結合可能なベース内における一体型バッテリ区画の代表的な概略右側面図である。
【図３２】本開示の一実施形態による、ライフルスコープの主本体に結合可能なベース内における一体型バッテリ区画の代表的な概略上面図である。
【図３３】本開示の一実施形態による、ピカティニーマウントに結合するために使用できるバッテリ区画を備えたベースの代表的な概略側面図である。
【図３４】本開示の一実施形態による、ベースのバッテリ区画に結合された片持ち式ピカティニーマウントの代表的な概略正面図である。
【図３５】本開示の一実施形態による、ベースのバッテリ区画に結合された片持ち式ピカティニーマウントの代表的な概略上面図である。
【図３６】本開示の一実施形態による、主本体と、軸方向に向けられたデータ／通信接続部を有するベースとを備えたライフルスコープの代表的な概略側面輪郭図である。
【図３７】本開示の一実施形態による、主本体と、熱撮像ユニットと通信するために１又は２以上の接続インタフェースを有するベースとを備えたライフルスコープの代表的な概略図である。
【図３８】本開示の一実施形態による、レーザ測距計を備えたライフルスコープの一実施形態の背面左側面図である。
【図３９】本開示の一実施形態による、レーザ測距計を備えたライフルスコープの一実施形態の背面右側面図である。
【図４０】本開示の一実施形態による、レーザ測距計を備えたライフルスコープの一実施形態の背面右側面図である。
【図４１】本開示の一実施形態による、レーザ測距計を備えたライフルスコープの一実施形態の正面左側面図である
【図４２】本開示の一実施形態による、レーザ測距計を備えたライフルスコープの一実施形態の正面右側面図である。
【図４３】本開示の一実施形態による、レーザ測距計を備えたライフルスコープの一実施形態の左側面図である。
【図４４】本開示の一実施形態による、レーザ測距計を備えたライフルスコープの一実施形態の右側面図である。
【図４５】本開示の一実施形態による、ライフルスコープの一実施形態の右側面図である。
【図４６】本開示の一実施形態による、ライフルスコープの一実施形態の上部側面図である。
【図４７】本開示の一実施形態による、レーザ測距計を備えたライフルスコープの一実施形態の右側面図である。
【図４８】本開示の一実施形態による、レーザ測距計を備えたライフルスコープの一実施形態の上部側面図である。
【図４９】本開示の一実施形態による、デジタル表示が導波管に結合されて所定の焦点面に光を合焦させる第２ホログラムから送出されるホログラフィック導波管構成の代表的な概略図である。
【図５０】本開示の一実施形態による、観察光学機器の代替構成の代表的な概略図である。
【図５１】本開示の一実施形態による、観察光学機器の代替構成の代表的な概略図である。
【図５２】本開示の一実施形態による、観察光学機器の代替構成の代表的な概略図である。
【図５３】パッシブ（固定式又はエッチング式）レチクル特徴部と、アクティブディスプレイからのマーク又は特徴部との両方を示す、１倍のレチクルの代表的な図である。
【図５４】パッシブ（固定式又はエッチング式）レチクルの特徴部と、アクティブディスプレイからのマーク又は特徴部との両方を示す、８倍のレチクルの代表的な図である。
【図５５】パッシブ（固定式又はエッチング式）レチクルの特徴部と、距離測定値及びウィンドホールドオーバ・マークを含むアクティブディスプレイからのマーク又は特徴部との両方を示す、８倍のレチクルの代表的な図である。
【図５６】パッシブ（固定式又はエッチング式）レチクルの特徴部と、距離測定値及びウィンドホールドオーバ・マークを含むアクティブディスプレイからのマーク又は特徴部との両方を示す、８倍でのレチクルの代表的な図である。
【図５７】標準的なエッチング及び充填部分と共に、デジタルディスプレイから生成された画像を備えたレチクルの代表的な図である。
【図５８】距離マーカを備えたＢＤＣレチクルの代表的な図である。
【図５９】射撃に対するカントの影響を描写する代表的な概略図である。
【図６０】カントを補正することができるデジタルディスプレイ又はアクティブディスプレイの代表的な概略図である。
【図６１】５００ヤードに対するリアルタイムの落下位置及びウィンドホールドを表示する、５００ヤードに測距された標的を有するレチクルの代表的な図である。
【図６２】１０００ヤードに対するリアルタイムの落下位置及びウィンドホールドを表示する、１０００ヤードに測距された標的を有するレチクルの代表的な図である。
【図６３】水平方向クロスヘアの下方により小数のドット列を備えた、低倍率におけるレチクルの代表的な広角図である。
【図６４】より小さな中心グリッドを備えた、より高い倍率におけるレチクルの中央部分の代表的な図である。
【図６５】１−８ｘアクティブレチクル・ライフルスコープの代表的な側面図である（像の右側には倍率調整リングが見える）。
【図６６】スコープの本体が隠されて外側カムスリーブを露わにした１−８ｘアクティブレチクル・ライフルスコープの代表的な側面図である（外側カムスリーブは倍率調整リングと共に回転し、これにより倍率設定が変更される）。
【図６７】外側カムスリーブに取り付けられた反射性傾斜材料の位置を測定するのに使用されるフォトセンサ及びＬＥＤを含むプリント回路基板を備えた観察光学機器のベースの代表的な側面図である（外側カムスリーブ及び関連する光学系は、この画像では隠されている）。
【図６８】フォトセンサに対する受光角を説明するために模擬視円錐を描いた、フォトセンサ及びＬＥＤの代表的な分解図である。
【図６９】観察光学機器の倍率設定値を測定するために外側カムスリーブに取り付けられた反射性傾斜ストリップと連動するフォトセンサ及びＬＥＤの代表的な画像である（この図は、光学倍率設定値と各々が関連付けられた異なる反射率の４つの特定区分を有する傾斜ストリップを示すが、このストリップは、その反射率が無限に変化し得る点に留意されたい。）
【図７０】観察光学機器の倍率設定値を測定するために外側カムスリーブに取り付けられた反射性傾斜ストリップと連動するフォトセンサ及びＬＥＤの代表的な画像である（この図は、光学倍率設定値と各々が関連付けられた異なる反射率の４つの特定区分を有する傾斜ストリップを示すが、このストリップは、その反射率が無限に変化し得る点に留意されたい）。
【図７１】主本体内にビームコンバイナを備え、ビームコンバイナに結合されたフォトセンサ及び光フィルタを有する観察光学機器の代表的な概略図である。
【図７２】観察光学機器の主本体に結合されたベース内にミル加工された窓、近接センサ、及びキャリアを示す（全て接眼レンズの下方に位置付けられる）、観察光学機器の後部の代表的な図である。
【図７３】省電力システムを有するベースを備え、ライフルに取り付けられた状態の観察光学機器の代表的な図である。
【図７４】省電力システムを有するベースを備え、ライフルに取り付けられた状態の観察光学機器の代表的な図である。
【図７５】電源ピンが観察光学機器の主本体に結合されたベースを貫いて突出している、観察光学機器の代表的な概略図である。
【図７６】電源ピンが観察光学機器の主本体に結合されたベースを貫いて突出している、観察光学機器の代表的な概略図である。
【図７７】観察光学機器のベースを貫いて突出している電源ピンを示す、ベースの代表的な側面プロファイルである。
【図７８】ＰＣＢに取り付けられた電源ピンを示すために観察光学機器のベースを透明にした、側面プロファイルの代表的な図である。
【図７９】観察光学機器と通信するための遠隔キーパッド上部の代表的な図である。
【図８０】内蔵リコイルラグを貫いて突出する電源ピンを示す、遠隔キーパッドの代表的な側面輪郭図である。
【図８１】内蔵リコイルラグを貫いて突出する２つの電源ピンを示す、代表的な底面図である。
【図８２】遠隔キーパッド本体内部のＰＣＢを示すために透明にしたカバーを有する代表的な底面図である。
【図８３】本明細書に開示される観察光学機器と通信するために３つのボタンを備えたキーパッドの代表的な図である。
【図８４】観察光学機器と通信するための遠隔キーパッドの機能を変更するために機械式スイッチを備えた観察光学機器の代表的な図である。
【図８５】第１のアクティブディスプレイ及び第２のアクティブディスプレイを有する観察光学機器のための表示システムの代表的な図である。
【図８６】高ビット深度及び高解像度を有するアクティブディスプレイからの像の代表的な図である。
【図８７】低ビット深度及び低解像度を有するアクティブディスプレイからの像の代表的な図である。
【図８８】光検出器、ＬＥＤ及びマイクロプロセッサ機能を有するプリント回路基板の代表的な図である。
【図８９】ターレットの位置を測定するため外側ターレットスリーブに取り付けられた反射性傾斜ストリップを備えたターレットの代表的な図である（この図は、異なる反射率の４つの特定区分を有する傾斜ストリップを示すが、このストリップは、その反射率が無限に変化し得る点に留意されたい）。
【図９０】ニアゼロ及びファーゼロの原理の概略図である。
【発明を実施するための形態】
【００６６】
ここで、本開示の実施形態を示す添付図面を参照しながら、本明細書で開示する装置及び方法について、以下でより十分に説明する。しかしながら、本明細書で開示する装置及び方法は、多くの異なる形態で具体化することができ、本明細書で記載される実施形態に限定されるものと解釈すべきではない。むしろ、これらの実施形態は、本開示が徹底的且つ完全なものとなり、また当業者に本発明の範囲を十分に伝えるように提供されるものがある。
【００６７】
特徴及び／又は機能のセットは、独立型の兵器照準器、フロントマウント又はリアマウントのクリップ式兵器照準器、及び現場で配備された光学兵器照準器の他の置き換えの関連において容易に適合させることができることは、当業者には理解されよう。更に、あらゆる種類の既存の固定式又は可変式の兵器照準器を後付けするために、特徴及び機能の様々な組み合わせをアドオンモジュールに組み込むことができることは、当業者には理解されるであろう。
【００６８】
１つの要素又は層が別の要素又は層「の上にある」、「に接続される」又は「に結合される」と言及される場合、この１つの要素又は層が他方の要素又は層の直接上にある、或いは直接接続又は結合できることは理解されるであろう。或いは、介在する要素又は層が存在してもよい。対照的に、１つの要素が別の要素又は層の「直接上にある」、「直接接続される」又は「直接結合される」と言及される場合、介在する要素又は層は存在しない。
【００６９】
全体を通して同じ符号は同じ要素を指す。本明細書で使用する場合、用語「及び／又は」は、関連して列挙された項目の内の１又は２以上の項目の何れか及び全ての組み合わせを含む。
【００７０】
本明細書において、様々な要素、構成部品、領域、及び／又はセクションを記述するために、第１、第２などの用語を用いる場合があるが、これらの要素、構成部品、領域、及び／又はセクションはこれらの用語によって限定されるものではない点は理解されるであろう。これらの用語は、１つの要素、構成部品、領域、又はセクションを別の要素、構成部品、領域、又はセクションと区別するためにのみ使用される。従って、以下で論じる第１の要素、構成部品、領域、又はセクションは、本開示から逸脱することなく、第２の要素、構成部品、領域、又はセクションと称することができる。
【００７１】
本明細書では、図に示すような別の要素（複数可）又は特徴（複数可）との１つの要素又は特徴の関係を説明するために、説明を容易にするために「の下に」、「の下方に」、「下部の」、「の上方に」、「上部の」などの空間的に相対的な用語を用いる場合がある。空間的に相対的な用語は、図に描かれた向きに加えて、使用中又は操作中のデバイスの様々な配向を包含するように意図されていることは理解されるであろう。例えば、図中のデバイスを反転させた場合には、他の要素又は特徴の「下方に」又は「下に」あると記載される要素は、他の要素又は特徴の「上方」を向くことになる。従って、例示的な用語「下方に」は、上方と下方の両方の向きを包含することができる。デバイスは、他の向き（９０°回転又は他の向き）にすることができ、本明細書で使用する空間的に相対的な記述子は、相応に解釈することができる。
【００７２】
Ｉ．  定義
本開示における数値範囲は近似的なものであり、従って、別途指示のない限り、範囲外の値を含んでもよい。数値範囲は、何れかの下限値と何れかの上限値との間に少なくとも２つの単位の離隔があることを条件として、１単位の増分で、下限値と上限値を含めて下限値から上限値までの全ての値を含む。一例として、例えば分子量、粘度などといった組成特性、物理的特性又は他の特性が、１００から１０００までの場合、１００、１０１、１０２などといった全ての個々の値、並びに１００から１４４まで、１５５から１７０まで、１９７から２００までなどといった部分範囲が明示的に列挙されるものとする。１より小さい値を含む範囲、又は１よりも大きい小数（例えば、１．１、１．５など）を含む範囲については、１単位は、必要に応じて、０．０００１、０．００１、０．０１、又は０．１と見なされる。１０未満の１桁の数字を含む範囲（例えば、１から５まで）では、１単位は通常０．１と見なされる。これらは、具体的に意図するものの実施例に過ぎず、列挙する最低値と最高値の間の数値の可能な全ての組み合わせが、本開示に明示的に記載されていると見なされるものとする。本開示内でとりわけ、デバイスのユーザから標的までの距離に対する数値範囲が提供される。
【００７３】
本明細書において「Ａ及び／又はＢ」などの表現で使用される用語「及び／又は」は、ＡとＢの両方；Ａ又はＢ；Ａ（単独）；及びＢ（単独）を含むものとする。同様に、「Ａ、Ｂ、及び／又はＣ」などの表現で使用される用語「及び／又は」は、以下：Ａ、Ｂ、及びＣ；Ａ、Ｂ、又はＣ；Ａ又はＣ；Ａ又はＢ；Ｂ又はＣ；Ａ及びＣ；Ａ及びＢ；Ｂ及びＣ；Ａ（単独）；Ｂ（単独）；及びＣ（単独）の実施形態の各々を含むものとする。
【００７４】
本明細書で使用する場合、「アクティブディスプレイ」は、画像生成ピクセル変調を含む。一実施形態では、アクティブディスプレイは、発光型アクティブディスプレイである。限定ではないが、有機発光ダイオード（ＯＬＥＤ）及び発光ダイオード（ＬＥＤ）を含む発光型アクティブディスプレイは、単一デバイス内の画像及び光源を備えることを特徴とし、従って外部光源は必要とされない。これは、優れたコントラストと色空間を提供しながら、システムサイズと消費電力を最小限に抑える。ＯＬＥＤは極薄の有機半導体層から作られ、電圧に接続された時に点灯する（電荷キャリアが注入され、輝度は主に順方向電流に比例する）。主層は、複数の有機材料を順に備え（例えば、電荷輸送層、ブロッキング層、及び発光層、各々が数ナノメートルの厚さを有する）、これらはアノードとカソードの間に挿入される。用語「アクティブディスプレイ」、「デジタルディスプレイ」及び「マイクロディスプレイ」は互換的に使用される。
【００７５】
本明細書で使用する場合、「正立スリーブ」は、正立レンズマウントからの突出部であり、正立チューブ及び／又はカムチューブ内のスロットと係合し、又は類似の目的に役立つ。これは、マウントと一体化されるか、着脱式でもよい。
【００７６】
本明細書で使用する場合、「正立チューブ」は、正立レンズマウントを受け入れるための開口部を有する何れかの構造又はデバイスである。
【００７７】
本明細書で使用する場合、「銃器」は、多くの場合、爆発力の作用によって駆動される１又は２以上の発射体を発射する銃身付きの兵器の携帯銃である。本明細書で使用する場合、「銃器」という用語は、拳銃、長銃、ライフル銃、散弾銃、カービン銃、自動兵器、半自動兵器、機関銃、軽機関銃、自動ライフル銃、及びアサルトライフルを含む。
【００７８】
本明細書で使用する場合、「統合表示システム」は、像を生成するためのシステムを指す。一実施形態では、統合表示システムは、アクティブディスプレイを含む。一実施形態では、統合表示システムは、アクティブディスプレイと集光器光学機器とを含む。更に別の実施形態では、統合表示システムは、アクティブディスプレイと、集光器光学機器と、反射面とを含む。
【００７９】
一実施形態では、統合表示システムを用いて、アクティブディスプレイでデジタル像を生成し、そのデジタル像を光学系の第１の焦点面内に導いてデジタル像と外部シーンの像とを同時観察することができる。本明細書で使用する場合、「照準システム」とは、人が銃器又は他の用具の照準を合わせるのを支援する１又は２以上の光学デバイス及び他のシステムを指す。
【００８０】
本明細書で使用する場合、「マーク」という用語は、様々な視覚的に知覚可能な線、円、ドット、クロスヘア、馬蹄パターン、幾何学的形状、符号、数字、文字、標識、又は記号の何れかを含むことができる。
【００８１】
本明細書で使用する場合、用語「パッシブレチクル」は、ユーザによって変更できない固定されたマークを備えたレチクルを指す。パッシブレチクルの代表的な実施例は、エッチング及び充填式レチクルである。別の実施例は、ホログラフィックレチクルであり、この場合、マークはユーザによって変更できない。パッシブレチクルは、第１の焦点面に、第２の焦点面に、又は第１及び第２の焦点面の両方に設置することができる。
【００８２】
本明細書で使用する場合、用語「観察光学機器」は、射手又は観測手が標的を選択、識別、又は監視するために使用する装置を指す。「観察光学機器」は、標的の観察観測、或いは、例えば赤外線（ＩＲ）、紫外線（ＵＶ）、レーダ、熱、マイクロ波、又は磁気撮像、Ｘ線、ガンマ線、同位体放射線及び粒子線を含む放射線、暗視、超音波、パルス音、ソナー、地震性振動、磁気共鳴を含む振動レセプタ、重力レセプタ、電波を含む放送周波数、テレビジョンレセプタ及びセルラレセプタ、或いは標的の他の像に依拠することができる。「観察光学機器」デバイスによって射手に提示される標的の像は、変更されていない場合があり、或いは、例えば、拡大、増幅、減算、重畳、フィルタ処理、安定化、テンプレートマッチング、又は他の手段によって強化することができる。「観察光学機器」によって選択され、識別され又は監視される標的は、射手の視線内にあるか、又は射手の視線に対して外れることができ、或いは、標的取得デバイスが標的の合焦像を射手に提示している間、射手の視線が遮られてもよい。「観察光学機器」によって取得された標的の像は、例えば、アナログ又はデジタルであり、例えば、ビデオ、物理的なケーブル又はワイヤ、ＩＲ、電波、セルラ接続、レーザパルス、光学、８０２．１１ｂ、又は、例えばｈｔｍｌ、ＳＭＬ、ＳＯＡＰ、Ｘ．２５、ＳＮＡなどのプロトコルを用いた他の無線伝送、Ｂｌｕｅｔｏｏｔｈ（商標）、シリアル、ＵＳＢ、或いは他の適切な画像配信方法によって、１人又は２人以上の射手又は観測手のネットワーク内で共有、保存、保管、又は伝送することができる。用語「観察光学機器」は、「光学照準器」と互換的に使用される。
【００８３】
本明細書で使用する場合、用語「外部シーン」は、標的を含むがこれに限定されない現実世界のシーンを指す。
【００８４】
本明細書で使用する場合、用語「射手」は、射撃を行う操作者又は射撃を行う操作者と連携して射撃を観察する個人の何れかに当てはまる。
【００８５】
ＩＩ．  観察光学機器
図１Ａは、観察光学機器の代表的な実施例であるライフルスコープの従来設計を示す。図１Ｂは、本開示の実施形態による例示的な観察光学機器１０を示す。具体的には、図１Ｂはライフルスコープを示している。より詳細には、ライフルスコープ１０は、可動光学要素１５を密閉する本体３８を有する。本体３８は、その前部４０のより大きな開口部から後部４２のより小さな開口部へ先細になる細長いチューブである。接眼レンズ５６がスコープ本体の後部に取り付けられ、対物レンズ５４がスコープ本体の前部に取り付けられる。可動光学要素の中心軸は、ライフルスコープの光軸４４を定める。
【００８６】
仰角ターレット１２及びウィンデージターレット４８は、本体３８の外側中央部に多くの場合見られる２つのダイヤルである。これらは、その周囲１１上に印２０によって増分的にマーク付けされ、衝撃点変更に関して可動光学要素の仰角及びウィンデージを調整するのに使用される。これらのダイヤルは、ターレットハウジング５０から突出する。ターレットは、仰角ターレットの回転軸４６がウィンデージターレットの回転軸５２に対して垂直であるように配置される。
【００８７】
図１Ｃは、光学系１４の基本構成要素及び可動光学要素１５を有する、図１Ｂの照準デバイスの断面図を示している。図１Ｃに示すように、光学系１４は、対物レンズ系１６、正立系２５、及び接眼レンズ系１８を含む。図１Ｃは、本体３８を有するライフルスコープを示すが、光学系１４は、他のタイプの照準デバイスでも同様に使用することができる。正立系２５は、可動光学要素１５内に含めることができる。正立系２５は、変倍レンズ要素又はズーム要素２５Ａを含むことができる。図１Ｃにおいて、可動光学素子１５はまた、集光器２２と共に、第１の焦点面レチクル５５及び第２の焦点面レチクル５７を含む。使用時には、ターレット組立体２８及びターレットねじ２９の調整により、可動光学要素１５の調整をもたらす。
【００８８】
可動光学要素１５は、ターレット組立体２８を１クリック又は２クリック以上回転させることによって調整される。ターレットの回転に伴って、ターレットねじ２９がスコープの内外に移動し、これにより正立チューブが押される。正立チューブはバネで付勢されているので、ターレットねじが調整されると、ターレットねじは、その底面に接して正立チューブを位置決めする。正立チューブは、全体像のより小さな視像を提供する。正立チューブが調整されると、レチクルの位置が像に対して変更される。
【００８９】
レチクルは、スコープ本体内にスコープを通る光軸又は照準線と垂直関係で取り付けられた円形の平面又は平坦な透明パネル又はディスクであり、対物レンズ要素５４と正立レンズ要素との間に、典型的にはハウジング内の光学系の前側焦点面と見なされる位置に位置決めされる。一実施形態では、レチクルは、中心点で直交又は垂直に交差する中央垂直ヘアライン及び中央水平ヘアラインを備えた微細なエッチング線又はヘアライン標識を含む。
【００９０】
一実施形態では、図１Ｄに示すように、観察光学機器は、視差調整ノブ７０又はフォーカスノブを有することができる。視差は、標的の像の光学平面がレチクルの像の光学平面と同一平面上にない場合に生じる。２つの光学平面間のオフセットの結果として、射手がレチクル中心の周りに目を動かした時に、レチクルが標的に対して動くように見える可能性がある。この視差による誤差は、発射により着弾点のシフトをもたらす場合がある。観察光学機器の視差調整は、標的の像とレチクルの像を同じ光学平面に表示するように光学系を調整可能にすることによって、射手が異なる距離での光学誤差を除去できるようにする。視差補正は、レチクルの焦点も像の焦点も変えず、単にこれら２つの対象物が合焦状態にある平面を単に移動させて、これらが同じ平面を共有する（一致する）ようにする。
【００９１】
図１Ｄに示すように、観察光学機器は、回転可能な視差調整ノブ７０に取り付けられたサイドホイールを有することができる。サイドホイールのより大きな直径は、距離マーカなどの付与されるマーカに対するより多くのスペースを提供し、使用時に射手が回転させて読み取るのがより容易である。サイドホイールのより大きな直径は、測距マーカの精度及び分解能を向上させるのに役立つ。
【００９２】
図１Ｅは、光学系１４のクローズアップを断面で示し、光線が光学系１４をどのように進むかを示している。光学系１４は、集光器２２などの追加の光学構成要素を有することができ、対物レンズ系１６、正立系２５、及び接眼レンズ系１８などの特定の構成要素は、それ自体が複数の構成要素又はレンズを有することができることは、当該技術分野で周知である。
【００９３】
一実施形態では、観察光学機器は、視差調整を提供するための１又は２以上の調整可能レンズを備えたフォーカスセルを有することができる。一実施形態では、１又は２以上の調整可能レンズは、１又は２以上の視差レンズである。
【００９４】
一実施形態では、合焦レンズは、接眼レンズと対物レンズとの間に位置付けられる。合焦レンズと対物レンズの相対距離は、視差調整を提供するために調整可能である。更に、正立レンズは、接眼レンズと合焦レンズの間に位置付けられる。正立レンズと対物レンズの相対距離は、倍率調整を提供するために調整可能である。
【００９５】
ＩＩＩ．  アクティブディスプレイを備えた観察光学機器
一実施形態では、本開示は、デジタル像を生成してこのデジタル像を観察光学機器の第１の焦点面に投影するアクティブディスプレイを有する観察光学機器に関する。一実施形態では、本開示は、観察光学機器を覗く時にユーザに視認される、アナログレチクルと、限定ではないがデジタルレチクルを含むデジタル像とを有する観察光学機器に関する。一実施形態では、観察光学機器は、弾道計算機能を備えた外部レーザ測距計と共に使用することができる。
【００９６】
一実施形態では、観察光学機器は、アナログ又はガラスエッチング式レチクルを備えた可動正立チューブを有し、アナログ又はガラスエッチング式レチクルが正立チューブと連動して移動するように正立チューブに取り付けられている。一実施形態では、デジタル方式で導入されたレチクルは、正立チューブと連動して移動しない。従って、デジタルレチクルは、ターレット又は正立チューブの位置に関わらず正確である。
【００９７】
一実施形態では、本開示は、デジタルディスプレイを備えた観察光学機器に関し、このデジタルディスプレイは、第１の焦点面上のデジタルディスプレイの像が正立チューブの移動に結びつけられないように観察光学機器の第１の焦点面に導入することができる。一実施形態では、このディスプレイは、ライフルスコープの正立チューブ／ターレットの位置に関わらず、正確な弾道の照準ホールド点をユーザに与えることができる。
【００９８】
一実施形態では、本開示は、観察光学機器の正立チューブの位置及び／又はターレットの位置に非依存の照準点を備えた観察光学機器に関する。一実施形態では、弾道的に決定された照準点が正立ユニットの視野以外にある場合、ターレットを回して、弾道的に決定された照準点を視野内に持ち込むことができる。
【００９９】
一実施形態では、観察光学機器は、標的から第１の焦点面に像を合焦させる（以下、「ＦＦＰ標的像」と呼ぶ）対物レンズ系と、その後に続く、ＦＦＰ標的像を反転させて第２の焦点面に合焦させる（以下、「ＳＦＰ標的像」と呼ぶ）正立レンズ系と、対物レンズ系とＦＦＰ標的像との間に配置されるビームコンバイナと、ＳＦＰ標的像を人間の目で観察できるようにコリメートする接眼レンズ系とから構成された主光学系と、第２の光学系とを備える。
【０１００】
一実施形態では、第２の光学系は、アクティブディスプレイと、アクティブディスプレイから集光するレンズ系とを有する。デジタルディスプレイからの像は、デジタル像と対物レンズ系からの標的像とを第１の焦点面において結合させて同時に観察できるように、ビームコンバイナに導かれる。一実施形態では、第２の光学系は、限定ではないがミラーを含む反射材料を有することができる。
【０１０１】
上記の説明を参照すると、デジタルディスプレイは、対物レンズ系と第１の焦点面との間で主光学系に導入され、次いで、第１の焦点面上に合焦される。第１の焦点面では、デジタルディスプレイからのデジタル像と、正立レンズ系に取り付けられたアナログ／ガラスエッチング式レチクルの両方が同一平面を共有する。しかしながら、アナログレチクルは、可動正立レンズ系に取り付けられるのに対して、デジタルディスプレイからの像はそうではない。従って、正立レンズ系が移動された場合、アナログレチクルは移動することになるが、デジタル像は静止したままとなる。
【０１０２】
一実施形態では、観察光学機器を銃器に対して剛体的に取り付けることができる。別の実施形態では、レーザ測距計は、銃器又は観察光学機器の何れかに取り付けることができる。レーザ測距計は、標的までの距離を測定し、その標的に命中させるための弾道を計算し、その情報をアクティブディスプレイに提供して、ライフル銃の弾丸の着弾点と共に正確な照準点を表示することができるようにする。
【０１０３】
レーザ測距計が観察光学機器に剛体的に取り付けられており、照準点が移動しないので、デジタル像が静止したままであることが重要である。これによって、デジタル式レーザデジグネータが初期設定でレーザに対応し、その後、正立レンズ系がどのように移動されたとしても、この２つは常に整列したままとなるように、デジタルディスプレイをデジタル的に調整することができる。
【０１０４】
加えて、銃器の銃身は、観察光学機器に剛体的に取り付けられるので、銃身の照準点は、デジタルディスプレイに関連して変化することはない。これにより、デジタル照準点が初期設定時に初期の「サイトイン」距離で銃器の銃身に対応し、次いで、両者が常に整列したままとなるように、デジタルディスプレイをデジタル的に調整することができる。
【０１０５】
初期のサイトイン距離とは異なる距離で射撃する必要が生じた場合、レーザ測距計は、距離を測定し、次いで弾道計算を行って、照準点の新しい位置を決定することができる。この新しい照準点位置は常に初期のサイトイン距離と関係があるので、ライフルスコープは、単に、デジタルディスプレイの照準点を新しい照準点と対応するように調整するだけでよい。
【０１０６】
このシステムの副次的な利点は、デジタル照準点が静止しているので、一定の間隔で所定のマークを有するレチクルを用いて正立チューブの位置を調整するターレットの精度を観察光学機器上で簡単に試験できることである。正立チューブが移動すると、静止したデジタル照準点に対してレチクルを測定して、ターレット上でのダイヤル調整が、デジタル照準点と正立レンズ系に取り付けられたレチクルとの間で測定された移動量と一致するかどうかを確かめることができる。
【０１０７】
一実施形態では、本開示は、第１の像を生成するよう構成された第１のアクティブディスプレイと、第２の像を生成するよう構成された第２のアクティブディスプレイと、を備え、第１のアクティブディスプレイ及び第２のアクティブディスプレイが互いに垂直であり、第１の像又は第２の像の何れかが、観察光学機器の第１の焦点面に投影される、観察光学機器用の表示システムに関する。一実施形態では、表示システムは更に、第１の焦点面を有する光学系と、第１のビームコンバイナとを備える。
【０１０８】
一実施形態では、本開示は、像を生成するように構成された第１のアクティブディスプレイと、第２の像を生成するように構成された第２のアクティブディスプレイと、第１のアクティブディスプレイと第２のアクティブディスプレイの間に位置付けられ、第１の像と第２の像を結合して結合された像を生成するよう構成されたビームコンバイナとを備え、ここで結合された像が観察光学機器の第１の焦点面に投影される、表示システムに関する。一実施形態では、表示システムは更に、集光器レンズ系を備える。更に別の実施形態では、表示システムは、反射材料を備える。
【０１０９】
一実施形態では、本開示は、第１の像を生成するための第１のアクティブディスプレイと、第２の像を生成するための第２のアクティブディスプレイと、を備え、第１のアクティブディスプレイ及び第２のアクティブディスプレイが互いに垂直であり、第１の像又は第２の像が、観察光学機器の第１の焦点面において外部シーンの像と同時に重ね合わせて観察するためにビームコンバイナに導かれる、観察光学機器用の表示システムに関する。
【０１１０】
一実施形態では、本開示は、第１の像を生成するよう構成された第１のアクティブディスプレイと、第２の像を生成するよう構成された第２のアクティブディスプレイと、第１のアクティブディスプレイ及び第２のアクティブディスプレイの間に位置付けられ、第１の像と第２の像を結合して結合された像を生成するよう構成されたビームコンバイナと、を備え、結合された像が、観察光学機器の第１の焦点面において外部シーンの像と同時に重ね合わせて観察するために追加のビームコンバイナに導かれる。一実施形態では、表示システムは更に、集光器レンズ系を備える。更に別の実施形態では、表示システムは、結合された像を追加のビームコンバイナに導くための反射材料を備える。
【０１１１】
一実施形態では、本開示は、第１のアクティブディスプレイを用いて第１の像を生成するステップと、第２のアクティブディスプレイを用いて第２の像を生成するステップと、ビームコンバイナを用いて第１の像と第２の像を結合して結合された像を生成するステップと、結合された像を観察光学機器の第１の焦点面に投影するステップと、を含む、観察光学機器を用いて観察する方法に関する。
【０１１２】
一実施形態では、本開示は、第１のアクティブディスプレイを用いて第１の像を生成するステップと、第２のアクティブディスプレイを用いて第２の像を生成するステップと、ビームコンバイナを用いて第１の像と第２の像を結合して結合された像を生成するステップと、観察光学機器の第１の焦点面において結合された像と外部シーンの像を観察するため結合された像を追加の別個のビームコンバイナに導くステップと、を含む、観察光学機器を用いて観察する方法に関する。
【０１１３】
一実施形態では、本開示は、第１の焦点面を有し且つ観察光軸に沿って位置付けられた観察光学機器を用いて外部シーンの視野を観察するステップと、第１のアクティブディスプレイを用いて第１の像を生成するステップと、第２のアクティブディスプレイを用いて第２の像を生成するステップと、ビームコンバイナを用いて前記第１の像と前記第２の像を結合して結合された像を生成するステップと、結合された像を観察光学機器の第１の焦点面に投影するステップと、を含む、観察光学機器を用いて観察する方法に関する。一実施形態では、結合された像を観察光学機器の第１の焦点面に投影するステップは、反射材料を用いる。
【０１１４】
図８５は、複数のアクティブディスプレイを有する表示システム８５００の代表的な概略図である。表示システム８５００は、観察光学機器の光軸に実質的に平行な方向で第１の像を生成するように構成された第１のアクティブディスプレイ８５０７を有する。更に、表示システムは、観察光学機器の光軸に実質的に垂直な方向で像を生成するように構成された第２のアクティブディスプレイ８５０９を有する。表示システムは更に、第１のアクティブディスプレイ８５０７及び第２のアクティブディスプレイ８５０９から生成された像を結合するよう構成されたビームコンバイナ８５１１を有する。図８５に示すように、第１のアクティブディスプレイ８５０７は、ビームコンバイナ８５１１の左側に位置付けられ、第２のアクティブディスプレイ８５０９は、ビームコンバイナの上方に位置付けられる。
【０１１５】
表示システムは更に、ビームコンバイナ８５１１の右側に位置付けられた集光器レンズ系８５１３を有する。表示システムはまた、集光器レンズ系８５１３の右側に位置付けられた反射材料８５１５を有する。
【０１１６】
一実施形態では、第１のアクティブディスプレイ８５０７及び第２のアクティブディスプレイ８５０９は、第１の像及び第２の像をそれぞれ生成し、これらはビームコンバイナ８５１１に導かれる。ビームコンバイナ８５１１は、第１及び第２の像を結合して結合され生成された像にするように構成される。結合され生成された像は、集光器レンズ系８５１３及び任意選択的に反射材料８５１５に導かれる。
【０１１７】
一実施形態では、本開示は、１又は２以上のアクティブディスプレイを備えた表示システムを有する観察光学機器に関する。一実施形態では、観察光学機器は、第１の像を生成するように構成された第１のアクティブディスプレイと、第２の像を生成するように構成された第２のアクティブディスプレイとを備えた表示システムを有する。一実施形態では、第１のアクティブディスプレイ及び第２のアクティブディスプレイは、互いに対して平行である。更に別の実施形態において、第１のアクティブディスプレイは、第２のアクティブディスプレイに対して垂直である。
【０１１８】
一実施形態では、本開示は、時間又は光の状態に関係なく、クリアな解像度及び明るい画像をユーザに提供するために、受動的照準ピクチャと組み合わせた複数のディスプレイを備えた観察光学機器に関する。別の実施形態では、本開示は、全ての環境及びシナリオにおいて照準ピクチャを最適化するために縦一列になって使用される熱及び暗視技術の組み合わせを備えた観察光学機器に関する。
【０１１９】
一実施形態では、本開示は、或る範囲の環境輝度レベルにおける熱技術のための適切な輝度及び透明度のレベルを備えた統合表示システムを有する観察光学機器に関する。
【０１２０】
一実施形態では、本開示は、複数のディスプレイを使用して、昼間視光学系によって提供されるパッシブ画像を増強する統合表示システムを備えた観察光学機器に関する。
【０１２１】
画像全体を投影又は表示するのではなく、統合表示システムを備えた観察光学機器は、熱カメラを用いて、新規の全体像を表示せずに、パッシブ画像を増強することができる。また、２つの異なるディスプレイを有する能力により、十分な輝度及び画質を提供しながら、最適なバッテリ寿命を可能にする。
【０１２２】
一実施形態では、統合表示システムを備えた観察光学機器は、複数のディスプレイ、すなわち、高輝度品質を有する第１のディスプレイ及び高ビット深度及び高解像度を有する第２のディスプレイを１つの観察光学機器に結合する。一実施形態では、観察光学機器は、２つのビームコンバイナを有する。一実施形態では、観察光学機器は、主本体において第１のビームコンバイナ及びベースにおいて第２のビームコンバイナを有する。
【０１２３】
２つのディスプレイを使用することにより、一方のディスプレイは、低色深度及び低解像度を有するが、昼間使用では高輝度を有する形式のものとすることができ、他方のディスプレイは、高色深度及び高解像度であるが微小光使用では低輝度を有するタイプのものとすることができる。一実施形態では、色深度、解像度、及び輝度は、第１のディスプレイと第２のディスプレイとの比較とすることができる。別の実施形態では、高色深度、低色深度、高解像度、低解像度、高輝度、及び低輝度という用語は、業界標準に従って使用することができる。
【０１２４】
これら２つのディスプレイタイプを使用する利点は、サーマルカメラ及び暗視カメラと共に使用するときに明らかになる。一実施形態では、熱カメラを観察光学機器に取り付けて、熱画像をアクティブディスプレイに送信することができ、アクティブディスプレイは、画像を視野に送信して、熱画像がパッシブ画像上に重ね合わせられるようにする。
【０１２５】
日中はパッシブ画像が明るいので、アクティブディスプレイからの熱画像は、ユーザが見ることができるように十分に明るくする必要がある。現時点では、これらの条件で使用するのに十分な高輝度を有する適切なディスプレイは、低色ビット深度で低解像度を有する（図８６及び８７）。これは、ディスプレイが明るい領域と暗い領域の間で投影するのに利用できる色合いが少なくなり、投影像の品質が低くなることを意味する。
【０１２６】
しかしながら、このディスプレイが日中にのみ使用される場合、パッシブ画像を増強するだけで十分であるので、色深度及び解像度はそれほど重要ではない。例えば、パッシブ画像は、良好な像に必要な詳細事項を提供し、ディスプレイは、ユーザの目を熱源に引き付けるのに役立つので、照準器は、熱シグネチャをシェーディングするのではなく、輪郭を描くようにプログラムすることができる。
【０１２７】
微小光状態の間、パッシブ画像は、ユーザが詳細を参照することが難しくなる点にまで暗くなり始める。この場合、高輝度ディスプレイは不要になり、低輝度でるが高いビット深度及び解像度を有する別のディスプレイを使用することができる。
【０１２８】
一実施形態では、観察光学機器は、光レベルが設定された閾値を下回った時点を検出できる光センサを有することができ、観察光学機器は、熱源を正確に遮り、パッシブ画像を増強又は置換してユーザが鮮明な画像を取得できるような十分なビット深度及び解像度を有することができる二次ディスプレイを使用する。
【０１２９】
別の実施形態では、２又は３以上のアクティブディスプレイを備えた観察光学機器は、熱画像及び暗視画像を観察光学機器の視野内に投影することができる。サーマルカメラと微小光ＣＭＯＳなどの微小光カメラの両方を使用することにより、２つのアクティブディスプレイは、各カメラからの画像をライフルスコープの視野内に送信することができる。
【０１３０】
例えば、サーマルカメラは、熱源の輪郭を低ビット深度の低解像度ディスプレイに送信することができ、微小光ＣＭＯＳカメラは、暗視画像を高ビット深度の高解像度ディスプレイに送信することができ、両方が同時に視野内に撮像化されるようになる。
【０１３１】
複数のアクティブディスプレイを備えた観察光学機器の別の利点は、高輝度ディスプレイが小さなディスプレイであることで、これは、限定的な視野を有することを意味する。昼光の場合、ユーザは、パッシブオプ光学系からより広い視野を見る能力があるので、このことは、それほど大きな問題ではない。しかしながら、夜間、パッシブ画像が使用できなくなると、小さなディスプレイは、近づいてくる脅威に対してマイナスに作用する可能性がある。幸いなことに、より低輝度のディスプレイほど大きくなるので、微小光状態においてより大きな視野が可能となる。これはまた、２つの異なったそれぞれの長所を可能にする。
【０１３２】
最後に、高ビット深度で高解像度のディスプレイは、低ビット深度で低解像度のディスプレイよりも有意に多くの電力を使用する。これは、日中は、低ビット深度で低解像度のディスプレイのみを使用する必要があり、常時高解像度のディスプレイを使用する場合よりも全体の消費電力を大幅に削減することができることを意味する。
【０１３３】
一実施形態では、第１及び第２のアクティブディスプレイは、観察スコープの光軸に実質的に平行な方向で光を放出するよう構成される。更に別の実施形態において、第１及び第２のアクティブディスプレイは、観察光学機器の光軸に実質的に垂直な方向で光を放出するよう構成される。
【０１３４】
一実施形態では、観察スコープの光軸に実質的に平行な方向で光を放出するよう構成され、第２のアクティブディスプレイは、観察光学機器の光軸に実質的に垂直な方向で光を放出するよう構成される。
【０１３５】
更に別の実施形態において、表示システムは、第１のアクティブディスプレイから生成された像と第２のアクティブディスプレイから生成された像を結合するよう構成されるビームコンバイナを有する。
【０１３６】
一実施形態では、第１及び第２のアクティブディスプレイは、ビームコンバイナの右側に位置付けられる。別の実施形態では、第１及び第２のアクティブディスプレイは、ビームコンバイナの左側に位置付けられる。
【０１３７】
一実施形態では、第１のアクティブディスプレイは、ビームコンバイナの左側に位置付けられ、第２のアクティブディスプレイは、ビームコンバイナの右側に位置付けられる。
【０１３８】
一実施形態では、第１のアクティブディスプレイ及び第２のアクティブディスプレイは、ビームコンバイナの上方に位置付けられる。更に別の実施形態では、第１のアクティブディスプレイ及び第２のアクティブディスプレイは、ビームコンバイナの下方に位置付けられる。
【０１３９】
一実施形態では、第１のアクティブディスプレイは、ビームコンバイナの上方に位置付けられ、第２のアクティブディスプレイは、ビームコンバイナの下方に位置付けられる。
【０１４０】
一実施形態では、第１のアクティブディスプレイは、ビームコンバイナの左側に位置付けられ、第２のアクティブディスプレイは、ビームコンバイナの下方に位置付けられる。
【０１４１】
一実施形態では、第１のアクティブディスプレイは、ビームコンバイナの右側に位置付けられ、第２のアクティブディスプレイは、ビームコンバイナの下方に位置付けられる。
【０１４２】
一実施形態では、第１のアクティブディスプレイは、ビームコンバイナの左側に位置付けられ、第２のアクティブディスプレイは、ビームコンバイナの上方に位置付けられる。
【０１４３】
一実施形態では、第１のアクティブディスプレイは、ビームコンバイナの右側に位置付けられ、第２のアクティブディスプレイは、ビームコンバイナの上方に位置付けられる。
【０１４４】
一実施形態では、１又は２以上のアクティブディスプレイは、ビームコンバイナの右側に位置付けられる。別の実施形態では、１又は２以上のアクティブディスプレイは、ビームコンバイナの左側に位置付けられる。
【０１４５】
一実施形態では、１又は２以上のアクティブディスプレイは、ビームコンバイナの左側に位置付けられ、また１又は２以上のアクティブディスプレイは、ビームコンバイナの右側に位置付けられる。
【０１４６】
一実施形態では、１又は２以上のアクティブディスプレイは、ビームコンバイナの上方に位置付けられる。更に別の実施形態では、１又は２以上のアクティブディスプレイは、ビームコンバイナの下方に位置付けられる。
【０１４７】
一実施形態では、１又は２以上のアクティブディスプレイは、ビームコンバイナの上方に位置付けられ、また１又は２以上のアクティブディスプレイは、ビームコンバイナの下方に位置付けられる。
【０１４８】
一実施形態では、１又は２以上のアクティブディスプレイは、ビームコンバイナの左側に位置付けられ、また１又は２以上のアクティブディスプレイは、ビームコンバイナの下方に位置付けられる。
【０１４９】
一実施形態では、１又は２以上のアクティブディスプレイは、ビームコンバイナの右側に位置付けられ、また１又は２以上のアクティブディスプレイは、ビームコンバイナの下方に位置付けられる。
【０１５０】
一実施形態では、１又は２以上のアクティブディスプレイは、ビームコンバイナの左側に位置付けられ、１又は２以上のアクティブディスプレイは、ビームコンバイナの上方に位置付けられる。
【０１５１】
一実施形態では、１又は２以上のアクティブディスプレイは、ビームコンバイナの右側に位置付けられ、１又は２以上のアクティブディスプレイは、ビームコンバイナの上方に位置付けられる。
【０１５２】
一実施形態では、本開示は、第１の焦点面を有し且つ外部シーンの像を観察するように構成された光学系を備える主本体と、光学系と一列に並んで配置されたビームコンバイナと、像を生成するよう構成された第１のアクティブディスプレイ、追加の別個の異なるビームコンバイナ、及び第１のアクティブディスプレイに垂直で第２の像を生成するよう構成された第２のアクティブディスプレイを有する表示システムと、を有する観察光学機器であって、第１のアクティブディスプレイ又は第２のアクティブディスプレイの何れかから生成された像が光学系の第１の焦点面に投影されて、スコープ本体の接眼レンズを通して見たときに生成された像と外部シーンの像を同時に観察できるようにする、観察光学機器に関する。一実施形態では、第１のアクティブディスプレイ及び第２のアクティブディスプレイから生成された像が、第２のビームコンバイナにおいて結合されて、第１のビームコンバイナに導かれ、スコープ本体の接眼レンズを通して見たときに、観察光学機器の第１の焦点面において生成された像と外部シーンの像を同時に観察できるようにする。
【０１５３】
一実施形態では、第２のビームコンバイナは、第１のアクティブディスプレイの左側に位置付けられる。更に別の実施形態では、第２のアクティブディスプレイは、システム内に第１のアクティブディスプレイに垂直に配置することができる。これにより、両方のアクティブディスプレイを用いて、観察光学機器の焦点面に個々に又は同時に投影することができる。
【０１５４】
一実施形態では、本開示は、観察光軸及びビームコンバイナに沿って外部シーンの像を生成するための光学系と、像を生成するよう構成された第１のアクティブディスプレイ及び第１のアクティブディスプレイに垂直で第２の像を生成するよう構成された第２のアクティブディスプレイを有する表示システムと、を備えた観察光学機器であって、第１のアクティブディスプレイ又は第２のアクティブディスプレイの何れかから生成された像が、スコープ本体の接眼レンズを通して見たときに光学系の第１の焦点面において生成された像と外部シーンの像を同時に観察するようにビームコンバイナに導かれる、観察光学機器に関する。
【０１５５】
一実施形態では、本開示は、観察光軸及び第１のビームコンバイナに沿って外部シーンの像を生成するための光学系と、像を生成するよう構成された第１のアクティブディスプレイ、第２の像を生成するよう構成された第２のアクティブディスプレイ、及び第１の像及び第２の像を結合するため追加の別個の異なるビームコンバイナを有する表示システムと、を備えた観察光学機器であって、結合された像が、スコープ本体の接眼レンズを通して見たときに光学系の第１の焦点面において生成された像と外部シーンの像を同時に観察するように第１のビームコンバイナに導かれる、観察光学機器に関する。
【０１５６】
ＩＶ．  ベースを備えた観察光学機器
一実施形態では、本開示は、限定ではないが、第１ハウジングが第２ハウジングに結合させたライフルスコープを含む、観察光学機器に関する。一実施形態では、第１ハウジングは主本体である。更に別の実施形態では、第２ハウジングはベースである。
【０１５７】
一実施形態では、本開示は、主本体と主本体に結合されたベースとを有するライフルスコープに関する。一実施形態では、ベースは主本体から分離可能である。一実施形態では、ベースは主本体の底部に取り付けられる。一実施形態では、ガスケットが、主本体とベースを密閉するのに使用される。
【０１５８】
一実施形態では、本開示は、外部シーンの像を生成するための光学系を備えた主本体と、デジタル像を生成してそのデジタル像を光学系の第１の焦点面に導き、これによりデジタル像と外部シーンの像との同時観察を提供するための統合表示システムを備えて、主本体に結合されたベースと、を有するライフルスコープに関する。
【０１５９】
別の実施形態では、本開示は、外部シーンの像を生成するための光学系を備えた主本体と、像を生成してその生成された像を光学系の第１の焦点面に導き、スコープ本体の接眼レンズを覗いた時に生成された像と外部シーンの像との同時観察を提供するためのアクティブディスプレイを有する統合表示システムを備えて、主本体に結合されたベースと、を有するライフルスコープに関する。
【０１６０】
代表的な実施形態では、図２は、主本体２１０とベース２２０とを有するライフルスコープ２００の側面図を表示している。一実施形態では、ベース２２０は主本体２１０から分離可能である。ベース２２０は、倍率リング２１２の近くでスコープ本体の一端部に取り付けられ、対物レンズ組立体２１４の近くでスコープ本体の他端部に取り付けられる。一実施形態では、主本体２１０とベース２２０は同じ材料で作られる。別の実施形態では、スコープ本体とベースは、異なる材料で作られる。
【０１６１】
一実施形態では、ベース２２０は、おおよそ、主本体の正立チューブの長さである。
【０１６２】
一実施形態では、ベースは、限定ではないが、リアルタイム弾道解；飛翔時曳光弾の検出及び追跡による次のラウンドの弾道修正；統合型高性能慣性センサを用いた兵器指向角の追跡；高度な弾道ターゲティング及び修正のための精密な指向角比較；標的の位置及び指定；気圧、湿度、及び温度；デバイスによって処理されて照準中に観察できる抗同士討ちデータ及び状況認識データ；長距離での好都合な弾道落下修正のための、スコープ視野を越えるレチクルターゲティング修正；兵器、ラウンド、及び環境特徴付けデータを含む、状況情報、地理情報、及び弾道情報を生成して観察光学機器の第１の焦点面に表示することができる統合表示システムを有する。
【０１６３】
一実施形態では、観察光学機器は、：１又は２以上のマイクロプロセッサ、１又は２以上のコンピュータ、完全統合型弾道コンピュータ；統合型近赤外レーザ測距計；完全座標標的位置及び指定が可能な観察光学機器と統合されたＧＰＳ及びデジタルコンパス；このデータを弾道計算に自動的に組み込むことのできる観察光学機器と統合された圧力、湿度、及び温度用センサ；ゼロパワーオフモードを含む全ての条件での従来型観察光学機器の機能；センサ、環境、及び状況認識データを通信するための有線及び無線インタフェース；パーソナル・ネットワーク・ノード（ＰＮＮ）及びソルジャ・ラジオ・ウェーブフォーム（ＳＲＷ）などのデジタルインタフェースをサポートする機能；上方傾斜及び下方傾斜の射撃方向に対して実施可能な弾道補正に関する垂直方向の統合傾斜感度；統合イメージセンサ；標的シーンの画像フレームを取得及び処理する機能；自動方式のコールドボア射撃／ホットボア射撃修正を適用する目的で発射時間の履歴を記録する機能；角度から線形への自動サイズ変換を備えた内蔵バックアップ光学距離推定機能である、機能及び／又は構成要素の内の１又は２以上を有する。
【０１６４】
一実施形態では、観察光学機器は、１又は２以上のデバイスと無線で通信することができる。別の実施形態では、観察光学機器は、１又は２以上のデバイスと物理的ケーブルで通信することができる。
【０１６５】
Ａ．  主本体
一実施形態では、主本体は、その前部の大きな開口部から後部の小さな開口部に向かって先細になった細長いチューブの形状であり、細長いチューブの後部には接眼レンズが取り付けられ、細長いチューブの前部には対物レンズが取り付けられる。一実施形態では、第１ハウジングはライフルスコープの主本体である。
【０１６６】
一実施形態では、主本体は、観察用入力端部と観察用出力端部とを有し、これらは、観察光軸４４（図１Ｂ）に沿って整列することができ、一直線に並ぶことができる。対象物又は標的は、観察用入力端部を通り、観察用直接観察光学機器に沿って、観察用出力端部から出てユーザの目により直接観察することができる。主本体は、観察用入力端部にて対物レンズ又はレンズ組立体を含むことができる。第１の焦点面レチクルを観察光軸Ａに沿って位置決めし、対物レンズ組立体から離間させることができる。
【０１６７】
一実施形態では、画像又は像反転レンズ組立体は、第１の焦点面レチクルから観察光軸Ａに沿って後方に位置決めし離間させることができる。像を反転させるために、対物レンズと接眼レンズの間の主本体内に、正立像系を有する正立チューブが設置される。これは、像に対して陸地観察用の正しい向きを与える。正立像系は通常、正立チューブ内に収容される。
【０１６８】
反転レンズ組立体又は正立像系は、互いに離間して配置された１又は２以上のレンズを備えることができる。正立像系は、像の焦点を調整するためにその光軸に沿って可動な合焦レンズ、並びに後側焦点面で像を光学的に拡大して標的が実際の距離よりも近くに見えるようにするためにその光軸に沿って可動な拡大レンズなどの、１又は２以上の可動光学要素を含むことができる。一般的に、正立組立体は、合焦レンズと拡大レンズの内の１又は２以上の変倍レンズ要素との協働移動を駆動するための機械的、電気機械的、又は電気光学的システムを含んで、全体にわたって正立組立体が後方焦点面に遠方標的の合焦した正立像を作り出す連続的に可変な倍率範囲を提供する。
【０１６９】
可変倍率は、正立チューブ内で互いに対して正立レンズの位置を調整するための機構を設けることによって達成することができる。これは一般的に、正立チューブの周りに密着するカムチューブを使用することで行われる。各正立レンズ（又はレンズ群）は、正立チューブ内で摺動する正立レンズマウントに取り付けられる。正立レンズマウントに取り付けられた正立スリーブは、正立チューブの本体内の直線スロットを摺動して、正立レンズの向きを維持する。このスリーブはまた、カムチューブ内の角度付きの、又は湾曲したスロットと係合する。カムチューブが回ると、正立レンズマウントがガイドチューブ内で長さ方向に移動し、倍率が変化する。各正立レンズはカムチューブ内に固有のスロットを有し、これらスロットの構成により、カムチューブを回した時の倍率変化の量及び割合が決定される。
【０１７０】
第２の焦点面のアパーチャは、画像反転組立体から観察光軸Ａに沿って後方に位置決めし離間させることができる。接眼レンズ組立体は、接眼レンズにおいて、第２の焦点面のアパーチャから観察光軸Ａに沿って後方に位置決めし離間させることができる。接眼レンズ組立体は、互いに離間して配置された１又は２以上のレンズを含むことができる。一部の実施形態では、観察光軸Ａ及び直接観察光学機器を折り畳むことができる。
【０１７１】
一実施形態では、主本体はビームコンバイナを有する。一実施形態では、ビームコンバイナは、図１Ｂに示すように観察光軸４４上に位置決めし観察光軸４４と光学的に結合させることができる。一実施形態では、ビームコンバイナは、観察光学レチクルの近くに位置決めすることができる。別の実施形態では、ビームコンバイナは、第１の焦点面の観察光学レチクルの近くに位置決めすることができる。
【０１７２】
一実施形態では、ビームコンバイナは、対物レンズ組立体と第１の焦点面との間に位置付けられる。
【０１７３】
更に別の実施形態では、主本体はビームコンバイナを有し、ビームコンバイナは接眼レンズ組立体の近くに設置されない。一実施形態では、ビームコンバイナは、接眼レンズ組立体の下に設置されない。
【０１７４】
一実施形態では、主本体はビームコンバイナを有し、ビームコンバイナは、観察光学機器の主チューブ内の接眼レンズ組立体と比べて対物レンズ組立体に近接して位置付けられる。
【０１７５】
図３は、主本体２１０とベース２２０とを備えたライフルスコープ３００の切り欠き側面図を表示している。図示のように、ライフルスコープ３００は、対物レンズ組立体３１０、ビームコンバイナ３２０、第１の焦点面３３０と、第２の焦点面３５０、及び接眼レンズ組立体３６０を有する。ビームコンバイナ３２０は、対物レンズ組立体３１０と第１の焦点面３３０の間に位置付けられる。
【０１７６】
一実施形態では、観察光学機器４００は、関連するレンズ及び回路のベース２２０内への組立を可能にするために長手方向に分割された主本体２１０を有することができる。図４は、ライフルスコープ４００の長手方向に分割された主チューブ２１０の代表的な例である。図４は、長手方向に分割された主チューブの分割線４１０を示している。主本体２１０の底部側の分割部４２０により、統合表示システムを有するベース２２０の結合が可能となる。
【０１７７】
一実施形態では、主本体の底部側は長手方向の分割部を有する。一実施形態では、長手方向の分割部は、おおよそ、主本体と結合するベースの長さである。
【０１７８】
一実施形態では、主本体はアクティブディスプレイを有していない。
【０１７９】
１．ビームコンバイナ
一実施形態では、観察光学機器の主本体はビームコンバイナを有する。一実施形態では、ビームコンバイナは、１又は２以上のプリズムレンズである（プリズムレンズがビームコンバイナを構成する）。別の実施形態では、ライフルスコープの主本体は、統合表示システムから生成された像と、ライフルスコープの観察光軸に沿って観察光学機器から生成された像とを結合させるビームコンバイナを有する。一実施形態では、統合表示システムは、主本体とは分離した別個のハウジング内に設置される。一実施形態では、統合表示システムは、第１ハウジング又は主本体と結合するベース内にある。一実施形態では、統合表示システムは、第１ハウジング又は主本体と結合するベースのキャビティ内にある。
【０１８０】
一実施形態では、ビームコンバイナを用いて、統合表示システムから生成された像と、外部像を観察するための光学系からの像とを結合し、この場合、光学系はライフルスコープの主本体内で且つ主本体における第１の焦点面の前方に位置し、次いで結合された像が第１の焦点面上に合焦するので、生成された像と観察像とは互いに対して移動しない。結合像が第１の焦点面に合焦した状態では、可動正立系の調整に関わらず、統合表示システムによって生成された照準基準は正確となる。
【０１８１】
一実施形態では、ビームコンバイナをディスプレイ光軸に沿って統合表示システムと整列させ、ライフルスコープの主本体の観察光学機器の観察光軸に沿って位置決めすることができ、これにより、統合表示システムからの像を観察光軸の上に導いて、観察光学機器の視野と重ね合わせることが可能となる。
【０１８２】
別の実施形態では、ビームコンバイナと統合表示システムは同じハウジング内にある。一実施形態では、ビームコンバイナは、対物レンズ組立体から約２５ｍｍの距離にある。
【０１８３】
一実施形態では、ビームコンバイナは、対物レンズ組立体から約５ｍｍの距離にある。一実施形態では、ビームコンバイナは、限定ではないが、対物レンズ組立体から、１ｍｍから５ｍｍ、又は５ｍｍから１０ｍｍ、又は５ｍｍから１５ｍｍ、又は５ｍｍから２０ｍｍ、又は５ｍｍから３０ｍｍ、又は５ｍｍから４０ｍｍ、又は５ｍｍから５０ｍｍを含む距離に位置決めされる。
【０１８４】
更に別の実施形態では、ビームコンバイナは、限定ではないが、対物レンズ組立体から、１ｍｍから４ｍｍ、又は１ｍｍから３ｍｍ、又は１ｍｍから２ｍｍを含む距離に位置決めされる。
【０１８５】
一実施形態では、ビームコンバイナは、限定ではないが、対物レンズ組立体から、少なくとも３ｍｍ、少なくとも５ｍｍ、少なくとも１０ｍｍ、及び少なくとも２０ｍｍを含む距離に位置決めされる。更に別の実施形態では、ビームコンバイナは、対物レンズ組立体から、３ｍｍから１０ｍｍの距離に位置決めされる。
【０１８６】
別の実施形態では、ビームコンバイナは、接眼レンズ組立体から約１５０ｍｍの距離にある。一実施形態では、ビームコンバイナは、限定ではないが、接眼レンズ組立体から、１００ｍｍから２００ｍｍ、又は１２５ｍｍから２００ｍｍ、又は１５０ｍｍから２００ｍｍ、又は１７５ｍｍから２００ｍｍを含む距離に位置決めされる。
【０１８７】
一実施形態では、ビームコンバイナは、限定ではないが、接眼レンズ組立体から、１００ｍｍから１７５ｍｍ、又は１００ｍｍから１５０ｍｍ、又は１００ｍｍから１２５ｍｍを含む距離に位置決めされる。
【０１８８】
一実施形態では、ビームコンバイナは、限定ではないが、接眼レンズ組立体から、１３５ｍｍから１６５ｍｍ、又は１３５ｍｍから１６０ｍｍ、又は１３５ｍｍから１５５ｍｍ、又は１３５ｍｍから１５０ｍｍ、又は１３５ｍｍから１４５ｍｍ、又は１３５ｍｍから１４０ｍｍを含む距離に位置決めされる。
【０１８９】
一実施形態では、ビームコンバイナは、限定ではないが、接眼レンズ組立体から、１４０ｍｍから１６５ｍｍ、又は１４５ｍｍから１６５ｍｍ、又は１５０ｍｍから１６５ｍｍ、又は１５５ｍｍから１６５ｍｍ、又は１６０ｍｍから１６５ｍｍを含む距離に位置決めされる。
【０１９０】
一実施形態では、ビームコンバイナは、限定ではないが、接眼レンズ組立体から、少なくとも１４０ｍｍ、又は少なくとも１４５ｍｍ、又は少なくとも１５０ｍｍ、又は少なくとも１５５ｍｍを含む距離に位置決めされる。
【０１９１】
更に別の実施形態では、主本体はビームコンバイナを有し、ビームコンバイナは、スコープ本体の外側中央部の仰角ターレットの下に位置付けられる。
【０１９２】
一実施形態では、ビームコンバイナは、依然として直接観察光学機器の経路に良好な透過性透明品質を提供しながら、統合表示システムからのアクティブディスプレイ出力又はその少なくとも一部分を観察軸上に反射させて接眼レンズの観察者の目に向け直す、部分反射コーティング又は表面を有することができる。
【０１９３】
一実施形態では、ビームコンバイナは、部分反射コーティングを備えた光学ガラス又はプラスチック材料などの光学材料で作られた立方体とすることができる。コーティングは、均一で中間色の反射コーティングとすることができ、或いは、接眼レンズ内の透過特性と反射特性の両方を最適化するために、偏光性、スペクトル選択性又はパターン付きのコーティングで適合させることができる。コーティングの偏光及び／又は色は、アクティブディスプレイに調和させることができる。これにより、直接観察光学機器の伝達経路への影響を最小限に抑えながら、表示光路の反射率及び効率を最適化することができる。
【０１９４】
ビームコンバイナを立方体として示すが、一部の実施形態では、ビームコンバイナは、統合表示システム用の異なる光路長と、観察光軸Ａに沿った直接観察光学機器とを有することができる。一部の実施形態では、ビームコンバイナは平板の形態とすることができ、その場合、光軸Ａを横切る直接観察光学機器の経路内に薄い反射性／透過性の平板を挿入することができる。
【０１９５】
一実施形態では、ビームコンバイナの位置は、視差による誤差を含むがこれに限定されない誤差を除去するために、反射材料と関係して調整することができる。ビームコンバイナの位置は、ねじシステム、くさびシステム、又は何れか他の適切な機構を用いて調整することができる。
【０１９６】
一実施形態では、ビームコンバイナの位置は、限定ではないが、視差による誤差を含む誤差を除去するために、正立チューブと関係して調整することができる。
【０１９７】
２．視差システム
一実施形態では、主本体は視差調整システムを有する。一実施形態では、視差調整システムは、フォーカスセルを視差調整要素に接続するためのデバイスを使用する。
【０１９８】
一実施形態では、本明細書で開示される観察光学機器は、従来のフォーカスセルと比べて対物レンズ端部に近接して位置付けられるフォーカスセルと、従来はフォーカスセルで占められていたスペース内に位置付けられるビームコンバイナとを備えた主本体を有する。一実施形態では、接続要素がフォーカスセルを視差調整要素に接続する。
【０１９９】
典型的なライフルスコープでは、図５Ａ及び図５Ｂに示すように、視差ノブ５１０は、視差ノブ内のカム溝５３０に乗る単純なクロスピン５２０を介してフォーカスセルに接続され、視差ノブの回転運動をフォーカスセル内の直線運動に変換する。しかしながら、本明細書で開示される幾つかの実施形態では、フォーカスセルは対物レンズ側に向けてシフトされ、従って、フォーカスセルを視差調整要素に接続するために接続デバイスが必要とされる。
【０２００】
視差調整システムは、アクティブディスプレイの像と観察光学機器の主本体内のレチクルとの視差誤差を除去又は低減することができる。本明細書で開示される視差調整システムにより、デジタルディスプレイの像と外部シーンの像とを視差誤差なしで光学系の第１の焦点面（ＦＦＰ）に統合させる観察光学機器が可能となる。
【０２０１】
別の実施形態では、フォーカスセルは、従来のライフルスコープのフォーカスセルと比べて主本体の対物レンズ側に近接して位置付けられる。一実施形態では、フォーカスセルは、従来のライフルスコープのフォーカスセルと比べて、約５ｍｍから約５０ｍｍだけ対物レンズに近接してシフトされる。一実施形態では、フォーカスセルは、従来のライフルスコープのフォーカスセルと比べて、少なくとも２０ｍｍだけ対物レンズに近接してシフトされる。一実施形態では、フォーカスセルは、従来のライフルスコープのフォーカスセルと比べて、少なくとも１０ｍｍだけ対物レンズに近接してシフトされる。更に別の実施形態では、フォーカスセルは、従来のライフルスコープのフォーカスセルと比べて、５０ｍｍ以下だけ対物レンズに近接してシフトされる。一実施形態では、フォーカスセルは、Ｖｏｒｔｅｘ  Ｄｉａｍｏｎｄｂａｃｋライフルスコープ、Ｖｏｒｔｅｘ  Ｖｉｐｅｒライフルスコープ、Ｖｏｒｔｅｘ  Ｃｒｏｓｓｆｉｒｅライフルスコープ、Ｖｏｒｔｅｘ  Ｒａｚｏｒライフルスコープにおけるフォーカスセルの位置と比べて、３０ｍｍだけ対物レンズ組立体に近接してシフトされる。
【０２０２】
一実施形態では、フォーカスセルは、従来のライフルスコープのフォーカスセルと比べて、限定ではないが、１５、１６、１７、１８、１９、２０、２１、２２、２３、２４、２５、２６、２７、２８、２９、３０、３１、３２、３３、３４、３５、３６、３７、３８、３９、及び４０ｍｍを含む距離だけ観察光学機器の対物レンズ側に近接してシフトされる。
【０２０３】
一実施形態では、１つのデバイスが、シフトされたフォーカスセルを調整ノブに接続する。一実施形態では、このデバイスにより、フォーカスセル内に位置付けられる視差調整レンズの遠隔配置が可能となる。一実施形態では、機械式デバイスは、プッシュロッド、ロッド、又はシャフトである。
【０２０４】
一実施形態では、ロッドは、長さが約５ｍｍから約５０ｍｍである。一実施形態では、ロッドは、長さが少なくとも２０ｍｍである。一実施形態では、ロッドは、長さが少なくとも１０ｍｍである。更に別の実施形態では、ロッドは、長さが５０ｍｍ以下である。
【０２０５】
一実施形態では、ロッドは、長さが１５、１６、１７、１８、１９、２０、２１、２２、２３、２４、２５、２６、２７、２８、２９、３０、３１、３２、３３、３４、３５、３６、３７、３８、３９、及び４０ｍｍである。
【０２０６】
図５Ｃ〜５Ｆは、本開示の一実施形態による観察光学機器の主チューブ２１０における視差調整システムの代表的な概略図である。図５Ｃに示すように、ロッド又はシャフトなどのデバイス５３０は、観察光学機器の対物レンズ端部に近接して動かされたフォーカスセル（視差レンズ）５３５を、視差調整ノブ組立体内の視差カムトラックピン５４０に接続する。視差レンズのシフトされた位置は、第１の焦点面の前方にプリズムレンズに必要なスペースを提供する。接続ロッドの一端部はフォーカスセルに繋がれ、接続ロッドの他端部はカムピンに繋がれる。
【０２０７】
図５Ｄは、デバイス５３０が、視差レンズを有するフォーカスセル５３５を、視差調整アセンブリ５５０のカムトラック５４５に乗る視差カムトラックピン５４０に接続するところを示している。一実施形態では、視差調整組立体５５０は、カムピンを移動させて視差レンズを調整するための回転可能な要素を有する。
【０２０８】
図５Ｅに示すように、ビームコンバイナ（プリズムレンズ）用に観察光学機器の主本体内のスペースを提供するために、フォーカスセルは対物レンズ組立体に近接してシフトされる。従って、フォーカスセルを視差ノブ組立体に接続するための機構が必要とされる。接続デバイス５３０は、視差ノブ組立体５６０のカム溝に乗るカムピン５４０にフォーカスセルを接続する。
【０２０９】
図５Ｆに示すように、カムピン５４０は、視差ノブ組立体５６０のカム溝５４５に乗り、視差ノブ組立体を介したフォーカスセルの調整を可能にする。
【０２１０】
一実施形態では、視差レンズを有する、主本体内のシフトされたフォーカスセルは、対物レンズ系の第１の焦点面の前方にビームコンバイナを統合するためのスペースを提供する。
【０２１１】
一実施形態では、本明細書で開示されるライフルスコープの主本体内のビームコンバイナは、従来のライフルスコープでフォーカスセルが通常取り付けられるスペースに位置付けられる。
【０２１２】
一実施形態では、本開示は、以下を備えた観察光学機器に関する：ａ）主チューブ；（ｂ）主チューブの第１の端部に結合された対物レンズ系；（ｃ）主チューブの第２の端部に結合された接眼レンズ系；（ｄ）対物レンズ系とビームコンバイナの間に位置付けられるフォーカスセルであって、ビームコンバイナがフォーカスセルと第１の焦点面レチクルの間に位置決めされるフォーカスセル；並びに（ｅ）フォーカスセルを視差調整要素に接続するロッド。一実施形態では、ロッドがフォーカスセルを視差調整要素のカムピンに接続する。一部の実施形態では、視差調整要素はノブを有する。
【０２１３】
３．倍率追跡システム
一実施形態では、本開示は、観察光学機器と、観察光学機器の倍率設定を追跡するための方法とに関するものであり、追跡機構の構成要素は、信頼性が高く、操作者にとって完全に透明であり、環境から保護される。
【０２１４】
レチクルが第１の焦点面にある時、レチクルは正立系の前方にあり、従ってレンズ位置の変化と比例して変化し、拡大像を生成する。正立系は、接眼レンズハウジング近くのライフルスコープの外側部分に位置付けられる倍率リングを使用して位置を変える。一般的に、倍率リングは外側正立スリーブにねじで接続され、倍率リングを回すと外側正立スリーブを倍率リングと共に回転させ、カム溝が正立系に設置されたズームレンズの位置を変化させる。デジタル像を第１の焦点面に投影する場合、デジタル像を利用可能にするには、レチクルの尺度でこの像を拡大縮小することが必要である。
【０２１５】
倍率調整機構は、変倍レンズ又はズームレンズ要素に繋がれ、遠方対象物の像の光学倍率を調整する機能を提供する。
【０２１６】
一実施形態では、そして図６に示すように、ポテンショメータのワイパ６１０は、外側正立スリーブ６２０の外径上に位置付けられる。ポテンショメータのワイパは、ライフルスコープの主本体２１０の内径上に位置付けられる膜ポテンショメータ７１０と接触する（図７参照）。
【０２１７】
図８に示すように、一実施形態では、ポテンショメータのワイパ６１０は、膜ポテンショメータ７１０との接触を確実に維持するために、２つの接触点を備えた薄板バネである。薄板バネは、外側正立スリーブ６２０と内側正立チューブとの間に位置付けられる。ポテンショメータのワイパ６１０は、ライフルスコープの内径上で、倍率リングのスロットねじ８２０の対向する内壁に位置付けられる。ポテンショメータのワイパ６１０は、接着剤を用いてスコープチューブの側面内側に固定される。
【０２１８】
一実施形態では、ポテンショメータのワイパは、外側エレクトスリーブの外径上に完全に平らに横たわる機能を有する。一実施形態では、ポテンショメータのワイパは、外側正立スリーブの内部に配置される。
【０２１９】
一実施形態では、ポテンショメータのワイパは、図８の倍率リング８１０上に配置されない。
【０２２０】
本明細書で開示される倍率追跡システムは内部に設置されて、どの部分も環境に曝されず、これは幾つかの利点を提供する。第１に、このシステムは内部にあり、その結果、環境からワイパ／正立系を保護するために密封が必要とされない。第２に、正立系がライフルスコープに設置された時に、倍率追跡システムが完成する。これにより、倍率リングの外側にあるネジ穴を介してデブリがこのシステム内に入る可能性がなくなる。
【０２２１】
一実施形態では、本開示は、観察光学機器の倍率設定を追跡するためのシステムに関し、このシステムは、センサと、様々な光学反射率／吸収率を有する材料とを使用する。一実施形態では、センサは観察光学機器のベースに設置され、ベースは、観察光学機器の主本体と結合し、材料は、観察光学機器の主本体に位置付けられる。
【０２２２】
一実施形態では、本開示は、正立レンズ系を有する正立チューブを備えた主本体と、正立チューブを取り囲む又は封じ込めるカムチューブ又はスリーブと、カムチューブに結合された様々な光学反射率／吸収率を備える材料と、主本体に結合されたベースとを有する観察光学機器に関し、ベースは、統合表示システムと、材料からの光学反射／吸収を検出するためのフォトセンサとを有する。一実施形態では、ベースは、フォトセンサと通信するためのプリント回路基板又はマイクロプロセッサと、１又は２以上のマイクロコントローラ又は電子コントローラとを有する。
【０２２３】
一実施形態では、観察光学機器は、像の光学倍率を調整するための倍率調整リングを備えた主本体と、主本体に結合されて、統合表示システムと、マイクロプロセッサと、観察光学機器の倍率設定をマイクロプロセッサに伝達するシステムとを有するベースと、を有し、マイクロプロセッサは、統合表示システムのアクティブディスプレイと通信する。
【０２２４】
一実施形態では、本開示は、光学機械システムの可動部品と感知デバイスとの間に機械的リンクを有さない観察光学機器の倍率設定を追跡するためのシステムに関する。本明細書で開示される倍率追跡システムは、観察光学機器の主本体に結合されたベースに埋め込まれ、システムの静止部品と可動部品との間に機械的リンクを有さない。
【０２２５】
一実施形態では、本開示は、正立チューブが正立レンズ組立体を収容し、カムスリーブが正立チューブを取り囲んで様々な光学反射率／吸収率を備えた材料を有する主本体と、主本体に結合されたベースとを有する観察光学機器に関するものであり、ベースはフォトセンサを有する。一実施形態では、様々な光学吸収率／反射率を備えた材料は、主本体の倍率調整リング近くのカムスリーブの端部でカムスリーブを取り囲む。一実施形態では、フォトセンサは、カムスリーブ上の様々な光学吸収率／反射率を備えた材料の下に位置付けられる。
【０２２６】
操作者／ユーザが観察光学機器の倍率調整リング２１２を回すと、外側カムスリーブが回転して２つのレンズセルが移動し、これによりライフルスコープの有効光学倍率が変わる。
【０２２７】
一実施形態では、カムスリーブは、様々な光学吸収率／反射率を備えた材料を有する。一実施形態では、この材料はカムスリーブの外径に貼り付けられる。
【０２２８】
一実施形態では、材料は材料のストリップである。一実施形態では、材料は、幅約１０ｍｍ、長さ約４０ｍｍである。一実施形態では、材料の第１の側は、外側カムスリーブに取り付けるために使用される接着剤を有する。別の実施形態では、ストリップの他方の側は、その上に印刷されたグレースケール勾配を有するので、ＬＥＤをこれに向けた場合、ＬＥＤに曝されている傾斜の部分に応じて異なる量の光が反射される。
【０２２９】
一実施形態では、ＰＣＢはＬＥＤとフォトセンサとを有する。一実施形態では、ＬＥＤ及びフォトセンサは、外側カムスリーブの外径に取り付けられた傾斜ストリップの下に位置付けられる。ＬＥＤが傾斜ストリップを照らし、フォトセンサは傾斜ストリップから反射された光の一部分を受け取って、マイクロコントローラに信号を送ることができ、この場合、信号の強さは検出された光の量と共に変化する。
【０２３０】
操作者が倍率調整リングを回すと、傾斜ストリップの異なる部分がＬＥＤ及びフォトセンサに曝され、今度はフォトセンサが、マイクロコントローラに送る信号強度を変化させる。従って、システムの光学倍率設定は、これをフォトセンサによって検出された光の量と関係付けることで追跡可能である。
【０２３１】
図６５は、主本体６５０２と、主本体６５０２に結合されたベース６５０５とを有する１−８ｘライフルスコープ６５００の側面図を示す。画像の右側には、倍率調整リング６５１０が見える。
【０２３２】
図６６は、スコープの本体を隠して外側カムスリーブ６６１０を露わにしたライフルスコープ６５００の側面図を示しており、外側カムスリーブ６６１０は倍率調整リング６５１０と共に回転し、これにより倍率設定が変更される。
【０２３３】
図６７は、主本体の外側カムスリーブに取り付けられた反射性傾斜材料の位置を測定するのに使用されるフォトセンサ及びＬＥＤ６７２０を含む、プリント回路基板６７１０を備えた観察光学機器６５００のベース６５０５を示す。外側カムスリーブ及び関連する光学系は、この画像では隠されている。
【０２３４】
図６８は、フォトセンサに対する受光角を説明するために模擬視円錐を描いた、プリント回路基板６７１０のフォトセンサ及びＬＥＤの代表的な分解図である。
【０２３５】
図６９及び７０は、観察光学機器の倍率設定値を測定するために外側カムスリーブ６６１０に取り付けられた反射性傾斜ストリップ６９１０と連動するフォトセンサ及びＬＥＤ６７２０の画像である。これは、異なる反射率の４つの特定区画を有する傾斜ストリップ６９１０を示すが、このストリップは、その反射率が無限に変化し得ることに留意されたい。傾斜ストリップ６９１０は、倍率調整リングの近くに位置付けられるカムスリーブの一部分でカムスリーブに結合する。プリント回路板６７１０は、観察光学機器の主本体と結合するベース６５０５内に位置付けられる。プリント基板６７１０上のＬＥＤ及びフォトセンサ６７２０は、傾斜ストリップ６９１０の下方に位置付けられる。
【０２３６】
一実施形態では、本開示は、第１の端部及び第２の端部を備え、中心軸を有する主本体と、本体内に配置された対物レンズ系と、本体内に配置された接眼レンズと、主本体内に配置され、正立レンズ系を有する正立チューブと（対物レンズ系、接眼レンズ及び正立レンズ系が、第１の焦点面及び第２の焦点面を有する光学系を形成し、第１の焦点面は対物レンズ系に近接し、第２の焦点面は接眼レンズに近接する）、像の光学倍率を調整するために倍率調整リングと協働して移動する正立チューブを取り囲むカムスリーブであって、様々な光学吸収率／反射率を備える材料がカムスリーブに結合されたカムスリーブと、
主本体に結合され、材料からの光を検出するフォトセンサと、フォトセンサと通信するマイクロプロセッサと、マイクロプロセッサと通信し、倍率設定に基づいて像を生成し、生成された像を観察光学機器の第１の焦点面に投影する、アクティブディスプレイとを有するベースと、を備える観察光学機器に関する。一実施形態では、アクティブディスプレイから生成画像は、フォトセンサから得られた信号に基づいている。
【０２３７】
倍率設定をマイクロプロセッサに伝達するステップは、限定ではないが、倍率設定に基づいてレチクルパターンを変更するステップと、倍率の変化に応じて英数字情報のフォントサイズを自動的に変更するステップとを含む、多くの利点を有する。更に、複数の表示「ページ」がメモリシステムに保存される場合、マイクロコントローラは、操作者に最も関連のあるデータを提示するために、倍率設定に応じて「表示」ページを自動的に切り替えることができる。
【０２３８】
４．追加の構成要素
一実施形態では、観察光学機器は、ライフルスコープと一体化されたボタン又は外部に取り付けられたボタンで制御することができる。
【０２３９】
一実施形態では、観察光学機器の主本体は、カメラシステムを有することができる。
【０２４０】
一実施形態では、観察光学機器の主本体は、１又は２以上の計算システムを有することができる。後述する統合表示システムは計算システムと通信する、又は別な方法で計算システムと関係することができる。一部の実施形態では、計算システムは、観察光学機器の第１ハウジング又は本体内に収容することができる。一部の実施形態では、計算システムを観察光学機器の外側部分に結合することができる。
【０２４１】
図９は、本開示の一実施形態による観察光学機器の様々な電子部品のブロック図である。電池９０２は、計算システム又は制御モジュール９０４とアクティブディスプレイ９０６に電力を供給することができる。一実施形態では、計算システム９０４は、限定ではないが、ユーザインタフェース９０８、データ入力デバイス９１４、プロセッサ９１０、メモリ９１６、及び１又は２以上のセンサ９１２を含むことができる。
【０２４２】
一実施形態では、ユーザインタフェース９０８は、ボタン、キー、ノブ、タッチスクリーン、ディスプレイ、スピーカ、マイクロフォンなど、複数の入力デバイス及び／又は出力デバイスを含むことができる。例えばボタンなど、ユーザインタフェースの一部の構成要素は、例えば、風データ、表示強度データ、レチクル強度データ、弾道プロファイルデータ、弾道係数データ、銃口速度データ、初期ゼロインデータ、ライフルスコープシステムの静止状態、ＧＰＳ座標データ、コンパス座標データ、サイト・アバブ・ボアデータなどのデータを手動入力するために使用することができる。このデータは、プロセッサによって受信され、メモリに保存することができる。このデータはまた、アルゴリズム内で又はアルゴリズムを実行するためにプロセッサによって使用することができる。
【０２４３】
データ入力デバイス９１４は、有線又は無線の通信デバイスを含むことができ、及び／又は、例えばＵＳＢポート、ミニＵＳＢポート、メモリカードスロット（例えば、ｍｉｃｒｏＳＤスロット）、ＮＦＣトランシーバ、Ｂｌｕｅｔｏｏｏｔｈ（登録商標）トランシーバ、Ｆｉｒｅｗｉｒｅ、ＺｉｇＢｅｅｅ（登録商標）トランシーバ、Ｗｉ-Ｆｉトランシーバ、８０２．６デバイス、セルラ通信デバイスなど、あらゆるタイプのデータ転送技術を含むことができる。データ入力デバイスと呼ばれるが、このようなデバイスは双方向通信で使用され、データ出力も同様に提供できることに留意されたい。
【０２４４】
一実施形態では、プロセッサ９１０は、入力を受信し、アルゴリズム及び／又は処理を実行することができる、本技術分野で公知のあらゆるタイプのプロセッサとすることができ、限定することなく、１又は２以上の汎用プロセッサ及び／又は１又は２以上の専用プロセッサ（例えば、デジタル信号処理チップ、グラフィックスアクセラレーションチップなど）を含むことができる。プロセッサを用いて、ライフルスコープの操作における様々な処理、アルゴリズム、及び／又は方法を制御することができる。プロセッサは、表示システム及び／又はレチクルの動作を制御することができる。プロセッサはまた、ユーザインタフェース、データ入力、メモリ、センサ（複数可）、調整可能な構成要素（例えば、垂直調整ノブ、ウィンデージ調整ノブ又は視差ダイヤル）の位置と関係付けられた位置エンコーダから、及び／又は他のソースから入力を受信することができる。
【０２４５】
一実施形態では、メモリ９１６は、ランダムアクセスメモリ（「ＲＡＭ」）及び／又は読出し専用メモリ（「ＲＯＭ」）などのあらゆるタイプのデジタルデータ記憶装置を含むことができ、これらはプログラム可能、フラッシュ更新可能などとすることができる。別の実施形態では、メモリは、例えばディスクドライブ、ドライブアレイ、光記憶デバイス、又は固体記憶デバイスを含めて、外部接続デバイス由来のメモリを含むことができる。一部の実施形態では、メモリは、例えば弾丸が所与の距離にわたって落下する量及び／又は弾丸の水平方向逸れを修正するために、使用可能なデータを含む弾道情報を保存するように構成することができる。
【０２４６】
データは、別のデバイスから入力し（例えば、プロセッサは、コンピュータ、ラップトップ、ＧＰＳデバイス、測距計、タブレット、又はスマートフォンなどの別デバイスから入力可能なデータを、データ入力デバイスを介して受信することができる）、メモリに保存することができる。このようなデータには、例えば、較正データ、回転データ及び／又は線形データをシュート・トゥ・レンジ値と相互参照する弾道プロファイル探索表、ライフル銃データ、発射体データ、ユーザデータなどを含めることができる。
【０２４７】
センサ（複数可）９１２を用いて、ライフルスコープの使用に関連する様々な環境条件又は特性の何れかを感知することができる。例えば、センサ（複数可）は、大気状態（湿度、温度、圧力など）、傾斜、ライフルカント、及び／又はライフル銃の照準方向（コンパス方向）を感知することができる。幾つものセンサを含むことができる。 センサデータは、プロセッサによって記録されてメモリに保存され、及び／又は観察光学機器の動作に対する命令の処理に使用することができる。
【０２４８】
制御モジュール９０４はまた、ソフトウェア要素を含むことができ、この要素は作業メモリ９１６内に位置付けられることができる。ソフトウェア要素は、オペレーティングシステム、及び／又は１又は２以上のアプリケーションプログラムなどの他のコードを含むことができる。
【０２４９】
一実施形態では、カメラは制御モジュールと通信することができる。
【０２５０】
Ｂ．第２ハウジング
一実施形態では、第２ハウジングは、第１ハウジングに結合され、統合表示システムを収容する。一実施形態では、第２ハウジングは、観察光学機器の主本体の一部分に結合されたベースである。一実施形態では、ベースは観察光学機器の主本体から分離可能である。
【０２５１】
一実施形態では、第２ハウジングは、手ぶれ補正デバイスではない。一実施形態では、統合表示システムを有するベースの長さは、ベースが結合されるライフルスコープの主本体の長さの３５％から７０％である。更に別の実施形態では、統合表示システムを有するベースの長さは、ベースが結合されるライフルスコープの主本体の長さの４０％から６５％である。更に別の実施形態では、統合表示システムを有するベースは、ベースが結合されるライフルスコープの主本体の長さの６５％以下である。
【０２５２】
一実施形態では、ライフルスコープの主本体は、統合表示システムを有するベースの長さの約２．５倍である。更に別の実施形態では、ライフルスコープの主本体は、統合表示システムを有するベースの長さの１．５倍から２．５倍である。更に別の実施形態では、ライフルスコープの主本体は、統合表示システムを有するベースの長さの少なくとも１．５倍である。
【０２５３】
図２に示すように、ベース２２０をライフルスコープのスコープ本体２１０にボルトで固定して、完全に密閉され一体化されたシステムを形成することができる。その場合、ベース２２０は、従来のライフルスコープリングを必要とせずに、銃器に直接取り付けることができる。
【０２５４】
図１０は、主本体２１０とベース２２０とを備えたライフルスコープ２００の上面図を表示している。図１０は、ベース２２０によって、ライフルスコープが何れかの位置で突き出る、又は従来のライフルスコープと不釣り合いとなることがないことを明示する。主本体とベースとを有する本明細書で開示されるライフルスコープは、ライフルスコープの伝統的でスマートなデザインを維持している。
【０２５５】
図１１は、ライフルスコープの主本体２１０に取り付けられたベース２２０を示す。ベース２２０は、主本体２１０の外縁と整列し且つ面一である。
【０２５６】
一実施形態では、そして図２に示すように、統合表示システムを有するベースは、ライフルスコープ本体２１０の底部側に結合され、ベースの一端部が主本体２１０の倍率選択リング又は倍率リング２１２付近で結合し、ベースの他端部が主本体の対物レンズ組立体２１４の始点付近で結合する。一実施形態では、ベース２２０は、ねじ付き留め具、ねじなし一体式及び非一体式の位置決め及び反動伝達特徴、及びエラストマシールによって主本体２１０に結合される。
【０２５７】
一実施形態では、ベースは、デジタルディスプレイを生成するために必要な構成要素で区画され、次いでベースをライフルスコープの主本体にボルトで固定し、完全に密閉され一体化されたシステムを形成することができる。
【０２５８】
一実施形態では、ベースとスコープの主本体は、密閉され一体化されたシステムである。一実施形態では、ベースは、容易に取り外せるように設計されたクランプを使用せずに主本体に結合される。
【０２５９】
一実施形態では、主本体と主本体に結合されたベースとを有する観察光学機器は、従来のライフルスコープリングを必要とせずに銃器に結合させることができる。一実施形態では、観察光学機器は、主本体と主本体に結合されたベースとを有し、ベースの底部側は取り付けレールを有する。
【０２６０】
一実施形態では、観察光学機器のベースは、所望の銃器、機器又はデバイスに取り付けるための取り付けレールを含むことができ、光学機器の仰角位置を調整するための仰角調整ドラムを含む調整機構を有することができる。側方調整機構もまた、横方向の調整のために一般的に設けられる。これらの調整機構は、保護キャップで覆うことができる。
【０２６１】
一実施形態では、ベースの上側は観察光学機器の主本体の底部側に結合し、ベースの底部側は取り付けレールを有する。一実施形態では、ベースの上側は、観察光学機器の主本体の底部側の側方分割部に結合する。
【０２６２】
一実施形態では、ベースは、アクティブディスプレイを用いて像を生成し、生成された像をディスプレイ光軸に沿って導いて、生成された像を外部シーンの像と同時に重ね合わせて観察するようにするための統合表示システムを備え、生成された像は、観察光学機器の主本体の第１の焦点面に導入される。
【０２６３】
一実施形態では、ベースは、レーザ測距計デバイスとは分離して別個のものである。一実施形態では、ベースはレーザ測距計デバイスから独立した装置である。
【０２６４】
一実施形態では、第２ハウジング又はベースは、付加装備品ではない。別の実施形態では、第２ハウジング又はベースは、観察光学機器の接眼レンズに隣接した付加装備品としてアダプタで結合されない。
【０２６５】
一実施形態では、第２ハウジング又はベースは、エンドユーザでは主本体から分離することができない。実施形態では、第２ハウジング又はベースは、複数又は他の観察光学機器と置き換えできない。
【０２６６】
一実施形態では、本開示は、第１の光学系備えた主本体と、主本体に結合されて、統合表示システムなどの第２の光学系を有するベースと、を有する観察光学機器と、レーザ測距計デバイスとを備えたシステムに関する。
【０２６７】
１．統合表示システム
一実施形態では、第２ハウジングは統合表示システムを備える。別の実施形態では、ベースは統合表示システムを備える。更に別の実施形態では、統合表示システムを有するベースは、ライフルスコープの主本体に結合される。更に別の実施形態では、ベースは、ライフルスコープの主本体の底部に結合される。
【０２６８】
一実施形態では、ベースは、アクティブディスプレイと、集光器光学機器と、限定ではないが、ミラーを含む反射材料と、を備える統合表示システムを有する。一実施形態では、統合表示システムは、以下のアーキテクチャを有する：アクティブディスプレイ、次いで集光器光学機器、次いでミラーなどの反射材料が来る。
【０２６９】
図１２は、観察光学機器の主本体に結合されるベース２２０の上面破断図である。ベース２２０は、マイクロディスプレイ１２１０と、集光器光学機器１２２０と、ミラー１２３０とを有する統合表示システムを備える。一実施形態では、ミラー１２３０は、何れかの適切な角度に位置決めすることができる。
【０２７０】
図１３は、マイクロディスプレイ１２１０と、集光器光学機器１２２０と、ミラー１２３０とを有する統合表示システムを備えたベース２２０の切り欠き側面図である。主本体２１０は、ミラー１２３０の上方に位置付けられるビームコンバイナ３２０を有する。
【０２７１】
図１４は、主本体２１０と分離可能なベース２２０とを有するライフルスコープの切り欠き側面図を示す。ベース２２０は、マイクロディスプレイ１２１０と、集光器光学機器１２２０と、ミラー１２３０とを備える。ミラー１２３０は、約４５度に位置決めされる。スコープ本体２１０は、角度付きミラー１２３０のほぼ上方に位置付けられるビームコンバイナ３２０を有する。ビームコンバイナ３２０は、スコープ本体２１０の仰角調整ノブ１４１０のほぼ下方に位置付けられる。アクティブディスプレイ１２１０は、ベース２２０が観察光学機器の主本体２１０に結合された場合に、ベース内で接眼レンズ組立体側１４２０に位置付けられる。
【０２７２】
図１５に示すように、マイクロディスプレイ１２１０から生成された像は、ディスプレイ光軸Ａから観察光軸Ａに向けて、ミラー１２３０を介して主本体２１０内のビームコンバイナ３２０に向け直され、そのデジタル像を、光学機器を通して観察者が観察したシーンの像の上へ、第１の焦点面１５１０内で同時に重畳する又は重ね合わせるようにすることができる。ビームコンバイナ３２０は第１の焦点面１５１０より前に位置決めされ、結合された像は第１の焦点面に合焦するので、表示された像と観察された像とが互いに対して移動しない。これは、第２の焦点面に像を導入するデバイスと比べて大きな進歩である。
【０２７３】
一実施形態では、図１６に示すように、アクティブディスプレイ１２１０は、ベースがライフルスコープの主本体に結合されている場合、ライフルスコープの主本体の接眼レンズ組立体と比べて対物レンズ組立体２１４に最も近いベースの部分に位置している。ライフルスコープの主本体は、アナログレチクル１６１０を有する。
【０２７４】
図１７は、ビームコンバイナ３２０を備えた主本体２１０と、主本体に結合され、統合表示システムを有するベース２２０とを備えたライフルスコープ２００を示す。図１７示すように、アクティブディスプレイ１２１０は、ベースがライフルスコープの主本体に結合されている場合、ライフルスコープ本体の対物レンズ組立体と比べて接眼レンズ組立体に最も近いベースの部分に位置している。統合表示システムからの像を第１の焦点面に重畳することにより、ユーザは、従来のガラスエッチング式レチクル１６１０を照準目的に依然として使用することできる。
【０２７５】
一実施形態では、統合表示システムは、アクティブディスプレイから生成された像をディスプレイ光軸Ａに沿って導くことができる。生成された像をディスプレイ光軸Ａからベース内のミラーへ、そしてライフルスコープの主本体内のビームコンバイナに向け、主本体の光学系を介して観察者が観察するシーンの像の上にその生成された像を同時に重畳する又は重ね合わせるようにすることができ、この場合、結合された像は、主本体の光学系の第１の焦点面に導入される又は合焦する。
【０２７６】
一実施形態では、ベース内のアクティブディスプレイから生成された像は、ライフルスコープ本体の第１の焦点面に合焦し、これにより、ディスプレイから生成された像は、外部に取り付けられた装備品との位置合わせを維持することができる。
【０２７７】
一実施形態では、ベース内のアクティブディスプレイから生成された像は、ライフルスコープの主本体の第１の焦点面に合焦するので、生成された像は、正立チューブの移動に束縛されない。生成された画像は、正立チューブの移動とは関係しない。
【０２７８】
一実施形態では、アクティブマイクロディスプレイからの光は、光学レンズ群によって集められる。ディスプレイからの光は、ライフルスコープ主チューブ組立体内のビームコンバイナに反射され、ライフルスコープの第１の焦点面と一致するディスプレイの像が形成される。このディスプレイ像は、シーン（標的）による像と結合され、従来のワイヤレチクル又はガラスエッチング式レチクルの「表面下」にあるように知覚される。一実施形態では、依然として利用されている「従来の」レチクルが、シーンの像とディスプレイの像の両方を塞ぐ。ディスプレイの輝度が十分な輝度レベルまで上昇すると、ＯＬＥＤディスプレイの像がシーンの像を満たして、シーンも同様に塞ぐように見えることになる。
【０２７９】
更に別の実施形態では、ベース内の統合表示システムは、生成された像を、ディスプレイ光軸「Ｂ」に沿って、ライフルスコープの主本体内の観察光軸Ａの上に導くことができる。生成された像は、ベース内のミラー又は類似の反射材料を備えたディスプレイ光軸Ｂから主本体内の観察光軸Ａに向けて、主本体内のビームコンバイナへ向け直すことができ、これにより、生成された像を、主本体の光学機器を通して観察者が観察するシーンの像の上に同時に重畳する又は重ね合わせることができる。ベース内のアクティブディスプレイから生成された像はミラーに導かれ、このミラーは、生成された像をビームコンバイナに反射させる。
【０２８０】
一実施形態では、ディスプレイ光軸「Ｂ」と観察光軸「Ａ」は実質的に平行であるが、別の実施形態では、必要に応じて別様に配向することができる。
【０２８１】
Ａ．アクティブディスプレイ
一実施形態では、統合表示システムはアクティブディスプレイを有する。一実施形態では、アクティブディスプレイは、マイクロコントローラ又はコンピュータによって制御される。一実施形態では、アクティブディスプレイは、ディスプレイにビデオ信号を出力するための統合グラフィックスコントローラを備えたマイクロコントローラによって制御される。一実施形態では、情報は、無線で又はケーブルポートを介した観察光学機器内への物理的接続によって、送信することができる。更に別の実施形態では、多数の入力ソースをマイクロコントローラに入力し、アクティブディスプレイ上に表示することができる。
【０２８２】
一実施形態では、アクティブディスプレイとビームコンバイナは、同じハウジング内に設置されない。一実施形態では、アクティブディスプレイとビームコンバイナは、別々のハウジング内に設置される。
【０２８３】
一実施形態では、アクティブディスプレイは、限定ではないが、マイクロディスプレイ、透過型アクティブマトリックスＬＣＤディスプレイ（ＡＭＬＣＤ）、有機発光ダイオード（ＯＬＥＤ）ディスプレイ、発光ダイオード（ＬＥＤ）ディスプレイ、電子インクディスプレイ、プラズマディスプレイ、セグメントディスプレイ、電子発光ディスプレイ、表面伝導型電子放出ディスプレイ、量子ドットディスプレイなどを含む、反射型、透過型又は発光型のマイクロディスプレイとすることができる。
【０２８４】
一実施形態では、ＬＥＤアレイはマイクロピクセル化ＬＥＤアレイであり、ＬＥＤ素子は、概ね７５μｍ未満の小さなピクセルサイズを有するマイクロピクセル化ＬＥＤ（本明細書ではマイクロＬＥＤ又はμＬＥＤとも呼ぶ）である。一部の実施形態では、ＬＥＤ素子は各々、約８μｍから約２５μｍの範囲のピクセルサイズを有し、約１０μｍから約３０μｍの範囲のピクセルピッチ（マイクロＬＥＤアレイの垂直方向と水平方向の両方で）を有することができる。一実施形態では、マイクロＬＥＤ素子は、約１４μｍの均一なピクセルサイズを有し（例えば、全てのマイクロＬＥＤ素子が小さな許容誤差内で同じサイズである）、約２５μｍの均一なピクセルピッチでマイクロＬＥＤアレイに配置される。一部の実施形態では、ＬＥＤ素子は各々、約２５μｍ以下のピクセルサイズと、約３０μｍ以下のピクセルピッチを有することができる。
【０２８５】
一部の実施形態では、マイクロＬＥＤは無機であり、窒化ガリウム発光ダイオード（ＧａＮ  ＬＥＤ）をベースとすることができる。マイクロＬＥＤアレイ（グリッド又は他の配列に配置された多数のμＬＥＤを備える）は、外部のスイッチングシステム又はフィルタリングシステムに基づかない、高密度で発光型のマイクロディスプレイを提供することができる。一部の実施形態では、ＧａＮベースのマイクロＬＥＤアレイを透明なサファイア基板上に成長させる、接合する、又は別の方法で形成することができる。
【０２８６】
一実施形態では、サファイア基板は、マイクロＬＥＤの内部量子効率及び光抽出効率を高める（すなわち、マイクロＬＥＤの表面からより多くの光を抽出する）ために、テクスチャ化される、エッチングされる、又は別の方法でパターニングされる。別の実施形態では、パターニングされたサファイア基板上に銀のナノ粒子を堆積／分散させて、マイクロＬＥＤを接合する前に基板を被覆し、ＧａＮベースのマイクロＬＥＤ及びマイクロＬＥＤアレイの光効率と出力電力を更に向上させることができる。
【０２８７】
一実施形態では、アクティブディスプレイはモノクロとすることができ、或いはフルカラーを提供することができ、一部の実施形態ではマルチカラーを提供することができる。別の実施形態では、他の適切な設計又はタイプのディスプレイを採用することができる。アクティブディスプレイは、電子機器で駆動することができる。一実施形態では、電子機器は表示機能を提供することができ、或いは電子機器と通信する別のデバイスからこのような機能を受け取ることができる。
【０２８８】
一実施形態では、アクティブディスプレイは、アクティブディスプレイを光で照らすためのＬＥＤバックライトなどのバックライト照明又は光源、デバイス、装置又は部材を含むバックライト組立体を有するバックライト／ディスプレイ組立体、モジュール又は構成の一部とすることができる。一部の実施形態では、バックライト光源は大面積ＬＥＤとすることができ、生成された光を集めて第２の照明レンズ又は集光レンズに導くための第１のレンズ又は一体型レンズを含み、良好な空間的及び角度的な均一性を備えてアクティブディスプレイの上に光を集中させ、ディスプレイ光軸Ｂに沿って導くようにすることができる。バックライト組立体及びアクティブディスプレイは、低電力でありながら、光学機器を通した非常に高輝度の現実世界の眺めと同時に観察するのに十分な高輝度を備えた像を提供することができる。
【０２８９】
バックライトの色は、何れかの単色であるように選ぶことができ、或いはフルカラーのマイクロディスプレイをサポートするために白色とすることができる。バックライトの性能を最適化するために、他の光源、導波管、拡散板、マイクロ光学素子、偏光板、複屈折部品、光学コーティング及び反射板など、他のバックライト設計要素を含めることができ、これらは、アクティブディスプレイの全体的なサイズ要件、並びに輝度、出力及びコントラストのニーズと両立できる。
【０２９０】
図１６及び１７は、主本体と結合するベース内の統合表示システムの代表的な例を描写し、ディスプレイ、光学系、及びミラーを示している。この統合表示システムは、その上方に描かれた観察光学機器の主本体に収容された光学系と共に機能する。
【０２９１】
使用可能なマイクロディスプレイの代表的な例には、限定ではないが、以下のものが含まれる：ＭＤＰ０１（シリーズ）ＤＰＹＭ、ＭＤＰ０２、及びＭＤＰ０５を含む、Ｍｉｃｒｏｏｌｅｄ社製；ピクセルピッチが９．９ｘ９．９μｍ及び７．８ｘ７．８μｍのマイクロディスプレイ、ＳＶＧＡなどのＥｍａｇｉｎ社製；並びにＬｉｇｈｔｎｉｎｇ  Ｏｌｅｄ  ＭｉｃｒｏｄｉｓｐｌａｙなどのＫｏｐｉｎ  Ｃｏｒｐｏｒａｔｉｏｎ社製。また、限定ではないが、ＶｕｅＲｅａｌ社製及びＬｕｍｉｏｄｅ社製のものを含む、マイクロＬＥＤディスプレイも使用することができる。
【０２９２】
一実施形態では、アクティブディスプレイと協働する電子機器は、表示記号を生成する性能、ディスプレイに対する出力を書式設定する性能を含むことができ、電池情報、電力調節回路、ビデオインタフェース、シリアルインタフェース、及び制御特徴を含むことができる。オーバーレイ表示ユニットの追加の機能又は異なる機能のために、他の特徴を含めることができる。電子機器は表示機能を提供することができ、或いは電子機器と通信する別のデバイスからこのような機能を受け取ることができる。
【０２９３】
一実施形態では、アクティブディスプレイは、アクティブな標的レチクル、距離測定値及び風情報、ＧＰＳ及びコンパス情報、銃器傾斜情報、標的の発見、認識及び識別（ＩＤ）情報、及び／又は外部センサ情報（センサビデオ及び／又はグラフィックス）、又は状況認識用の画像などを含め、限定ではないが、テキスト、英数字、グラフィック、記号、及び／又はビデオ撮像、アイコンなどを含む像を生成して、光学機器を通して見える視野の像と共に接眼レンズを通して観察することができる。直接観察光学機器は、エッチング式レチクル及び銃口照準を含む又は維持し、高解像度を保持することができる。
【０２９４】
一実施形態では、アクティブディスプレイの利用により、プログラム可能な電子的照準点を視野内のあらゆる位置に表示することができる。この位置は、ユーザが決定できる（超音速と亜音速の両方の弾丸を発射し、従って２つの異なる弾道及び「ゼロイン」を有するライフル銃の場合のように）、或いは弾道計算機から受け取った情報に基づいて計算することができる。これは、射撃毎の間隔で更新可能な長距離射撃のための「落下補正された」照準点を提供することになる。
【０２９５】
一実施形態では、アクティブディスプレイは、最大限の垂直補正を実現するように配向することができる。一実施形態では、アクティブディスプレイは、幅よりも背が高くなるように位置決めされる。
【０２９６】
一実施形態では、アクティブディスプレイは、図１８に示すように配向され、これにより、ライフルスコープ内でアクティブレチクルに関して最大限の垂直調整範囲１８１０が可能となる。最大限の垂直調整は、より長距離におけるシナリオの弾道補正を可能にするため、有利である。
【０２９７】
一実施形態では、統合表示システムは、アクティブディスプレイと電子的に通信するプロセッサを更に備える。
【０２９８】
別の実施形態では、統合表示システムは、メモリと、少なくとも１つのセンサと、及び／又はプロセッサと電子的に通信する電子通信デバイスを含むことができる。
【０２９９】
一実施形態では、本開示は、外部シーンの像を生成するための光学系と光学系と一列に並んで配置された主本体ビームコンバイナとを備えた主本体と、像を生成するための第１のアクティブディスプレイ及び第１のアクティブディスプレイに垂直な第２のアクティブディスプレイを有する統合表示システムを備えて主本体に結合されたベースと、を備え、第１のアクティブディスプレイ又は第２のアクティブディスプレイの何れかから生成された像が光学系の第１の焦点面に投影されて、スコープ本体の接眼レンズを通して見たときに生成された像と外部シーンの像を同時に観察できるようにする、観察光学機器に関する。
【０３００】
一実施形態では、本開示は、外部シーンの像を生成するための光学系と光学系と一列に並んで配置された主本体ビームコンバイナとを備えた主本体と、像を生成するための第１のアクティブディスプレイ、像を生成するための第２のアクティブディスプレイ、第１の像及び第２の像を結合するよう構成されたベースビームコンバイナ、及びスコープ本体の接眼レンズを通して見たときに第１の焦点面において結合された像と外部シーンの像を同時に重ね合わせて観察するため結合された像を主本体ビームコンバイナに導くための反射材料を有する統合表示システムを備えて主本体に結合されたベースと、を備える、観察光学機器に関する。
【０３０１】
一実施形態では、ベースビームコンバイナは、第１のディスプレイの右側に位置付けられる。更に別の実施形態では、第２のアクティブディスプレイは、第１のアクティブディスプレイに垂直にシステム内に配置することができる。これにより、両方のディスプレイを用いて、観察光学機器の焦点面に個々に又は同時に投影することができる。
【０３０２】
測距に関する使用方法
一実施形態では、アクティブディスプレイは、レーザ測距計から得られた距離測定値を表示することができる。一実施形態では、ＬＲＦを観察光学機器に結合することができる。一実施形態では、ＬＲＦは、ライフルスコープの外側スコープ本体に直接結合される。別の実施形態では、ＬＲＦの一部分が、ライフルスコープのスコープ本体の外側部分に直接結合される。
【０３０３】
一実施形態では、ＬＲＦは、ライフルスコープの外側スコープ本体に間接的に結合される。別の実施形態では、ＬＲＦの一部分が、ライフルスコープのスコープ本体の外側部分に間接的に結合される。
【０３０４】
更に別の実施形態では、ＬＲＦはライフルスコープに結合されないが、固定配線又は無線の何れかを介してライフルスコープと通信する。
【０３０５】
一般的な動作では、ＬＲＦは、投影光学機器を介してシーンに投影されるレーザ光のパルスを提供する。このレーザ光は対象物を照らし、レーザ光の一部は反射されてＬＲＦに戻る。デバイスに戻ってきた反射レーザ光の一部は、受光光学系によって捕捉され、検出器に導かれる。このデバイスは、レーザ光パルスが送出された時に起動し、戻ってきたレーザ光が検出された時に停止するタイマを含む。デバイスの計算機部分は、レーザ光パルスの送出から、戻ってきた反射レーザ光の検出までの経過時間を用いて、対象物までの距離を計算する。
【０３０６】
一実施形態では、距離計算値はアクティブディスプレイに送信され、生成された画像（距離測定値又は計算値）は、ミラー及びビームコンバイナを用いてディスプレイ光軸「Ｂ」から観察光軸Ａの上へ向け直されて、その画像（距離測定値又は計算値）を、観察光学機器を通して観察者が観察するシーンの像の上に、同時に重畳する又は重ね合わせるようになっている。
【０３０７】
ウィンデージレンジバー
別の実施形態では、アクティブディスプレイは、ウィンデージレンジを生成することができる。一実施形態では、ユーザは、風の値の範囲を与えることができ、ソフトウェアは、ウィンデージデータ、例えばウィンデージレンジ変動バーを生成することができる。一実施形態では、ウィンデージデータはアクティブディスプレイに送信され、生成された画像、例えばウィンデージレンジ変動バーは、ミラー及びビームコンバイナを用いてディスプレイ光軸「Ｂ」から観察光軸「Ａ」の上へ向け直されて、その画像（ウィンデージレンジ変動バー）を、観察光学機器を通して観察者が観察するシーンの像の上に、同時に重畳する又は重ね合わせるようになっている。
【０３０８】
一実施形態では、ウィンデージデータは、最小ウィンドホールド点から最大ウィンドホールド点までを含む。
【０３０９】
一実施形態では、ウィンデージデータはアクティブディスプレイに送信され、アクティブディスプレイは、適切なウィンドホールドで視野内にデジタルレチクルを生成することができる。
【０３１０】
メンタルキューに対する表示色
一実施形態では、アクティブディスプレイは、特別水準の情報を迅速に理解できる形式でユーザに伝えるために、カラー表示を生成することができる。一実施形態では、アクティブディスプレイは、発射準備完了を指摘する一連の色分けされた記号を生成することができる。
【０３１１】
一実施形態では、アクティブディスプレイは、一連の色分けされた記号を生成して、標的シーン内の対象物を色分けすることができる。一実施形態では、アクティブディスプレイは、友軍を敵軍から色で区別することができる。別の実施形態では、アクティブディスプレイは、対象となる標的を色分けすることができる。
【０３１２】
一実施形態では、アクティブディスプレイは、ウィンデージ調整状態を指摘する一連の色分けされた記号を生成することができる。一実施形態では、赤色のドットは、ウィンデージ調整が完了していないことを指摘できるのに対して、緑色の記号は、ウィンデージ調整が完了していることを指摘できる。
【０３１３】
別の実施形態では、アクティブディスプレイは、色付きの照準点を生成することができる。一実施形態では、限定ではないが、ウィンデージ、距離、及び仰角を含む適切な調整が行われていない場合、照準点は赤色になる。別の実施形態では、全てではないが一部の射撃調整が完了している場合、照準点は黄色になる。更に別の実施形態では、必要な射撃調整が全て完了している場合、照準点は緑色となり、照準点は完全に補正されている。
【０３１４】
更に別の実施形態では、記号の点滅状態及び点灯状態を利用して、照準点の調整に関する同様の状況情報を伝えることができる。
【０３１５】
更に別の実施形態では、アクティブディスプレイは、状況を表すために色で示されるテキストを生成することができる。一実施形態では、赤色のテキストは、入力パラメータが入力又は計算されていないことを表し、テキストに関して緑色は、入力又は計算されたパラメータを表す。
【０３１６】
測距における着弾ゾーン用のマーカ
一実施形態では、アクティブディスプレイは、ユーザが発射体の着弾ゾーンを素早く捉える又は囲むことができるように、円、正方形、又は他の形状を生成することができる。
【０３１７】
ホールドオーバの推定と補正
別の実施形態では、アクティブディスプレイは、移動方向及び移動速度に対するユーザ入力に基づいて、移動する標的に対して補正された照準点を生成することができる。例えば、ユーザは、左方向へ時速５マイルという移動速度を入力することができる。これは、風と移動が同じ方向の場合にはウィンデージ値に加算され、逆方向の場合にはウィンデージ値から減算されることになる。その場合、照準点及び／又はウィンデージ値バーがディスプレイ上にプロットされた時に、照準点は適切な量のホールドオーバを含むことになり、ユーザは、移動する標的の移動を補正するために移動する標的の前に照準点を置く必要があるのではなく、所望の着弾ゾーンに照準点ドットを置いて撃つことができる。
【０３１８】
カメラ及び遠隔表示操作によるチーム作戦
一実施形態では、ネットワークインタフェースと連動するアクティブディスプレイにより、追加の水準の強化された操作及び使用が可能となる。一実施形態では、ネットワークを介して複数の射手のレチクル像を見ることができる。各射手のレチクルカメラ像は、１又は２以上のコンソールに表示され、ネットワークプロセス及びインタフェースは、個々のライフルスコープでは以前利用できなかった集団レベルの調整、訓練、及び連携を可能にする。
【０３１９】
訓練及び指導
訓練又は指導のシナリオでは、指導者は、各射手が各自のレチクルを各自の標的にどのように位置合わせしたのかを見ることができる。レチクル位置合わせを実際に見ることができることで、指導者又は訓練者は、口頭指示（例えば、無線で又は対面で）などによって、調整及び再位置決めに関する指示を与えることができる。
【０３２０】
別の実施形態では、指導者のコンソールには、マウス又はジョイスティックなどのポインティング手段を設けることができ、これに対する制御データは、コンソールからネットワークを介してライフル銃の統合表示システムに転送される。その場合、この指導者のマウス又はジョイスティックは、各射手のスコープのディスプレイ内で追加のドット又はポインタを制御し、これにより、指導者は、どの標的を使用すべきか、どの距離マーカバーを使用すべきか、並びにレチクルを標的に対してレチクルのどこに位置決めすべきかを射手に視覚的に示すことができる。一実施形態では、指導者が各射手に個別化された指示を与えられるように、各射手には各自固有の指導者ドットを与えることができる。
【０３２１】
射撃調整
別の実施形態では、アクティブディスプレイは、複数射手の射撃チームの調整及び実施において使用することができる。一実施形態では、チームの指揮者は、指導者のコンソールを操作し、指導者ドットを使用して、各射手への標的割当て、レチクル配置変更の伝達などを支援する。
【０３２２】
遠隔審査及び承認のためのスナップショット
別の実施形態では、アクティブディスプレイ及びネットワークプロセスにより、制御手段を与えられた射手は、自分のレチクルビューの「スナップショット」を撮ることができる。ユーザのレチクルビューに関するこのスナップショットは、問題の標的の画像を含むことができる。この画像を指揮者又は指導者が受信すると、指揮者又は指導者は、画像を審査して、撮影を承認する又は不承認とする。例えば、指導のシナリオでは、ユーザは、撮影すべき正当な動物（年齢、種、性別など）だと思う動物のスナップショットを撮影することができる。指導者は、同意する場合、射手のレチクル内の指導者ドットを位置決めする又は移動することによって、これを示すことができる。
【０３２３】
標的の生体計測による分類
別の実施形態では、レチクル像のスナップショットは、顔認識システムなどの生体計測による認識及び／又は分類プロセスによって受信される。生体計測による認識及び／又は分類プロセスは、ディスプレイ制御ロジックに統合されるなど、銃に搭載されてもよいし、ネットワークを介して相互接続された銃とは離れていてもよい。認識及び／又は分類プロセスの結果は、その結果をネットワークを介して制御ロジックに送信し、ディスプレイを適宜更新することによって、レチクルに提供することができる。
【０３２４】
サイド・バイ・サイド画像表示
別の実施形態では、画像がネットワークを介して統合表示システムにダウンロードされ、レチクル内で標的の観察像と同時に表示される。ダウンロードされた画像を用いて、ユーザ（射手）は、現在観察している標的を、撮影するように指示されたもの又は撮影を望むものと類似する標的の以前撮影された画像又は写真と、並べて比較することができる。例えば、牝鹿のシーズン中、新参の射手にはレチクル内に参照用の牝鹿の画像が与えられ、スコープを通して観察する実際の動物とリアルタイムで比較することができる。軍隊又は法執行への適用例では、捜し求める敵又は逃亡者の画像をレチクルに表示して、狙撃者がスコープを通して観察している人物の顔とリアルタイムで比較できるようにする。
【０３２５】
アクティブディスプレイの代表的な例
ａ．５３０〜５７０ｎｍ
一実施形態では、本開示は、５３０〜５７０ｎｍマイクロディスプレイを使用する統合表示システムに関する。
【０３２６】
図１９は、５３０〜５７０ｎｍデジタルディスプレイ１９１０を備えた統合表示システムを示す。
【０３２７】
図２０は、５３０〜５７０ｎｍデジタルディスプレイ１９１０で表示できる例示的な画像２０２０の概略図である。図２０に示すように、ガラスエッチング式レチクル２０１０は、本明細書で開示される装置及びシステムと共に使用することができる。これらの画像は例示に過ぎず、アクティブディスプレイで表示可能な情報の量又はタイプを限定するものと解釈すべきではない。
【０３２８】
別の実施形態では、５３０〜５７０ｎｍデジタルディスプレイ１９１０の組み込みにより、人間の目の感度に起因して、他のどのカラーディスプレイよりも相対的に高い有効性が可能となる。これは、同じ測光輝度の赤色又は青色のディスプレイへの給電と比べて、より少ない消費電力量を可能にする。
【０３２９】
更に別の実施形態では、５３０〜５７０ｎｍデジタルディスプレイ１９１０の組み込みにより、エンドユーザには、周囲光によって作り出された背景からデジタルオーバレイを昼間視力で識別するより大きな能力が与えられる。
【０３３０】
ｂ．ＡＭＯＬＥＤ
一実施形態では、本開示は、ＡＭＯＬＥＤマイクロディスプレイを含む統合表示システムに関する。
【０３３１】
図２１は、ＡＭＯＬＥＤデジタルディスプレイ２１１０を備えた統合表示システムを示す。
【０３３２】
図２２は、ＡＭＯＬＥＤデジタルディスプレイで表示できる例示的な画像２２１０の概略図である。図２２に示すように、ガラスエッチング式レチクル２０１０は、本明細書で開示される装置及びシステムと共に使用することができる。これらの画像は例示に過ぎず、アクティブディスプレイで表示可能な情報の量又はタイプを限定するものと解釈すべきではない。
【０３３３】
一実施形態では、ＡＭＯＬＥＤ２１１０で生成された画像を第１の焦点面に統合／結像／合焦する。一実施形態では、ＡＭＯＬＥＤディスプレイ２１１０の使用により、ライフルスコープに表示されるデータ内でのコントラストの増大とより大きな複雑度とが可能となる。
【０３３４】
一実施形態では、ＡＭＯＬＥＤディスプレイ２１１０の組み込みは、照らされる個々のピクセルの選択を可能にし、複雑なデータ構成をライフルスコープに容易に表示する能力を与える。
【０３３５】
別の実施形態では、ＡＭＯＬＥＤディスプレイ２１１０の組み込みは、システム内のバックライティングに対する必要性が低下するために、ライフルスコープ内部の小型軽量パッケージサイズを可能にする。
【０３３６】
別の実施形態では、統合表示システムは、バックライトディスプレイ組立体を必要としない。
【０３３７】
更に別の実施形態では、ＡＭＯＬＥＤディスプレイ２１１０の組み込みによって、個々のピクセルに対する電力使用量を最適化する機能が今や利用可能となったため、電力消費量の低減が可能となる。
【０３３８】
一実施形態では、ＡＭＯＬＥＤディスプレイ２１１０の組み込みは、コントラスト比を与え、これにより、スコープ内できれいな「ヘッドアップ」様式のディスプレイが可能となる。コントラスト比は、各浮動的特徴を個別に標的化し、ピクセル周囲の低グローなしで表現することを可能にする。
【０３３９】
Ｂ．集光器レンズ系
一実施形態では、統合表示システムは、１又は２以上のレンズセルの一部として光学レンズの使用に基づく光学系を有し、レンズセルは、レンズ自体と、レンズが取り付けられるレンズセル本体とを含む。一実施形態では、レンズセルは、概ね円筒形又はディスク状の高精度に形成された本体を含む。この本体は、より大きな光学系の光軸に合わせてレンズを取り付けるための中央アパーチャを有する。また、セル本体はそれ自身の整列軸を有すると言うこともでき、その整列軸は、レンズセルがそこに取り付けられた時に、最終的により大きな光学系の光軸と整列することになる。更に、レンズセルは、レンズ用の「ホルダ」として機能し、より大きな光学系に対して且つその中にレンズを取り付けることのできる機構として機能し、（最終的には）その光学系によって且つその目的のためにレンズを操作できる手段として機能する。
【０３４０】
一実施形態では、統合表示システムは、レンズ系としても言及する、集光器レンズ系を備える。一実施形態では、集光器レンズ系は、内側レンズセルと外側レンズセルとを備える。
【０３４１】
図２３は、集光器レンズ系２３１０の代表的な例であり、内側レンズセル２３１５と外側レンズセル２３２０とを有する。一実施形態では、外側レンズセル２３２０は少なくとも１つのレンズを収容し、内側レンズセル２３１５は少なくとも１つのレンズを収容する。一実施形態では、内側レンズセル２３１５は、外側レンズセル２３２０の内面上を回転する。図２３に示すように、アクティブディスプレイ１２１０は、内側レンズセル２３１５の背面にある平坦な加工面に結合される。一実施形態では、アクティブディスプレイ１２１０を内側レンズセル２３１５に直接結合することができる。更に別の実施形態では、アクティブディスプレイ１２１０を内側レンズセル２３１５に間接的に結合することができる。
【０３４２】
本明細書で開示される集光器光学系の１つの利点は、マイクロディスプレイマウントと結合される内側レンズセルが、マイクロディスプレイの垂直軸を位置決めするための堅い回転機械軸を提供することである。
【０３４３】
図２４は、観察光学機器の主本体と結合するベース２２０の代表的な図解であり、この場合、ベースは、統合表示システムの一部として集光器光学系２３１０を有する。図２４では、主本体は、ビームコンバイナ３２０と観察光学レチクル２４２０によって描かれている。
【０３４４】
外側レンズセル２３２０が観察光学系に対してその主本体内の定位置に固定されるのに対し、内側レンズセル２３１５は、外側レンズセル２３２０の内部で回転自在に浮動することが許容される。内側レンズセル２３１５の回転軸の下方に位置付けられる内側レンズセル２３１５の表面２４１０に対して圧力を加えることにより、アクティブディスプレイ１２１０の垂直軸を観察光学系のレチクル１６１０の垂直軸と揃えることができる。
【０３４５】
図２５は、アクティブディスプレイの垂直軸の傾きをレチクルの垂直軸と揃えるための一実施形態の代表的な図解である。図２５に示すように、内側レンズセル２３１５の回転軸の下方に位置付けられる内側レンズセル２３１５の表面に対して、対向する止めねじ２５０５を締め付けることができる。止めねじ２５０５を用いて、マイクロディスプレイ１２１０の垂直軸を、観察光学機器の主本体内の光学系にあるレチクルの垂直軸と揃えることができる。内側レンズセル２３１５の回転は、止めねじ２５０５を内側レンズセル２３１５の下面に対して確実に締め付け、これによりマイクロディスプレイ１２１０の垂直軸を定位置に回り止めすることで維持することができる。
【０３４６】
図２６は、マイクロディスプレイ１２１０又はアクティブディスプレイの傾斜調整機構を備えた集光器レンズ系２３００の後方切り欠き図の代表的な図である。ビームコンバイナ又は導波管を用いてマイクロディスプレイが観察光学機器に導入される場合、レチクルの垂直軸とマイクロディスプレイの垂直軸の導入像との傾斜誤差を除去するために、追加の補正方法が必要とされる。内側レンズセル２３１５の回転軸の下方に位置付けられる内側レンズセル２３１５の表面に対して、止めねじ２５０５を締め付け、これにより、マイクロディスプレイ１２１０の垂直軸を、観察光学機器の主本体内の光学系にあるレチクルの垂直軸と揃えることができる。
【０３４７】
図２７は、マイクロディスプレイと観察光学機器の主本体の光学系にあるレチクルとの視差を除去するための方法及び装置に関する代表的な図解である。外側レンズセル２３２０は、図２７の右側に少なくとも１つのレンズを収容し、内側レンズセル２３１５は、図２７の左側に少なくとも１つのレンズを収容する。内側レンズセル２３１５は、外側レンズセル２３２０の内面上を光軸に沿って摺動する。マイクロディスプレイ１２１０は、内側レンズセル２３１５に結合される。バネ２７１０を外側レンズセル２３２０と内側レンズセル２３１５との間に設置して、圧縮力を受けていない時にこれらのセルを分離させる。
【０３４８】
図２８Ａは、集光器光学系２３００を有し、観察光学機器の主本体に結合されるベースの代表的な図解である。図２８Ａでは、主本体は、ビームコンバイナ３２０と観察光学レチクル２８１０で描かれている。
【０３４９】
外側レンズセル２３２０は観察光学機器に対して定位置に固定され、内側レンズセル２３１５は、外側レンズセル２３２０の内部で浮動することが許容される。内側レンズセル／アクティブディスプレイマウントの背面に力を加えるねじ又はくさび２８２０を用いて内側レンズセル２３１５を前方に押し込むことによって、マイクロディスプレイ像の焦点面が観察光学機器の主本体の観察光学レチクルと同一平面上に位置付けられるように、像の軸方向位置が変更される。従って、マイクロディスプレイとレチクルの視差が除去される。
【０３５０】
内側レンズセルの位置は、バネがねじ又はくさびを外方に押し付ける作用によって、定位置に保たれる。アクティブディスプレイとレチクルの視差は、アクティブディスプレイからの集光量を変えることなく、光学系の像質を低下させることなく除去することができる。
【０３５１】
内側レンズセルと外側レンズセルの間のバネの使用と、内側レンズセル／マイクロディスプレイの背面への力の使用とを実施することにより、マイクロディスプレイから最大限の光量を集めることができ、迅速、簡単、且つ正確な調整方法が提供される。
【０３５２】
一実施形態では、内側レンズセル２３１５及び外側レンズセル２３２０は、２又は３以上のレンズを備えることができる。更に別の実施形態では、レンズ系は、３、４、５、６、７、８、９、１０又は１１以上のレンズを備えることができる。レンズは、限定ではないが、ＬａＣｒｏｉｘ  Ｏｐｔｉｃｓ（ｗｗｗ．ｌａｃｒｏｉｘｏｐｔｉｃｓ．ｃｏｍ）並びにＤｉｖｅｒｓｅ  Ｏｐｔｉｃｓ（ｗｗｗ．ｄｉｖｅｒｓｅｏｐｔｉｃｓ．ｃｏｍ）を含む、様々な市販メーカから入手することができる。一実施形態では、内側レンズセル及び外側レンズセルは、集光器レンズ系を備える。
【０３５３】
一実施形態では、このレンズ系は、５レンズ系で構成される。一実施形態では、５レンズ系は、５つの単レンズで構成される。別の実施形態では、５レンズ系は、２つの複レンズと１つの単レンズで構成される。更に別の実施形態では、５レンズ系は、３つの単レンズと１つの複レンズで構成される。一実施形態では、少なくとも１つのプラスチック非球面レンズが第１の要素として使用される。
【０３５４】
一実施形態では、レンズ系は、以下の順序を備えた５レンズ系である：アクティブディスプレイに最も近い非球面単レンズ、次に単レンズ、次に複レンズ、次いで最後の単レンズが来る。
【０３５５】
一実施形態では、レンズ系は、以下の順序を備えた５レンズ系である：アクティブディスプレイに最も近い非球面単レンズ、次に単レンズ、次に単レンズ、次いで複レンズが来る。
【０３５６】
一実施形態では、レンズ系は、以下の順序を備えた５レンズ系である：アクティブディスプレイに最も近い非球面単レンズ、次に単レンズ、次に単レンズ、次いで複レンズが来る。一実施形態では、レンズ系は、以下の構成を有する５レンズ系である： アクティブディスプレイに最も近いレンズ１は直径１１ｍｍ、厚さ９．３ｍｍであり、レンズ２は直径９ｍｍ、厚さ１．９ｍｍであり、複レンズは、直径１３．５ｍｍで厚さ２．１ｍｍの１つのレンズ（レンズ３）と、直径１３．５ｍｍで厚さ４．１ｍｍのもう１つのレンズ（レンズ４）とを有し、レンズ５は直径１３．５ｍｍ、厚さ３．３ｍｍである。
【０３５７】
一実施形態では、１つのレンズから次のレンズまでの空気間隔は、約１ｍｍから約２０ｍｍの範囲である。一実施形態では、１つのレンズから次のレンズまでの空気間隔は、約５ｍｍから約２０ｍｍの範囲である。一実施形態では、１つのレンズから次のレンズまでの空気間隔は、約１０ｍｍから約２０ｍｍの範囲である。
【０３５８】
一実施形態では、アクティブディスプレイと第１レンズの距離は、ディスプレイから最大限の光量を集めるために最小限に抑えられる。一実施形態では、アクティブディスプレイと第１レンズの距離は、２ｍｍ未満である。別の実施形態では、アクティブディスプレイと第１レンズの距離は、以下からなる群から選択される：１．８ｍｍ未満、１．５ｍｍ未満、１．３ｍｍ未満、１．１ｍｍ未満、０．９ｍｍ未満、０．７ｍｍ未満、０．５ｍｍ未満、及び０．３ｍｍ未満。
【０３５９】
一実施形態では、５レンズ系は、内側レンズセル及び外側レンズセルに収容される。一実施形態では、内側レンズセルは、ディスプレイ台座がある箇所の対向端から内側レンズセルの中に、非球面レンズ、次にスペーサ、次にレンズ２（９ｍｍ単レンズとすることができる）、次いで係止リング（両方のレンズを定位置に保持する）を設置することによって組み立てられる。
【０３６０】
一実施形態では、外側レンズセルは、セルの対向端から外側レンズセルの中に、レンズ５（１３．５ｍｍの単レンズとすることができる）、次にスペーサ、次に複レンズ２（レンズ３及びレンズ４とすることができる）、次いで係止リングを挿入することによって組み立てられる。
【０３６１】
図２８Ｂは、集光器光学系又は集光器レンズ系を有するベースの代表的な図解である。内側レンズセル２３１５は、ディスプレイ台座がある箇所の対向端から内側レンズセルの中に、非球面レンズ２８４０、次にスペーサ、次いでガラス凹凸レンズ２８５０を設置することによって組み立てられる。一実施形態では、ガラス凹凸レンズは、上記のようにレンズ２とすることができる。外側レンズセル２３２０は、ガラスダブレット２８６０に続いてガラスシングレット２８７０を挿入することによって組み立てることができる。
【０３６２】
一実施形態では、集光器レンズ系は、２８４０、２８５０、２８６０、及び２８７０を含む５レンズ系を備え、２８４０がアクティブディスプレイに最も近く、２８７０がアクティブディスプレイから最も遠い。一実施形態では、内側レンズセル２３１５は、２８４０と２８５０を備える。一実施形態では、外側レンズセル２３２０は、２８６０と２８７０を備える。
【０３６３】
一実施形態では、内側レンズセルが外側レンズセルの内径に沿って軸方向に移動すると、内側セルのレンズ２と外側セルのレンズ３との間隔が変化する。これは、ディスプレイ像の焦点面を移動させ、投影されたディスプレイ像と、観察光学機器の主本体のパッシブレチクルとの視差を完全にゼロにするのに使用される。
【０３６４】
一実施形態では、ディスプレイ像を主本体内の光学系の第１の焦点面に合焦させることは、５レンズ系のレンズ２とレンズ３との空気間隔を変更することによって達成され、その変更は、外側レンズセルに対する内側レンズセルの位置を変えることによって達成される。
【０３６５】
一実施形態では、レンズ組立体はまた、一連のレンズを保持する一体式の機械構造であるレンズ鏡筒内で、共に組み立てることができる。レンズ鏡筒は、レンズを軸方向及び半径方向に互いに対して位置決めするため、並びにレンズ組立体を、レンズ組立体もその一部である光学系と整合させる手段を提供するのに使用される。レンズ要素は、鏡筒壁の内径又はＩＤによって半径方向に位置決めされる。レンズ要素の外径又はＯＤは、鏡筒壁のＩＤに適合するように研削される。レンズ要素の軸方向位置は、組立中にレンズ台座を切断することによって達成される。次いで、レンズ要素をエポキシ、保持リングなどでレンズ台座に拘束することができる。
【０３６６】
Ｃ．反射材料
一実施形態では、統合表示システムは反射材料１２３０を備える。一実施形態では、反射材料１２３０はミラーである。一実施形態では、統合表示システムは１又は２以上のミラーを備える。一実施形態では、統合表示システムは２、３、４又は５以上のミラーを備える。
【０３６７】
一実施形態では、ミラーは、ディスプレイの放出光に対して、３０°から６０°、又は３０°から５５°、３０°から５０°、又は３０°から４５°、又は３０°から４０°、又は３０°から３５°の角度に位置決めされる。
【０３６８】
一実施形態では、ミラーは、ディスプレイの放出光に対して、３０°から６０°、又は３５°から６０°、４０°から６０°、又は４５°から６０°、又は５０°から６０°、又は５５°から６０°の角度に位置決めされる。
【０３６９】
一実施形態では、ミラーは、少なくとも４０°の角度に位置決めされる。一実施形態では、ミラーは、ディスプレイの放出光に対して４５°の角度に位置決めされる。
【０３７０】
一実施形態では、そして図２９に示すように、垂直軸に沿うミラー２９１０の傾きは、ねじ又は同様の機構を用いて調整することができる。ミラー２９１０の基部又は背部に対してねじを回し入れることにより、マイクロディスプレイの像がビームコンバイナに反射される角度を変えることができる。これに対応して、観察光学機器の主本体の光学系の観察光学レチクル２９３０における焦点面の傾きが変わる。この調整を用いて、垂直軸に沿った、マイクロディスプレイとレチクルの視差誤差を除去することができる。
【０３７１】
一実施形態では、ミラーは、１又は２以上のねじでベースに固定される。一実施形態では、ミラーは、エポキシ、樹脂、又は接着剤、或いはこれらの組み合わせなどの化合物を用いてベースに固定される。
【０３７２】
一実施形態では、ミラーの位置は、限定ではないが、視差誤差を含む誤差を除去するために、ビームコンバイナと関係して調整することができる。
【０３７３】
一実施形態では、ミラーの位置は、限定ではないが、視差誤差を含む誤差を除去するために、アクティブディスプレイと関係して調整することができる。
【０３７４】
２．電力システム
一実施形態では、観察光学機器の主本体と結合するベースは、電力システムを有する。別の実施形態では、観察光学機器のベースは、キャビティを有する。電池キャビティは、観察光学機器の主本体と結合するベースに組み込むことができる。
【０３７５】
図３０は、バッテリ区画３００５を備えたベース２２０の代表的な概略図であり、この場合、ベース２２０はライフルスコープ３０００の主本体２１０に結合される。図３０及び３１に示すように、バッテリ区画３００５は、ＣＲ１２３電池を含む電池を入れるために、ベースの各側面から延びる。ＣＲ１２３電池は、より小さな電池又はコイン型電池と比べて、電力容量及び放電量が増加している。
【０３７６】
一実施形態では、電池キャビティ３００５は、環境から電池を保護するために電池キャップだけが必要とされるように、ベース２２０と一体である。追加の密封は一切必要とされない。
【０３７７】
一実施形態では、ベース２２０内の電池キャビティ３００５は、観察光学機器の主本体２１０の接眼レンズ組立体と比べて、対物レンズ組立体３０１０に近接して位置付けられる。
【０３７８】
一実施形態では、ベース２２０の電池キャビティ３００５は、対物レンズ組立体と比べて、観察光学機器の主本体２１０の接眼レンズ組立体に近接して位置付けられる。
【０３７９】
図３２は、ベース２２０に一体化されたバッテリ区画３００５の代表的な図である。一実施形態では、バッテリ区画３００５は、電池の不適切な取り付け及び動作を防止するために、電池の正側が最初に機械式止め具で電池キャビティの底部に挿入されるように設計される。
【０３８０】
一実施形態では、一体型電池キャビティ３００５には、ベース２２０でライフルスコープの主本体２１０に対して使用されるのと同じガスケットを使用することができる。これは、より信頼性の高い密封を提供し、別個の電池キャビティが必要とされないので、機械式デバイスを排除する。第２に、電池キャビティがベースに一体化されるので、電池キャビティを確保する機械式デバイスがない。これにより、バッテリ区画を確保するための機械的なインタフェースの必要性が低減される。電池キャビティを機械的に係止する必要がないため、一体型バッテリ区画により、従来型バッテリ区画に関する故障箇所が減少する。
【０３８１】
一体型バッテリ区画は、ユーザの邪魔になるあらゆる障害物を排除する。一体型バッテリ区画は、従来の観察光学機器に見られる調整手段及びノブの何れにも邪魔にならない、観察光学機器の下に位置付けられる。一体型バッテリ区画により大きな電池を収容するのに必要なスペースが可能となるので、それは有意義な進歩である。
【０３８２】
一実施形態では、観察光学機器は、電池の消耗を最小限に抑え、電池の寿命を最大限にする態様で設定することができる。例えば、レーザ測距計を備えた観察光学機器は、操作者がボタン又はスイッチを押すと起動する。画面には測距計のデジグネータが表示される。外付け測距計の出力レーザは、観察光学機器をゼロインする際の初期較正ステップを通してデジグネータと符号する。操作者が外付け測距計を起動させると、情報が無線で又は通信ポートを介して観察光学機器に送信され、「情報が受信されて表示する必要がある」ことを観察光学機器に信号で知らせる。
【０３８３】
観察光学機器が電源オンとなって外部デバイスからデータが受信されない場合、ユーザ設定時間が経過すると観察光学機器は電源オフとなる。外部デバイスから受信した情報を表示した後、電源オフタイマが始動し、ボタン押下がそれ以上記録されなければ、観察光学機器を電源オフにする。
【０３８４】
外部デバイスから更に情報を受信した場合、画面からそれ以前の情報をクリアして更新された情報を表示し、電源オフタイマを始動することになる。このサイクルは、操作者が選択した回数だけ継続することができる。
【０３８５】
情報が画面に表示される間、カントインジケータが画面に表示される。これは、或る時間間隔でマイクロコントローラと通信する加速度計からリフレッシュされる。マイクロコントローラがスリープモードにある場合、観察光学機器上の一体式ボタンは、ガラスエッチング式レチクルを照らすＬＥＤの輝度を制御する。観察光学機器が作動している場合は、これらＬＥＤの制御は一時停止となり、対応するボタン押下に画面の明るさが変化することになる。
【０３８６】
３．ピカティニーマウント
一実施形態では、本開示は、主本体とバッテリ区画を備えたベースとを有する観察光学機器と、バッテリ区画に結合できるピカティニーマウントとに関する。一実施形態では、着脱式ピカティニーマウントは、ライフルスコープ本体に結合されるベースに組み込まれた突出したバッテリ区画に取り付けられる。
【０３８７】
図３３〜３５は、主本体２１０と主本体２１０に結合されたベース２２０とを備えるライフルスコープの代表的な概略図であり、ベースは、ピカティニーマウント３３０５に取り付け可能なバッテリ区画３００５を有している。一実施形態では、ピカティニーマウント３３０５はバッテリ区画３００５と整列し、留め具で固定される。
【０３８８】
マウント３３０５をベース２２０のバッテリ区画３００５に取り付けることで、電池用のキャビティ３００５を作るのに必要な材料を利用する。これはベースからの追加の材料を不要にし、これにより、観察光学機器をより軽量にし、侵入性をより低くする。
【０３８９】
一実施形態では、マウントは、ライフルスコープを調整するユーザの能力を邪魔しないように、ターレット及び視差ノブから離れて対物レンズに向かって配置される。更に、トップリングは取り外し可能で、レーザ測距計など、補助デバイスの容易な取り付けを可能にする。本明細書で開示されるピカティニーマウントを利用することにより、一体化されたベースがライフルスコープを固定するので、リングの上側部分から更に構造的な支持を必要としない。
【０３９０】
一実施形態では、マウントは、ライフルスコープの対物レンズに向かって前方に延びる片持ち式ピカティニーレールを組み込む。これにより、兵器に搭載されるレーザ測距計は、ライフルスコープのベルの上方に直接着座することができる。このマウント様式により、着弾ずれの減少と測距デバイスの精度向上とが可能となる。それは、所望の標的を捉えることに起因して測距デバイスに影響を与える不確定要素が少ないので、着弾ずれの可能性を減らす。
【０３９１】
４．データポート
一実施形態では、本開示は、主本体と、像を生成して生成された像を観察光学機器の主本体の第１の焦点面においてシーンの像と結合するためのアクティブマイクロディスプレイを備えたベースと、を備えた観察光学機器に関し、ベースは、限定ではないが、遠隔制御スイッチ及びレーザ測距計を含む補助デバイスとインタフェース接続するために、軸方向に向けられたデータポートを有する。
【０３９２】
図３６は、主本体２１０と、軸方向に向けられたデータポート３６０５を備えたベース２２０とを有するライフルスコープ３６００の代表的な概略図である。一実施形態では、観察光学機器は、１つの軸方向に向けられたデータポートを有することができる。別の実施形態では、観察光学機器は、２又は３以上の軸方向に向けられたデータポートを有することができる。
【０３９３】
軸方向に向けられたデータポート３６０５を利用することにより、観察光学機器全体のトップダウン・プロファイルが最小限度に抑えられ、これにより、搭載された系及びその接続部の堅牢性が向上する。
【０３９４】
５．外部ビデオソース
一実施形態では、ベース内のアクティブディスプレイは、限定ではないが、熱撮像システム及び暗視システムを含む、クリップオン・デバイスの光学トレイン又は光学系として使用することができる。
【０３９５】
熱撮像システムは、一般的に人間の目で捕捉できない電磁スペクトルの様々な波を撮像してユーザに伝えることを可能にする。従来の熱式兵器照準器は、対となる２つの系；シーンを見る赤外線光学系と、ライフルスコープの前面にこの像を再現するためにマイクロディスプレイとレンズからなる可視波長光学系とから構成される。また、「暗視」システムとして知られるものを作り出す、触媒による光子増強の事例もある。しかしながら、クリップオン・デバイスは通常、ライフルスコープの主本体の前面でライフルレールに取り付けられる。この構成は、一般的にスコープで結像する周囲光の全てを遮り、デジタル像だけの使用を可能にする。従来の像に戻すには、ユーザはシステムをレールから取り外す必要がある。これは、照準を変更する度に行う位置合わせ設定のせいで、着弾ずれを引き起こす可能性がある。また、これらのクリップオン・ユニットは、ユニット内のデジタルディスプレイの背後に接眼レンズ／撮像システムを必要とするため、大型化する傾向がある。従来のシステムでは、何れのライブビデオフィードも、可視スペクトル出力を含めて、完全なデジタル像となる。
【０３９６】
図３７は、主本体２１０と、熱撮像ユニット３７０５の光学系として使用できる、アクティブディスプレイ１２１０と集光器光学機器１２２０とを備えたベース２２０と、を有するライフルスコープ３７００の代表的な概略図である。アクティブディスプレイ１２１０は、スコープの主本体の第１の焦点面に合焦する像を生成し、ビームコンバイナを用いてこの像を従来の昼間光学機器に統合する。デジタルディスプレイの統合により、ユーザは、デジタル像を周囲の昼間光学機器の上に重ね合わせることができる。本明細書で開示されるデジタルディスプレイの場合、周囲昼間光学機器を見るために、クリップオン・ユニットを観察光学機器の前面から取り外す必要がない。それどころか、必要に応じてデジタルディスプレイをオン／オフすることができる。
【０３９７】
デジタルディスプレイの統合により、昼間可視光学機器とデジタル光学機器の間で切り替える際に像のずれがゼロとなる。システムが完全に統合されているため、デジタル光学機器をオンにする度にゼロインする必要がない。このシステムは、コンバイナ光学系の位置合わせにより、同期している。
【０３９８】
一実施形態では、デジタルディスプレイの統合により、一般的にクリップオン・ユニットの後半分となる光学トレインが用意される。観察光学機器のベース内には既にマイクロディスプレイが存在するので、熱照準には赤外線光学機器だけが必要とされる：熱センサで生成された像はアクティブディスプレイに伝送されるが、それは既に観察光学機器のベースに組み込まれている。このように熱照準又は暗視照準を統合することで、熱／暗視デバイスは現在市場に出回っている兵器照準器よりも遥かに短く軽量となる。これにより、光学トレインの半分が、観察光学機器の主本体と結合するベースに直接組み込まれるため、より小型で軽量なシステムの設計が可能となる。感知デバイスを収容するクリップオン・ユニットに後部光学系又はディスプレイを統合する必要がない。
【０３９９】
更に、熱光学機器がライフルスコープの対物レンズを遮らないように熱式兵器照準器をライフルスコープの側面に取り付けたとすると、ユーザが観察する可視像の上に熱画像を重ね合わせることが可能となろう。これは、さもなければ中性昼光シーンでは目立たない熱識別特性を備えた人間、動物、又はあらゆるものを強調表示することができるという利点を有することになる。
【０４００】
一実施形態では、本明細書で開示されるデジタルディスプレイの統合は、昼間可視照準器を遮ることなく、観察光学機器の焦点面内へのライブビデオフィードを行うという利点を生成する。
【０４０１】
一実施形態では、デジタルディスプレイの統合により、ライブ熱撮像視などのイメージングオーバレイ及びハイパスペクトル・オーバレイシステムのシームレスな統合が可能になる。可視像は、別のデジタルディスプレイではなく、ここではアナログである。
【０４０２】
一実施形態では、本明細書で開示されるデジタルディスプレイの統合は、たとえデジタルシステム上で電力が突然尽きた場合でも、画像フィードが継続するという利点を生み出す。真のアナログ像が依然として利用できることになるが、従来のデジタル出力システムの場合はそうではない。
【０４０３】
一実施形態では、デジタルディスプレイの統合により、複数種類の撮像システムを観察光学機器の前面から離れて取り付けることができる。熱撮像システムは、観察光学機器の底面又は側面と整列し、依然として観察光学機器の主本体内の焦点面上に直接、この像を送り込むことができる。
【０４０４】
６．ＥＭＩ透過窓
一実施形態では、観察光学機器の主本体、ベース、又は主本体とベースの両方は、無線通信に使用される電磁波に対して透明な材料で密封された窓を有することができる。透明な材料は、限定ではないが、プラスチック、樹脂又はエポキシを含む。
【０４０５】
一実施形態では、この窓により、電磁波は、観察光学機器の金属体からの相互作用を低減させた状態で、通信デバイスから伝搬することが可能となる。これは、データの伝送可能な速度を増大させる。また、これにより、無線通信デバイスは、低減した信号損失に起因して、より低い電力レベルで動作することができる。
【０４０６】
ＩＩＩ．追加のセンサ／デバイス
別の実施形態では、本開示は、主本体と、統合表示システムと１又は２以上のセンサとを備えたベースと、を有する観察光学機器に関する。一実施形態では、センサは、限定ではないが、全地球測位システム、加速度計、磁力計、ＭＥＭＳレートセンサ、傾斜センサ、レーザ測距計を含む。
【０４０７】
Ａ．指向角、標的位置、及び通信
一実施形態では、観察光学機器は、慣性空間における兵器の指向角を決定するために慣性ＭＥＭＳレートセンサを有することができる。例示的な製品は、Ｓｙｓｔｒｏｎ  Ｄｏｎｎｅｒ社のＬＣＧ−５０とＳｉｌｉｃｏｎ  Ｓｅｎｓｉｎｇ社のＳｉＲＲＳ０１である。別の実施形態では、加速度計を埋込み式電子機器に組み込んで、観察光学機器の絶対傾斜角を決定し、一般的な移動又は発射事象に起因する兵器の加速度を追跡することができる。
【０４０８】
ターゲティングを支援するために、様々な実施形態では、観察光学機器、ＧＰＳ及び／又はデジタルコンパスを有することができる。一実施形態では、ＧＰＳ及び／又はデジタルコンパスは、例えば基板レベルのモジュールとして、観察光学機器に統合することができる。別の実施形態では、ＧＰＳ及び／又はデジタルコンパスは、観察光学機器と通信する別個のデバイスと関係することができる。
【０４０９】
幾つかの製造業者は、フォームファクタが小さくて低消費電力特性を有する、ＧＰＳ及びデジタルコンパス機能用のシェルフモジュールのカスタム品を提供している。これらのデバイスは、埋込み式部品に一体化されるように設計されている。例えば、Ｏｃｅａｎ  Ｓｅｒｖｅｒ  Ｔｅｃｈｎｏｌｏｇｙ社は、０．５度の精度を備えたＯＳ４０００−Ｔコンパスを製造しており、それは３０ｍＡ未満の消費電力を有し、３／４インチ角より小さい。ＧＰＳデバイスの一例は、１６ｍｍ×１６ｍｍのサイズで、２メートルの精度を提供する表面実装パッケージで入手できる、Ｄｅｌｏｒｍｅ社製ＧＰＳ２０５８−１０モジュールである。
【０４１０】
一実施形態では、観察光学機器は、ＢＡＥパーソナル・ネットワーク・ノード及び新興のＳＲＷ無線などのシステムにインタフェースで接続するように設計された有線及び無線機能の一方又は両方を提供するデータインタフェースを有することができる。これらのインタフェースは、距離、センサ、及び他の戦術上データ（例えば、対同士討ち検出器、環境センサなど）といった様々な通信機能を提供する。この独特な機能は、様々な実施形態において、環境、標的、及び状況認識情報を取得し、対象の共同体に伝達するのに使用される。一般的に言えば、様々な実施形態は、兵士が様々な受動的及び能動的なソースからデータを迅速に取得し、再取得し、処理し、そして別な方法で弾道的発射解に統合し、これにより射手としての戦力を高められるように設計される。
【０４１１】
別の実施形態では、センサは、異なる標的のリアルタイムの位置データを観察光学機器の主本体の第１の焦点面上に生成するために、アクティブディスプレイに情報を提供する。別の実施形態では、センサは、統合表示システムと通信する外部デバイスの一部である。
【０４１２】
このようなセンサを観察光学機器内で、又は観察光学機器に堅く接続された外部デバイス上で、又は観察光学機器が搭載された兵器上で使用することにより、観察光学機器の正確な位置と共に、観察光学機器が向けられた正確な方向を取得することができ、観察光学機器の位置及び照準方向に関係して外部標的を計算することができる。
【０４１３】
ユーザが観察光学機器を周囲に移動させる、又は標的が観察光学機器に対して移動すると、標的の位置は、統合表示システムと通信するセンサによって連続的にリアルタイムで更新されるので、ユーザは、観察光学機器を通して観察することによって、標的の見える位置と関連して標的がどこにあるのかを確かめることができる。
【０４１４】
この手法は、隊員が異なる場所にいて特定の標的位置を互いに通信しようとする可能性がある軍事用途で強力な実用性を有する。例えば、近接航空支援（ＣＡＳ）の場合、操縦士は航空機を操縦し、地上部隊は、標的に爆弾を投下する航空機に頼る場合がある。多くの場合、地上部隊が標的の正確な位置を航空機に伝えることは困難である。地上部隊と航空機の間で標的情報を伝える過程は、しばしば「標的と話し続ける」と呼ばれ、標的の近くにどのようなランドマークが見えるかなど、部隊又は航空機がその視野内で何を見ているのかを伝達する必要がある。
【０４１５】
この過程は、多くの場合にかなりの時間を要し、空からは地上で見るのとは異なって見えることが多いため、混乱を招く可能性がある。航空機が標的を間違えると味方の部隊又は非戦闘員に爆弾を投下する可能性があるので、各部隊は、全員が同じ標的を見ていると確信することが極めて重要である。
【０４１６】
位置センサ及び姿勢センサが統合表示システムのアクティブなレチクルディスプレイと通信できるようにすることで、これらの問題は解決される。観察光学機器のユーザはスコープ内の標的を指定することができ、スコープは、スコープのＧＰＳ位置、それが指し示す正確な方向、及び標的までの距離を知っており、標的の正確なＧＰＳ座標を計算することができる。この情報は、味方の部隊全てが接続している、リンク１６などの普遍的なシステムに供給することができる。これで、航空機はただ自機のディスプレイを見るだけよく、別の部隊が新しい標的を指定するとすぐにその標的が地図上に表示される。
【０４１７】
これにより、標的の発見が格段に早くなり、両部隊が同じ標的を見ていることの確認が格段に容易となる。標的の位置を決定する上で精度が極めて重要なので、アクティブディスプレイで生成された像は、観察光学機器の主本体の第１の焦点面に表示する必要がある。アクティブディスプレイから生成された像が観察光学機器の主本体の第２の焦点面に投入された場合、標的位置は、観察光学レチクルがその「零点規正」位置にある時にだけ正確となる。観察光学機器のユーザが、例えば長距離標的に合わせるために、ターレットを幾らかでもダイヤルを回した場合、ディスプレイ内の標的情報の全ては、ターレットを回した量だけシフトして、正確ではないことになる。
【０４１８】
アクティブディスプレイ像が第１の焦点面に導入される状態でこれを使用することによって、表示されるデータは、レチクル位置に対してなされた調整に無関係であり、自動的に補正される。これは、視野内の標的データが常に正確であることを意味する。
【０４１９】
Ｂ．環境センサ
一実施形態では、観察光学機器は、弾道補正のために環境データを収集して使用するように設計された１又は２以上の圧力センサ、湿度センサ、及び／又は温度センサを有することができる。センサは、観察光学機器内への組み込みに適した小型の構成で入手できる。小型で、低消費電力、防水の気圧センサの一例は、Ｉｎｔｅｒｓｅｍａ社製のＭＳ５５４０である。この構成部品のサイズは６．２×６．４ｍｍである。
【０４２０】
一実施形態では、センサは、観察光学機器の主チューブ又は観察光学機器のベースに結合させることができる。
【０４２１】
Ｃ．上り傾斜及び下り傾斜
一実施形態では、観察光学機器は、垂直方向に対するスコープの傾斜角を測定するために使用できるｚ軸加速度計を有することができる。この傾斜角は、標的の選択時に弾道解に組み込むことができる。標的が選択されると、システムは、実際の上り傾斜又は下り傾斜の傾斜を自動的に弾道解に組み込んで、デジタルレチクル又は修正された照準点が正しく表示されるように、観察光学機器の第１の焦点面にその解を表示することができる。これにより、長距離の上り傾斜又は下り傾斜での交戦において、非常に迅速且つ効果的な照準手段を提供することができる。
【０４２２】
ＩＶ．表示システムを備えた観察光学機器及びレーザ測距計
一実施形態では、本開示は、主本体と統合表示システムを備えたベースとを有する観察光学機器と、レーザ測距計とに関する。一実施形態では、レーザ測距計は、観察光学機器に結合される。別の実施形態では、レーザ測距計は、観察光学機器から独立しており、無線で又はケーブルを介して観察光学機器と通信する。
【０４２３】
一実施形態では、レーザ測距計は、バッテリ区画を介してベースに取り付けられた取り付けレールによって、観察光学機器に結合される。
【０４２４】
一実施形態では、レーザ測距計を用いて、標的までの距離を決定することができる。様々な実施形態では、レーザは、隠密のために近赤外線で伝わる。近赤外線（ＮＩＲ）で動作するレーザ測距計デバイスに使用される典型的な波長は、９０５ｎｍである。
【０４２５】
一実施形態では、特定のレーザ出力及びスペクトル特性を選択して、観察光学機器の距離要件と目の安全性要件を満たすようにする。測距計は、実例として１５００メートル、２５００メートル、或いは観察光学機器と共に使用することを意図した銃器又は兵器と関係する有効距離まで、正確な測定値を生成するのに十分な出力である。測距計の操作に関して、一部の実施形態では、測距計測定を行う又は実行するために、単一のボタン制御が専用となっている。
【０４２６】
一実施形態では、標的までの距離は、標的までの距離の像を生成し、標的シーンを観察する時に標的までの距離を観察光学機器の第１の焦点面に重畳するアクティブディスプレイに、伝達することができる。
【０４２７】
一実施形態では、観察光学機器は、弾道計算性能を備えたコンピューティングデバイスを有する。一実施形態では、観察光学機器の主本体が、弾道計算性能を備えたコンピューティングデバイスを有する。
【０４２８】
一実施形態では、レーザ測距計を用いて、標的距離を測定し、発射体の弾道を計算し、修正された照準点を統合表示システム内のアクティブディスプレイに伝達することができ、次にアクティブディスプレイは、修正された照準点の像を、可動正立レンズ系にレチクルを取り付けた観察光学機器の第１の焦点面に重畳する。
【０４２９】
重要なことは、アクティブディスプレイ生成された像が、第１の焦点面の前方で標的からの像と結合されてから、第１の焦点面に合焦するため、標的像とディスプレイ像とが互いに対して決して移動しないことである。従って、可動正立系がどのように調整されるかに関わらず、デジタルディスプレイによって生成されたいかなる照準基準も常に正確となる。
【０４３０】
外付けのレーザ測距計がライフルスコープに距離情報を供給する場合、レーザで正しい標的に命中させるためにＬＲＦが視野内のどこに狙いを付けているかをユーザが知るために、デジタルディスプレイで照準基準又はレーザデジグネータを作成する必要がある。ライフルスコープの主本体におけるデジタルディスプレイ像と対物レンズ系の標的像とは、互いに対して移動しない。従って、デジタルレーザデジグネータは、可動正立レンズ系を移動するためにターレットをどのように調整したとしても、ＬＲＦレーザ照準点の正しい位置をユーザに正確に示すことができる。
【０４３１】
その一方で、デジタルディスプレイ像が第１の焦点面の後方のどこかで光学系に統合されるとすると、ターレットを調整して正立レンズ系が移動／傾斜した場合に、デジタルディスプレイの像は標的像に対して移動し、デジタルＬＲＦデジグネータは実際のレーザ照準点に対して移動することになる。これは、ユーザが何らかの仰角調整又はウィンデージ調整をターレットにダイヤル設定し、ユーザがデジタルレチクルを実際のレーザ照準点に位置合わせした時にターレットが設定されていた元の位置に戻し忘れた場合、不正確な距離測定に繋がる可能性がある。
【０４３２】
更に、従来のライフルスコープをライフル銃に零点規正する時、ユーザは一般的に、「零点規正」距離、多くの場合１００ヤードを選択し、これは、ライフルスコープのレチクルをライフル銃の発射体の着弾点と位置合わせするのに使用される。これは通常、レチクルをライフル銃の発射体の着弾点と位置合わせするために、ライフルスコープのターレット、ひいては正立レンズ系の傾斜角を調整することによって達成される。ライフルスコープの初期「零点規正」が設定された後、ターレットにより、異なる距離の標的に対する補償、発射体の着弾点が初期「零点規正」位置からどこに変わるかに影響を与える偏流変数の変更に対して補償するために、ユーザがライフルスコープのレチクル位置に対して更に調整を行うことができる。
【０４３３】
デジタル表示が第１の焦点面の後方でライフルスコープシステムに統合されるとすると、弾道的に計算された照準点の補正係数は、ユーザが初期「零点規正」からターレットに何らかの調整を行った場合に不正確となる可能性がある。例えば、標的に命中させるには１０ミリラジアンの仰角調整が必要であると弾道計算機が決定した場合、デジタルディスプレイは、クロスヘアの中心から１０ミリラジアン下方に照準点を配置することになる。しかしながら、ユーザが初期「零点規正」の位置から５ミリラジアンを仰角ターレットにダイヤル設定していたとすると、デジタル照準点は実際には初期「零点規正」の下方１５ミリラジアンに狙いを付けることになる。
【０４３４】
ライフルスコープの主本体の光学系の第１の焦点面にデジタル表示を導入することにより、デジタル表示がターレットの調整又は正立系の位置におけるいかなる変化にも全く影響されないようにすることができる。つまり、上記の例では、合計で１０ミリラジアンの正しい弾道降下のために、デジタル照準点がレチクルの中心から５ミリラジアン下方に現れるだけとなる（ユーザは以前に、初期「零点規正」位置から５ミリラジアンだけ仰角ターレットを回していた）。要するに、デジタルディスプレイ像を主本体の光学系の第１の焦点面に導入することにより、デジタルディスプレイ像は、ターレット位置のあらゆる変化、ひいては正立レンズ系の移動／傾きに完全に無関係となり、必要とされる精度を提供する。
【０４３５】
一実施形態では、レーザ測距計の性能は、取得されたデータに基づいて動的に定められる弾道解を提供する。標的までの距離は、トレーサの軌跡を処理する時に内蔵コンピュータで使用され、次の射撃用の弾道修正を決定するために使用する測定済み軌跡経路に沿って、最良の点を決定することができる。
【０４３６】
一実施形態では、レーザ測距計はスコープに組み込まれ、専用の出射レーザ伝送ポートを有する。一実施形態では、この専用レーザ軸の光路は、主対物レンズで遮られないようにハウジングの隅に位置決めされる。入射する反射レーザ信号用の検出経路はスコープの主対物レンズを通り、その光は、近赤外線ビームスプリッタによって光検出器に向けられる。この配置は、主対物レンズの比較的大きなアパーチャを利用して、測定の信号対ノイズ比を増大させる。
【０４３７】
図３８〜４４は、光学系を備えた主本体３８１０と、統合表示システムを有して主本体３８１０に結合されたベース３８２０と、を有する観察光学機器３８００の写真を提供し、レーザ測距計３８３０が主本体３８１０の上部に結合されている。観察光学機器３８００は、外部ソースとの通信用に２つの補助ポート３８０５を有することができる。観察光学機器３８００は、ベース３８２０内の電池キャビティ３００５に対する電池キャップの外側に結合するピカティニーマウント３３０５を有することができる。
【０４３８】
図４５〜４６は、光学系を備えた主本体４５１０と、統合表示システムを有して主本体４５１０に結合されたベース４５２０と、を有する観察光学機器４５００の図解を提供し、レーザ測距計４５３０が主本体４５１０の上部に結合されている。観察光学機器４５００は、レーザ測距計４５３０との通信用に単一の補助ポート４５３５を有することができる。
【０４３９】
図４７及び４８は、光学系を備えた主本体４７１０と、統合表示システムを有して主本体４７１０に結合されたベース４７２０と、を有する観察光学機器４７００の図解を提供する。特定の実施形態では、観察光学機器４７００は、ピカティニーマウント４７３０を有することができる。特定の実施形態では、観察光学機器は、補助ポート４７３５を有することができる。
【０４４０】
Ｖ．追加の実施形態
１．デジタル零点規正
一実施形態では、本開示は、位置合わせ及び零点規正のためにデジタルレチクルを使用する方法に関する。一実施形態では、観察光学機器は、物理レチクルとデジタルレチクルを有し、物理的レチクルはマウントシステムに接続されている。ユーザは、ターレットを用いて物理レチクルを「零点規正」し、レチクルの中心が弾丸の着弾点と一致するようにレチクル及びマウントシステムを移動させる。
【０４４１】
物理レチクルを零点規正した後で、デジタルレチクルも零点規正する必要がある。デジタルレチクルは、位置が固定されたアクティブディスプレイ又はデジタルディスプレイによって形成されるので、デジタルレチクルを零点規正する又は位置合わせする唯一の方法は、デジタル手段を使用することによる。デジタルレチクルの位置は、デジタルレチクルの中心が物理レチクルの中心と一致するように、ユーザが移動することができる。
【０４４２】
別の実施形態では、デジタル零点規正はまた、レーザデジグネータと共に用いることができる。外付けレーザ測距計と連動させて使用する場合、観察光学機器のレーザデジグネータは、レーザ測距計が指し示す方向と揃っている必要がある。ほとんどの外付けレーザ測距計は、可視レーザと赤外線レーザを有する。赤外線レーザは、実際に距離を測定するレーザである。可視レーザは、オン／オフさせることができ、赤外線レーザの照準と一致する 可視レーザによって、ユーザは、レーザがどこに狙いを付けているのかを確かめることができる。可視レーザがオンになると、ユーザは、可視レーザの照準点と一致するようにレーザデジグネータをデジタル的に調整することができます。次いで可視レーザをオフにすることができ、ユーザは観察光学機器表示内のレーザデジグネータを用いて、レーザ測距計の正確な照準を確保にすることができる。
【０４４３】
２．ホログラフィック導波管
一実施形態では、本開示は、第１の光学系を備えた主本体と、アクティブディスプレイとホログラフィック導波管とを備えたベースと、を有する観察光学機器に関する。一実施形態では、ホログラフィック導波管の統合により、従来のビーム結合系のパッケージサイズ及び重量が低減する。ホログラフィック導波管の統合により、各光学系の光がより大きな割合でエンドユーザに届くように、全体的な透過輝度比を増加させることができる。
【０４４４】
図４９は、主本体４９１０内の光学系と、アクティブディスプレイ１２１０を有するベースと、ホログラフィック導波管系４９２５と、を備えた観察光学機器４９００の代表的な図である。ホログラフィック導波管系４９２５は、主本体４９１０並びにベース４９２０に跨る。デジタルディスプレイ又はアクティブディスプレイ１２１０は、コリメーション光学素子４９３０に像を生成し、コリメーション光学素子４９３０は、この像を入射ホログラム導波管４９２６に送る。この像は、出力ホログラム４９２７を介して導波管を出て、光学系４９４０の第１の焦点面４９３０に導入される。
【０４４５】
一実施形態では、ホログラム導波管の統合により、ビームコンバイナになされる特殊なコーティングの必要性が低下する。更に、ホログラフィック導波管の統合より、ミラー系の必要性がなくなり、複雑な機械式位置合わせシステムの必要性が軽減される。
【０４４６】
ホログラフィック導波管の統合により、表示を結像させるために必要とされる複雑な光学系の複製を作り出すことができ、全ての系に置くべき複雑な系に対する必要性が排除される。
【０４４７】
ホログラフィック導波管の統合により、光学系内で情報を表示するためにＬＣＯＳ、ＬＣＤ及びＯＬＥＤシステムの使用が可能となる。システムの性質上、システム内で使用される種々のタイプのディスプレイと連動して、様々なタイプの照明系を使用することができる。
【０４４８】
ホログラフィック導波管の使用により、非静的な照明レチクルの実装が可能となる。 このレチクルは、画面上の像が変化する通りに変化させることができる。ホログラフィック導波管は、従来の照明方法を必要とせず、昼光の明るいレチクルシステムを可能にする。
【０４４９】
ホログラフィック導波管の統合により、非静的なホログラフィック視界を生成する機能が作り出される。出力結合ホログラムは、マスタ光学系で規定された光を送ることができ、ホログラフィック視界の照準ピクチャの変化を可能にする。
【０４５０】
ホログラフィック導波管の統合は、あらゆる単色又は多色光源と共に用いることができる。複雑な多重化ブラッググリッドを使用することで、多色照明系の統合が可能となる。
【０４５１】
３．弾丸軌跡の追跡
長距離交戦に関係する困難の１つは、最初の射撃の精度を判定して、次の射撃の精度を向上させるために適時に修正できるようにする能力である。そのラウンドの着弾点を決定するのに使用される従来の技法は、弾丸の痕跡及び／又は実際の弾丸飛散点を検出しようとすることである。これは、多くの長距離交戦で困難な可能性がある。狙撃兵チームの場合、追撃射撃では、適切なデータを射手に送り返すために、観測手からのフィードバックも必要となる。これには、口頭伝達だけを用いて数秒を要する場合がある。
【０４５２】
一実施形態では、観察光学機器は、弾丸の飛翔経路と関係する画像フレームを検出し、これらの画像フレームをコンピューティングデバイスに伝達するように適合された画像センサを有することができ、その場合、コンピューティングデバイスはこれらの画像フレームから弾丸の軌跡を計算することができる。
【０４５３】
一実施形態では、主本体と統合表示システムを備えたベースとを有する観察光学機器により、標的領域に着弾する直前の弾丸の軌跡を決定するために、内蔵の画像処理機能で曳光弾を検出することができる。一実施形態では、このデータを弾道コンピュータに伝達して戻し、これにより迅速且つ効率的に第２ラウンド用の追撃発射解を生成することができ、この解は、アクティブディスプレイに伝達され、修正された照準点が観察光学機器の主本体の第１の焦点面に重畳することができる。
【０４５４】
コンピュータによる軌跡及び飛散点の検出を備えたフィードバックループを自動化し、これをアクティブディスプレイに結びつけ、第１の焦点面に電子的な照準点修正を重畳することによって、正確な第２射撃を行うのに必要とされる総時間が有利に減少する。この時間削減は、交戦過程における極めて重要な点となる場合がある。第１射撃を行った後、特に第１射撃の衝撃波音が意図する標的に到達した時点を超えて遅れた場合には、第２射撃を行う好機はすぐに狭まる可能性がある。
【０４５５】
環境条件とウィンデージドリフトは、長距離にわたるラウンドの弾道軌跡に相当な影響を与える可能性がある。例えば、Ｍ１９３の弾丸は、時速１０マイルの適度な横風において５００ヤードで約４フィートだけドリフトする可能性がある。弾丸の速度は飛翔の範囲及び総時間が増加するにつれて減少するので、ウィンデージの影響は、距離が大きいほどより一層過大なものとなる。
【０４５６】
様々な曳光弾のオプションが利用可能である。標準的なトレーサは、飛翔経路内の弾丸の軌跡を確かめるために射手によって従来から使用されている。曳光弾では、トレーサ材の組成に応じて可視スペクトル又はＩＲスペクトルで光を放つことができる。後者は、射手が暗視機器を使用している場合に有効である。更に、一部のトレーサは、初めは微かに発光し、ラウンドが距離に沿って進むにつれて明るくなる場合がある。ヒューズ素子は、弾丸が十分に距離に沿うまでトレーサ材の発火を遅らせるために、そのラウンドの発射の後にトレーサが輝くタイミングを制御することができる。ヒューズの遅延は、トレーサが射手の発射位置を明らかにしてしまうというリスクを低減する。
【０４５７】
一実施形態では、統合表示システムを備えた観察光学機器は、標的領域に着弾する直前の弾丸の軌跡を検出、決定、及び／又は表示するために曳光弾を使用することができる。一実施形態では、長遅延ヒューズを有し、電磁スペクトルの近赤外領域（７００〜１０００ｎｍ）で発光する隠密トレーサを使用することができる。近赤外領域で放出された光は、人間の目には見えないが、従来のガラス光学機器を用いた撮像センサによって検出することができる。このタイプの曳光弾は、次射撃修正要件を正確に決定するために重要な自動化弾丸追跡機能を提供しながらも、スナイパ作戦に対する射手の隠密性を維持する上で特に有効であるとすることができる。このように、様々な実施形態は、本明細書に記載する機能を実装するために、１又は２以上の曳光弾と連携するように適合される。
【０４５８】
昼光実施形態の撮像センサは可視光にも敏感なので、標準的な昼光トレーサも、弾丸追跡のために使用することができる。可視光と近赤外光の双方の場合において、システムは着弾前の最後の瞬間に弾丸の飛翔を検出するだけでよいので、曳光弾では、隠密性を高めるために長遅延ヒューズを有するという利点を活かすことができる。
【０４５９】
一実施形態では、観察光学機器と関係するカメラは、弾丸の軌跡を記録することができ、観察光学機器に埋め込まれた一式のセンサを用いて、弾丸の厳密な地理位置的軌跡、並びに弾丸の着弾点を計算することができる。
【０４６０】
別の実施形態では、観察光学機器はまた、銃器からの反動を補償するために安定化カメラを使用することができる。観察光学機器は、安定化カメラの移動を正確に追跡し、その移動を補償して弾丸の地理位置的軌跡を正確に計算することになる。この実施形態により、射手は、自分自身の軌跡を正確に追跡し、あらゆるミスをより正確に補正できることになる。
【０４６１】
双方の実施形態で、弾丸の地理位置的軌跡を次いで他のユーザと共有することができ、他のユーザも、自分の視野内にその軌跡を表示するためにマイクロディスプレイ又はホログラフィ技術を用いる別のライフルスコープ、スポッティングスコープ、又はゴーグルなど、自分が使用しているデバイスでディスプレイを起動させる。
【０４６２】
一実施形態では、弾丸軌跡の追跡は、光っている飛翔中のトレーサ弾丸のビデオフレーム画像を取り込むステップを組み込む。選択された画像フレーム内での弾丸の空間的位置は、画像処理技術によって抽出され、次いで弾丸の軌跡を確立するために他のビデオフレームからのデータと互いに関係付けられる。
【０４６３】
画像フレームは、発射事象との相関性に基づいて処理するために選択される。弾丸が兵器から発射されると、様々な実施形態に含まれる内蔵の兵器軸加速度計から得られた加速度計データを処理することにより、銃口出射の時間が直ちに判定される。次に、銃口出射時間からの相関窓が開始され、その場合、様々な実施形態でビデオ画像のフレーム毎の処理が始まり、その中で、空間内の特定Ｘ−Ｙ位置において曳光弾と関係するピクセルの小クラスタを特定する。弾丸はＸ−Ｙフレーム内で少数の個別ピクセルを通過するので、フレーム画像は、弾丸を捕捉するために最適化された露光時間で撮影することができる。カメラのフレームレートと銃口出射時間が分かっているので、各フレームにおける兵器から弾丸までの距離は、弾丸の既知の飛翔特性を用いて確立することができる。このデータは、各兵器及びその関係するラウンドに関連した内蔵テーブルに含まれる、又は代わりに、兵器照準器との戦術ネットワーク通信から受信される。
【０４６４】
レーザ測距計の測定値から標的までの絶対的な距離が分かっていれば、その標的距離に対応する軌跡上の点を決定することによって、標的距離におけるラウンドの位置を計算することができる。この技法の優れた点は、測定が飛翔中のデータから行われ、物理的な表面への弾丸の衝突に依存しないことである。計算された位置は、兵器の位置に対する仰角及び方位角に対応することになり、精度を高めるために必要とされる弾道指向修正を決定するために使用することができる。この次射撃弾道修正計算の一部として、様々な実施形態では、慣性指向角データを用いて、銃口出射時の銃の慣性指向角と飛散時の指向角との間で相対基準点を計算する。これにより、計算は、標的距離への弾丸の飛翔時間中に生じた銃のあらゆる角運動を考慮することができる。
【０４６５】
４．追加の構成
図５０は、スコープ本体５００５と、スコープ本体５００５の上部の区画又はノッチ５０１０とを有するライフルスコープ５０００の代替の実施形態を示す。区画５０１０は、アクティブディスプレイ５０１５と集光器光学機器５０２０とを備えた統合表示システムを有する。統合表示システムは、ディスプレイ５０１５と集光器光学機器５０２０がビームコンバイナ５０２５と平行になるように配向される。この実施形態では、ミラーなどの反射面は必要とされない。
【０４６６】
図５１は、スコープ本体５００５と、スコープ本体５００５の上部の区画又はノッチ５０１０とを有するライフルスコープ５０００の代替の実施形態を示す。区画５０１０は、アクティブディスプレイ５１０５と、集光器光学機器５１１０と、ミラー５１１５とを備えた統合表示システムを有する。統合表示システムは、ディスプレイ５１１５と集光器光学機器５１１０がビームコンバイナ５０２５と垂直になるように配向される。図５１では、アクティブディスプレイ５１０５は、観察光学機器の対物レンズ系と比べて接眼レンズ系に近接している。
【０４６７】
図５２は、スコープ本体５００５と、スコープ本体５００５の上部の区画又はノッチ５０１０とを有するライフルスコープ５０００の代替の実施形態を示す。区画５０１０は、アクティブディスプレイ５１０５と、集光器光学機器５１１０と、ミラー５１１５とを備えた統合表示システムを有する。統合表示システムは、ディスプレイ５１１５と集光器光学機器５１１０がビームコンバイナ５０２５と垂直になるように配向される。図５２では、アクティブディスプレイ５１０５は、観察光学機器の接眼レンズ系と比べて対物レンズ系に近接している。
【０４６８】
アクティブディスプレイ５１０５から生成された像はミラーに導かれ、スコープ本体５００５内のビームコンバイナ５０２５を用いて、観察光学機器を通して観察者によって観察されるシーンの像と結合され、生成された像と観察像を同時に重畳又は重ね合わせることができ、結合像が第１の焦点面に導入される。ビームコンバイナ５０２５は第１の焦点面１５１０より前に位置決めされ、結合像は第１の焦点面上に合焦するので、生成された像と観察像とは互いに対して移動しない。これは、第２の焦点面に像を導入するデバイスと比べて大きな進歩である。
【０４６９】
更に別の代替の実施形態では、観察光学機器は、スコープ本体と、アクティブディスプレイと集光器光学機器とを備えた分離可能なベースとを有し、アクティブディスプレイ及び集光器光学機器は、ビームコンバイナと平行である。この実施形態では、ミラーなどの反射面は必要とされない。ベースは、観察光学機器の主本体の底部と結合する。
【０４７０】
マイクロディスプレイ５１０５から生成された像は、スコープ本体内のビームコンバイナを用いて、観察光学機器を通して観察者によって観察されシーンの像と結合され、生成された像と観察像を同時に重畳する又は重ね合わせるようにすることができ、結合像は第１の焦点面に導入される。ビームコンバイナは第１の焦点面より前に位置決めされ、結合像は第１の焦点面上に合焦するので、生成された像と観察像とは互いに対して移動しない。これは、第２の焦点面に像を導入するデバイスと比べて大きな進歩である。
【０４７１】
本明細書で開示される光学照準及び方法は、ディスプレイ又は観察装置、デバイス、照準器、又はスコープとすることができ、兵器、銃、ライフル銃、レーザ標的ロケータ、測距計のためのもの、又はその上にあるもの、又はこれらの一部、又はこれらに対するアドオン付属品としてものとすることができる。実施形態は、兵器、又は装置に搭載することができ、或いは手持ち式又はヘルメット搭載式とすることができる。
【０４７２】
Ｖ．高度なレチクル特徴を備えた観察光学機器
Ａ．倍率設定に基づくアクティブディスプレイのパターン
一実施形態では、本開示は、主本体と統合表示システムを備えたベースとを有する観察光学機器に関し、統合表示システムのアクティブディスプレイは、視野の第１の焦点面に投影される複数のレチクルパターンを生成する。
【０４７３】
一実施形態では、本開示は、主本体と統合表示システムを備えたベースとを有する観察光学機器に関し、統合表示システムのアクティブディスプレイは、倍率レベルに基づいてレチクルパターンを生成する。
【０４７４】
一実施形態では、本開示は、観察光学機器の倍率レベルを追跡又は監視することができる１又は２以上のセンサを備えた主本体と、統合表示システムを備えたベースとを有する観察光学機器に関し、統合表示システムのアクティブディスプレイが倍率レベルに基づいてレチクルパターンを生成する。倍率レベルに応じて、アクティブディスプレイシステムは、種々の光学倍率レベルに対して最適化された種々のレチクルパターンを生成することができる。一実施形態では、統合表示システムのアクティブディスプレイは、倍率レベルに基づいてレチクルパターンを自動的に切り替えることができる。
【０４７５】
一実施形態では、統合表示システムを備えた観察光学機器は、使用されている特定の倍率設定に対して最適化されたデジタル特徴又は照準点を投影することができる。
【０４７６】
一実施形態では、観察光学機器の主本体は、観察光学機器の光学倍率の調整を示す信号を生成するために、照準デバイスの倍率調整機構に関連付けられたセンサを有する。観察光学機器は更に、センサ及び統合表示システムのアクティブディスプレイと通信する電子コントローラを含む。電子コントローラは、センサが生成した信号に応答して、アクティブディスプレイと通信してレチクルパターンを生成し、該レクチルパターンは、遠方の対象物の像上に重畳されて接眼レンズを通してその視野内で観察可能である。
【０４７７】
一部の実施形態では、電子コントローラ及びアクティブディスプレイは、第１の倍率設定値を示す信号に応答して、近接戦闘用レチクルパターンなどの第１のレチクルパターンを生成するように構成され、並びに、第１の倍率設定値よりも大きい第２の倍率設定値を示す信号に応答して、電子コントローラ及びアクティブディスプレイは、第１のレチクルパターンとは異なる第２のレチクルパターンを生成することができる。例えば、第２のレチクルパターンは、スナイパレチクルなどの長距離レチクルパターンとすることができる。
【０４７８】
一部の実施形態では、センサは、電気機械式又は光学式のデジタルエンコーダ（回転式でも線形でもよい）、ポテンショメータ、１又は２以上の磁石と１又は２以上のホール効果センサとの組み合わせ、或いは倍率調整機構の位置又は移動を感知して対応する電気信号を生成するように動作可能な他の適切なデバイスを含むことができる。一実施形態では、センサは、図６９及び７０に記載されている。
【０４７９】
一実施形態では、アクティブディスプレイは、観察光学機器の主本体内にない。
【０４８０】
一実施形態では、１又は２以上のレチクルパターンは、限定ではないが、２、３、４、５、６、７、８、９、１０、１１、１２、１３、１４、１５、１６、１７、１８、１９、２０、及び２１パターン以上を含むパターン数から選択することができる。一実施形態では、統合表示システムを備えた観察光学機器は、少なくとも１０、又は少なくとも２０、又は少なくとも３０、又は少なくとも４０、又は少なくとも５０のレチクルパターンの中から選択することができる。
【０４８１】
一実施形態では、統合表示システムのアクティブディスプレイは、特定の倍率設定に基づくレチクルパターンを視野の第１の焦点面に投影する。倍率設定を変更すると、アクティブディスプレイから生成されたレチクルパターンは、照準点が操作者にとって直ちに役に立つように切り替わる。レチクルの切り替えは、倍率設定に基づくことができる。
【０４８２】
例として、限定ではないが、１Ｘの倍率設定では、アクティブディスプレイは、第1焦点面に投影される小さなセンタドットを生成することができる。倍率を８Ｘに変更すると、アクティブディスプレイは、第１の焦点面に投影される長距離ホールドオーバ・ドットを備えたクロスヘア・パターンを生成する。センサが倍率の変更を判定し、これがコントローラに伝達され、これによりアクティブディスプレイのレチクルパターンが変更される。
【０４８３】
一実施形態では、統合表示システムを備えた観察光学機器は、操作者が短距離及び長距離の標的と交戦するのを支援するように設計された情報及び照準点を投影する。一実施形態では、複数の「ページ」の情報又はレチクルパターンを設計して、システムにロードすることができ、倍率設定に応じて異なるページを表示することができる。
【０４８４】
一実施形態では、アクティブディスプレイからのレチクルパターンは、第１の焦点面のエッチング式レチクルの上に投影される。デジタルレチクルをエッチング式又は固定式のレチクルに投影することで、システム障害の場合に必要な保護が提供される。
【０４８５】
図５３は、倍率１Ｘでの近接戦闘用レチクル５３００の代表的な図である。弓形の太い線５３０５、主水平線５３０７、主垂直線５３０９、数字及び矢印は、エッチング式レチクルの構成要素である。センタドット５３１０は、統合表示システムのアクティブディスプレイから生成される。このタイプのレチクルは近接戦闘に使用され、センタドットは、迅速な標的捕捉用照準点を表す。
【０４８６】
図５４は、図５３のレチクルの概略図であるが、観察光学機器の倍率設定を８ｘにしたものである。図示のように、アクティブディスプレイから投影されるセンタドット５３１０は、倍率８Ｘの下では目立ち過ぎるほどに大きくなっている。
【０４８７】
図５５は、観察光学機器が８Ｘの倍率設定に設定された場合に有用な情報を提供するレチクルパターン５５００の代表的な図である。弓形の太線５５０２、主水平線５５０４、主垂直線５５０６、数字及び矢印が、エッチング式レチクルを表している。中央照準点５５１０、６つの弾道補正ウィンデージドット５５２０、並びに標的までの仮想距離を表示する測距計デジグネータを示す左上の正方形５５３０は、アクティブディスプレイによって生成された構成要素である。
【０４８８】
図５６は、低倍率設定でのレチクルパターン５５００の代表的な図である。
【０４８９】
図５３〜５６を参照すると、光学倍率設定が１Ｘの場合、レチクルパターン５３００は、エッチング式レチクルの特徴５３０５、５３０７、及び５３０９と共に、アクティブディスプレイから生成されて第１の焦点面レチクルの上に投影された複数のマーク５３１０（円及び／又は照準ドットなど）の第１セットを含む。好ましくは、マーク５３１０の第１セットによって少なくとも部分的に形成されたレチクルパターン５３００は、図５３に示すような、雑然さの少ない可視領域を提供するために最小限のマークを有する近接戦闘用レチクル（ＣＱＢレチクル）の一種である。
【０４９０】
光学倍率設定値が増大すると、電子コントローラ及びアクティブディスプレイは、（限定ではないが、図６９及び７０に記載するセンサを含む、センサから受信した信号に応答して）第１のレチクルパターンを複数のマークの第２セットと置き換え／変更し／交換し、その第２セットは、第１のレチクルパターン５３００とは異なる第２のレチクルパターン５５００を（少なくとも部分的に）形成し、典型的には少なくとも幾つかの異なる機能を含む。
【０４９１】
例えば、第２のレチクルパターンは、距離の推定、ウィンデージ調整及び仰角調整の計算、又は図５５に示すような測距レチクルで一般に使用される他の適切なマークと関連するような、異なる照準特徴と追加のマークを含むことができる。
【０４９２】
従って、アクティブディスプレイ用に複数「ページ」の特徴及びレチクルパターンを生成し、これらをメモリシステムに保存し、操作者が観察光学機器の倍率設定値を変更する際にレチクルパターンを自動的に切り替えることは、非常に有用であることが分かる。
【０４９３】
Ｂ．アクティブなＢＤＣレチクル
弾道落下補正（ＢＤＣ）レチクルは、水平方向クロスヘアの下方に位置付けられる垂直クロスヘアの部分にハッシュマークを配置するように設計される。これらのハッシュマークは、試行する特定の距離で設計され、特定の弾道プロファイル又はそのセットと厳密に一致する。
【０４９４】
しかしながら、現行のＢＤＣレチクルの設計は固定設計である。これは、レチクルがワイヤ、金属を用いて、又はガラスをエッチングして製造されることに起因する。レチクルを製造してライフルスコープに設置すると、このレチクルは、取り出して新しいものを設置することなしには変更することができず、実際には、スコープを製造業者に送り返すことで達成できるに過ぎない。
【０４９５】
一実施形態では、本開示は、光学系を備えた主本体と、アクティブディスプレイを備えた統合表示システムを有するベースとを有する観察光学機器に関し、このアクティブディスプレイは、ユーザによりいつでも手動で変更できる、或いは更に、観察光学機器のソフトウェア及びセンサによってリアルタイムで自動的に変更できるＢＤＣレチクルを生成することができる。
【０４９６】
本明細書で開示される観察光学機器用のＢＤＣレチクルを生成するため、ライフルスコープは、ライフル銃及び発射する弾薬の特定の弾道プロファイルに対してプログラムすることができる。次に、観察光学機器は、上述のように温度、圧力、湿度、カント角、傾斜角などのセンサを有し、これらは、ＢＤＣレチクルが全ての条件に対して可能な限り正確となるように、ＢＤＣレチクルに対してリアルタイムの更新を提供する上で助けとなることができる。これにより、ＢＤＣレチクルは、各ライフル銃及び特定の射撃条件に合わせてカスタマイズすることができる。
【０４９７】
アクティブディスプレイによってリアルタイムで生成されたＢＤＣレチクルによって、射手は、様々な距離で正確且つ迅速に射撃するための正確なシステムを有することができる。
【０４９８】
図５７に示すように、レチクル５７００は、主水平線５７０２、主垂直線５７０４、並びに主垂直クロスヘアに沿った数値マーキング及びハッシュマークを含む、標準的なエッチング及び充填の部分を有する。レチクル５７００はまた、アクティブディスプレイによって生成されて第１の焦点面レチクルに投影されたパターン及びマークを有する。この形態のＢＤＣレチクルにおけるアクティブディスプレイのマークは、数値マーキング５７１０（第３及び第４象限における垂直軸上の１００〜９００）を含む。この部分はデジタルディスプレイから投影されるので、リアルタイムで更新することができる。
【０４９９】
アクティブなＢＤＣレチクルに加えて、ユーザ／射手は、標的が急速に様々な距離で現れる可能性のある領域において他の構成員を援護する位置に自分がいるのに気付くことがある。例えば、ビルの上で、交差道路又は出入り口のある路地又は道路を見下ろしている狙撃者が挙げられる。アクティブディスプレイは、コンパス、カント角、傾斜角、ＧＰＳなどのライフルスコープに組み込まれた様々なセンサと連動して使用することができ、ライフルスコープが指し示す方向を正確に決定することができる。
【０５００】
環境センサを有する観察光学機器、第１の焦点面にＢＤＣレチクルを生成して投影するためのアクティブディスプレイを有する統合表示システム、及び測距計を用いて、ユーザは、ドア、窓、車などの既知のランドマークに照準を合わせ、コントローラ及びアクティブディスプレイを使用してこれらランドマーク上に距離マーカを配置することができる。これらの距離マーカは、第１の焦点面に投影され、観察光学機器を通して見ることができる。環境センサにより、ユーザは、観察光学機器を移動させて別の標的を観察することができるが、距離マーカは標的の上に留まる。
【０５０１】
図５８は、アクティブディスプレイで生成されて第１の焦点面レチクルに投影されたＢＤＣレチクルの代表的な像であり、潜在的な標的までの距離が表示されている。環境センサを備えた主本体と、ＢＤＣレチクルを生成するためのアクティブディスプレイを備えた統合表示システムを有するベースとを有する観察光学機器により、ユーザは、１又は２以上の領域内の複数標的に距離表示を付けることが可能となる。この場合、標的が標的マーカの近くに現れた場合、ユーザは、標的に照準を合わせなくても、標的までの距離を迅速に特定できることになる。次にユーザは、アクティブなＢＤＣレチクルを用いて素早く正しい位置に保持し、標的に合わせることができる。
【０５０２】
Ｃ．銃器のカントを補正するレチクル
従来のライフルスコープでは、長距離射撃を行う場合、射撃時に銃器とスコープが水平であることが重要である。弾丸が長距離を移動する場合、弾は、射手が考慮しなければならない程度に重力の影響を受ける。重力は弾丸を地面に向かって終始一貫した方向に引っ張り、「弾丸の落下」を引き起こす。射手は、弾丸が標的に到達するまでには適切な高さまで落下して標的に命中するように、標的よりも高く狙いを付けることでこの弾丸の落下を補償する。
【０５０３】
図５９は、カント角の代表的な図である。この三角形は、上が角度１０°で下が直角の直角三角形であることがよく分かる。１０ミリラジアンの辺は、斜辺である三角形の辺になっており、クロスヘアの傾斜した垂直断面を表す。しかしながら、重力は三角形の垂直な辺に作用している。
【０５０４】
三角法を用いて、垂直な辺の長さを次の式で解くことができる：Ｃｏｓ１０°  ＝  ｘ／１０ミリラジアン。ｘについて解くと９．８５ミリラジアンという結果になる。つまり、この例では、ユーザ／射手は１０ミリラジアンを保持した又はダイヤル設定した可能性があるが、９．８５ミリラジアンの射撃を補正したに過ぎない。長距離では、これは的を外すに十分である。
【０５０５】
一実施形態では、本開示は、アクティブディスプレイを用いて、銃器のカントを補正できるレチクルを生成する統合表示システムを備えた観察光学機器に関する。ユーザは、カント角を気にすることなく、シームレスに遠距離射撃を行うことができる。
【０５０６】
従来のライフルスコープでは、レチクルは金属、ワイヤ、又はガラス上に恒久的にエッチングされたパターンの何れかである物理的なクロスヘアである。これは、レチクルのカントが常に固定されていることを意味する。しかしながら、リアルタイムレチクルを生成するアクティブディスプレイ技術の場合、パッシブ画像の上にデジタルレチクルを重ね合わせることによって、デジタルレチクルをいつでも変更することができる。一実施形態では、観察光学機器は、カント角を補正するためにアクティブディスプレイによって生成されたレチクルを瞬時に配向することのできる内部カントセンサを有する。
【０５０７】
図６０は、統合表示システムのアクティブディスプレイによってマーク及びパターンがカント用に配向されて生成された、レチクル６０００の代表的な図である。主水平線６００２及び主垂直線６００４は、パッシブ又はエッチング式又は固定式のレチクルによって提供される。アクティブレチクル６０２０によって生成された照準点は、カントを補正し、パッシブレチクルの上に投影される又は重ね合わされる。枢動点６０１０はレチクルの中心にある。この場合、電子コントローラ／マイクロコントローラは、カント角センサ及び傾斜角センサから収集された情報を使用し、ソフトウェアロジックを適用し、アクティブディスプレイと通信して、この時点での銃器の向きに対応する新しい零点規正位置、関係する幾何学的配置及びホールド点を反映するように生成された像の照準点６０２０を調整することになる。ユーザは、パッシブレチクル又は固定式レチクルの代わりに、アクティブディスプレイで生成されたデジタルレチクルで撃つことになる。
【０５０８】
別の実施形態では、統合表示システムのアクティブディスプレイは、カントを補正すると共に、デジタルレチクル上の照準点を上下に調整することによって上り傾斜角又は下り傾斜角での射撃を補正する、デジタルレチクルを生成することができる。これにより、この種の状況での射撃を補正するためにしばしば使用されるコサインインジケータが不要となる。
【０５０９】
Ｄ．偏流インジケータを備えたデジタルレチクル
従来のライフルスコープでは、風インジケータを有するレチクルは通常、ガラスエッチング式レチクルである。多くの場合、これらのレチクルはグリッドパターン又はドット列を備え、狙いを付けて風速を補償するために使用する基準点をユーザが有することができるようになる。これらのレチクルについての問題点は、レチクルがガラス片上を物理的且つ恒久的にエッチングされるために、この形状及びサイズが固定されることである。
【０５１０】
一実施形態では、本開示は、主本体と、標的までの距離を補償する偏流インジケータを使用するデジタルレチクルを生成するためのアクティブディスプレイを有する統合表示システムを備えたベースと、を有する観察光学機器に関する。一実施形態では、デジタルレチクルは、パッシブレチクルの上に重ね合わされる。パッシブレチクルの上に重ね合わされたデジタルレチクルを使用することにより、観察光学機器は、特定状況の弾道、距離、及び環境に対してリアルタイムのウィンドホールドを適合させることの可能なレチクルを有することができる。
【０５１１】
一般的に、距離が長くなるほど、横風が弾丸に与える影響は大きくなる。デジタルレチクルを使用することで、距離が増大するにつれてウィンドホールドをより広げて、標的に対する特定距離での風値を補償することができる。
【０５１２】
図６１は、レチクル６１００の代表的な図である。複数の構成要素又はマーカが、主水平方向クロスヘア６１０２及び主垂直方向クロスへア６１０４を含むパッシブレチクルによって提供される。統合表示システムのアクティブディスプレイは、５００ヤードに測距された標的６１０５と、特定条件に対するウィンドホールド６１１０とを生成して投影する。補助水平線（主垂直線を横切る）の端は５ｍｐｈの偏流に等しく、次のドットは１０ｍｐｈであり、最も外側のドットは１５ｍｐｈとなる。アクティブディスプレイから生成された像６１０５及び６１１０は、パッシブレチクルの上に重ね合わされる。
【０５１３】
図６２は、レチクル６２００の代表的な図である。複数の構成要素又はマーカが、主水平方向クロスヘア６２０２及び主垂直方向クロスへア６２０４を含むパッシブレチクルによって提供される。統合表示システムのアクティブディスプレイは、１０００ヤードに測距された標的６２１０と、特定条件に対するウィンドホールド６２２０とを生成して投影する。水平線（主垂直線を横切る）の端は５ｍｐｈの偏流に等しく、次のドットは１０ｍｐｈであり、最も外側のドットは１５ｍｐｈとなる。アクティブディスプレイから生成された像６２１０及び６２２０は、パッシブレチクルの上に重ね合わされる。補助水平線６２２０がより幅広く延び、風ドットは、弾丸がより長い距離を移動する際に誘発される追加の偏流を補償するために、５００ヤード（図６１）の解と比べて更に両側に広がっていることが分かる。
【０５１４】
Ｅ．第２射撃修正用の中央グリッド付きレチクル
従来、パッシブレチクルは、様々な条件及び様々な弾道で射撃するために射手が多くの基準点を有することができるように設計されてきた。しかしながら、条件及び弾道の多様性が非常に幅広く変化するため、これらのレチクルは、線又はドットのグリッドなど、ユーザにとってレチクルが雑然又は煩雑に見える原因となる多くの特徴をレチクル上に有する傾向があった。
【０５１５】
一実施形態では、本開示は、アクティブディスプレイで生成され、パッシブレチクルに重ね合わされるデジタルレチクルを備えたレチクルシステムに関する。デジタルレチクルの使用により、情報を必要に応じて適切に表示することが可能となって、特定の情報をパッシブレチクル上に表示する必要がなくなり、これにより、よりすっきりした又はより見分け易いパッシブレチクルが提供される。
【０５１６】
一実施形態では、本開示は、アクティブレチクルと連動して最も効率的に機能するように設計されたパッシブレチクル又はアナログレチクルを有する観察光学機器に関する。アクティブレチクル技術により、観察光学機器は複雑な計算を行い、ユーザに弾道解を表示することができる。一般的に、弾道解は、視野の中心又はパッシブレチクルのクロスヘアの中心にない。このため、ユーザには、弾道解の上に中心をホールドオーバするか、又は弾道解が視野の中心に、且つパッシブなクロスヘアの中心に来るまでターレットを回して射撃を行うかの何れかの選択肢が与えられる。
【０５１７】
一実施形態では、本開示は、線及びドットの広大なグリッドを使用する、以前のパッシブレチクルがもたらしたような視野の妨害を最小限に抑えながら、射手が最も効果的且つ効率的に第２射撃修正を行うことを可能にするアナログレチクル及びデジタルレチクルを備えた観察光学機器に関する。
【０５１８】
図６３は、低倍率におけるレチクル６３００の広角図の代表的な図である。水平方向クロスヘアの下方に、それほど目障りでないドット列が使用されている。このパッシブレチクルは、観察光学機器の電池電源又は電子機器の故障でアクティブディスプレイを生成できない場合に、バックアップとして使用することができる。
【０５１９】
図６４は、レチクル６４００の中央部分のクローズアップ図の代表的な図である。図６４は、より高い倍率の眺めを提供する。この像は、統合表示システムのアクティブディスプレイによって生成された小さなグリッド６４１０を示し、レチクルの中心に位置付けられる。これにより、ユーザは、第１射撃着弾位置の正確な測定を行って正確な第２射撃修正を行うことができる。
【０５２０】
一実施形態では、アクティブディスプレイによって生成されるグリッド６４１０は、高さよりも幅が大きい。これは、第１射撃に関する着弾の仰角計算の方が偏流の推定よりも正確であるため、特に設計されている。この実施形態では、小さなグリッドの小さなプラスの特徴は、照明されない非常に細かい特徴であり、極めて精密な測定を可能にする。
【０５２１】
アクティブレチクル又はデジタルレチクルでは、非常に接近して第１射撃を取得する必要があり、従って、中央グリッドは、水平方向クロスヘア下方で視野のかなりの部分を網羅する広大なグリッドを必要とする典型的なパッシブレチクルよりも、遥かに小さくすることができる。
【０５２２】
ＶＩ．自動輝度調整
本出願全体にわたって議論するように、統合表示システムにより、アクティブディスプレイで生成されたデジタル像を外部シーンの像の上に重ね合わせることが可能となる。このアクティブディスプレイは、ディスプレイの照明された部分を用いて、外部シーンの像に導入される。ディスプレイを最も使い易くするには、パッシブなシーンの輝度と照明されたディスプレイの輝度とのコントラスト比を高くして、両方を容易に見えるようにすることが望ましい。ディスプレイが暗過ぎると、ユーザは見ることができない。ディスプレイが明る過ぎると、ディスプレイはパッシブなシーンを圧倒する。
【０５２３】
一実施形態では、本開示は、統合表示システムを備えた主本体と、特定標的の輝度を検出してこれを補正することができる光センサとを有する観察光学機器に関する。
【０５２４】
図７１は、主本体７００５と、主本体に結合されたベース７０１０とを備えた観察光学機器７０００の代表的な概略図を示している。主本体７００５は、外部シーンの像を観察するための光学系と、ビームコンバイナ７０２０とを有し、ビームコンバイナ７０２０の上方にはフォトセンサ７０２５と光フィルタ７０３０とが位置付けられる。これにより、フォトセンサは、視野内に障害物を生じることなく標的シーンを直接見ることができる。ベース７０１０は、観察光学機器の第１の焦点面に投影される像を生成するためのアクティブディスプレイを備えた統合表示システム７０１５を有する。
【０５２５】
フォトセンサ７０２５と光フィルタ７０３０は、外部シーンの像の輝度とアクティブディスプレイから生成された像の輝度との間に高いコントラスト比を生成する。
【０５２６】
一実施形態では、フォトセンサの前面にあるフィルタの透過帯域は、十分に狭く調整することができるので、標的の輝度だけが測定され、測定を歪めることになる表示システムからの追加の光は測定されない。
【０５２７】
ＶＩＩ．自動測距性能を備えた観察光学機器
一実施形態では、本開示は、自動測距を支援するカメラの使用を組み込んだ統合表示システムを備えた観察光学機器に関する。一実施形態では、本開示は、統合表示システムを備えた観察光学機器と、自動測距を支援するカメラと、レーザ測距計とを備えたシステムに関する。
【０５２８】
一実施形態では、本開示は、統合表示システムを有する観察光学機器と、画像認識技術を組み込んだカメラとに関する。本明細書で開示されるシステム及び方法は、標的解を取得する速度を大幅に増大させ、照準点に影響を与える可能性のあるボタン押下を不要にする。更に、本明細書で開示されるシステム及び方法は、人工知能をシステムに統合して、測距された標的解の質を判定する。
【０５２９】
一実施形態では、観察光学機器は、画像認識技術を組み込んだカメラを有する。一実施形態では、カメラは、統合表示システムを有する観察光学機器か銃器の何れかに取り付けることができ、ライフルスコープの照準点の方向を向くことになる。
【０５３０】
一実施形態では、カメラは、標的を検出して、標的を強調表示するために統合表示システムのアクティブディスプレイと通信するための人工知能を有する。別の実施形態では、人工知能システムを観察光学機器に組み込むことができる。一実施形態では、人工知能システムは、観察光学機器の主本体に結合されたベース内に設置することができる。
【０５３１】
別の実施形態では、画像認識技術を欠いた熱撮像カメラを使用することができる。これにより、熱画像をアクティブディスプレイに伝達し、観察光学機器内の外部シーンの像の上に重ね合わせることが可能となる。観察光学機器は、対象となる「ホットスポット」だけを表示するようにプログラムすることができる。例えば、ホットスポットは、人の熱、又は車両の熱などを示す。人工知能を排除することで、システムが消費する電力が大幅に削減される。更に、適切なホットスポット全てが視野内に現れ、ユーザは、それぞれのホットスポットを評価して標的が有効か否かを判定することができる。
【０５３２】
有効な標的を特定した後、ユーザは、視野内のＬＲＦデジグネータが所望のホットスポットの上に来るように観察光学機器を移動するだけである。ＬＲＦデジグネータをホットスポットに合わせるとすぐに、システムは自動的にＬＲＦを起動させてホットスポットの距離を取得する。距離を取得した後、観察光学機器は標的の距離のホールド点を表示するか、又は単に距離を示すことができ、ユーザは、アクティブＢＤＣモードを使用して、標的までの適切な測定距離に対してアクティブなＢＤＣレチクルをホールドオンすることができる。
【０５３３】
システムに対する追加の機能は、ホットスポットが有効な距離の取得に足りるだけ長くＬＲＦデジグネータ内に残存しているかどうかを自動的に検出できるというものである。そうでない場合、解を表示するより前に、有効な標的捕捉を達成するのに適切な長さの時間だけホットスポットがＬＲＦデジグネータ内に残存するまで、距離の表示を待つことになる。これにより、ボタン押下に対する第２の問題が排除されることになる。
【０５３４】
一実施形態では、本開示は、観察光学機器の第１の焦点面に投影される重ね合わせカメラ画像を使用すること、並びにこの画像をＬＲＦデジグネータと連動して使用し、自動的に標的を測距することに関する技術及び方法に関する。
【０５３５】
ＶＩＩＩ．電力を節約するためにフォトセンサを備えた観察光学機器
一実施形態では、本開示は、統合表示システムと省電力システムとを備えた観察光学機器に関する。一実施形態では、省電力システムは、観察光学機器の主本体に結合されたベース内に設置することができる。一実施形態では、省電力システムは、近接センサを備える。一実施形態では、近接センサはマイクロコントローラと通信する。
【０５３６】
一実施形態では、省電力システムは、ユーザ／操作者が観察光学機器を覗いていない時に、観察光学機器をスリープモード又はスタンバイモードにするために使用することができる。一実施形態では、システム及び機構は、ユーザ／操作者が観察光学機器の接眼レンズ後方に検出された時に、観察光学機器を目覚めさせる又は起動させることができる。
【０５３７】
電子機器をスリープ状態又はスタンバイ状態にする現行の方法は、「タイムアウト」機能の使用によるが、観察光学機器が近接戦闘任務に使用されている場合、観察光学機器は、これを覗いている操作者がいる限り、不確定な時間の間オン状態に留まる必要があるため、これは不利である。移動を検出してシステムをオンにするために、加速度計を使用することもできる。この方法の欠点は、操作者が観察を行っている場合に、操作者がまだ観察光学機器を覗いているにも関わらず、銃は長時間にわたりほとんど移動がなくてスリープ状態になる可能性があることである。
【０５３８】
一実施形態では、本開示は、観察光学機器の接眼レンズ後方に検出された操作者が存在する時に観察光学機器をオンにすることによって電池電力を節約するシステムに関する。
【０５３９】
一実施形態では、省電力システムは、観察光学機器を使用する時に操作者の顔から数インチ以内に近接センサを実装することと適合性のある何れかの電気光学機器で使用することができる。
【０５４０】
一実施形態では、本開示は、主本体と、主本体に結合されたベースとを有する観察光学機器に関し、ベースは、接眼レンズの方を向いたベースの背面に窓を有する。
【０５４１】
一実施形態では、ベースは、キャリアに設置された近接センサを有し、キャリアは、接眼レンズの方を向いたベースの端部に位置付けられる窓の中に設置される。近接センサは、それが窓から数インチ以内で反射を検出した時に、ベース又は主本体内のマイクロコントローラに信号を伝達することができる。対象物がセンサを起動させる距離は工場で調整することができ、或いは、操作者がセンサの感度を調整するか、又は自動スリープ／スタンバイ機能を無効化／有効化することを可能にするためにソフトウェアオプションをユーザインタフェースに組み込むことができる。
【０５４２】
図７２は、ベース７２０５を有する観察光学機器７２００の代表的な図である。ベース７２０５には、観察光学機器の主本体の接眼レンズの方に向けて窓７２１０が設置される。窓７２１０内には近接センサ及びキャリア７２１５が設置され、接眼レンズの下方に位置付けられる。
【０５４３】
図７３及び７４は、省電力システムを備えたベースを有する観察光学機器７２００の代表的な図であり、観察光学機器はライフル銃に取り付けられている。操作者の顔は、観察光学機器の背面から数インチ以内となることが分かる。観察光学機器７２００のベース７２０５内のセンサ７２１５は、操作者の顔からの反射を検出し、これにより観察光学機器をスリープモードから目覚めさせる。操作者が観察位置から頭部を移動させると、センサはもはや反射を見なくなり、観察光学機器をスリープモード又はスタンバイモードにすることになる。
【０５４４】
ＩＸ．電力レールを備えた観察光学機器
一実施形態では、本開示は、主本体と、統合表示システムを備えたベースとを有する観察光学機器に関し、観察光学機器には、ホスト銃器に収容された外部電源から給電することができる。一実施形態では、観察光学機器は、主本体と、主本体に結合されたベースとを有し、銃器から観察光学機器へ電力を供給するために電気ピンがベースに組み込まれている。別の実施形態では、遠隔キーパッド組立体に組み込まれた電気ピンを用いて、銃器から観察光学機器に給電することができる。
【０５４５】
一実施形態では、本開示は、観察光学機器に長時間にわたって追加の電力を供給するための方法及びシステムに関する。
【０５４６】
一実施形態では、本開示は、主本体と、主本体に結合されたベースとを備えた観察光学機器に関し、ベースは、観察光学機器のディスプレイ、センサ、及びユーザインタフェースを制御するのに使用されるＰＣＢを有する。一実施形態では、ベースは、ベースを貫いて突出し、電源パッドと接触する電源入力ピンを有する。一実施形態では、電源パッドは、ピカティニーレールに組み込まれる。
【０５４７】
一実施形態では、ＰＣＢは、入力ピンとの相互作用を可能にする位置に配置される。一実施形態では、入力ピンは、ライフルスコープの内部を環境から保護された状態に保つために、ライフルスコープのベースに対して密封される。
【０５４８】
図７５及び７６は、主本体とベース７５１０とを有し、電源ピン７５２０がベース７５１０を貫いて突出している観察光学機器７５００の代表的な図である。
【０５４９】
図７７は、電源ピン７５２０が観察光学機器７５００のベース７５１０を貫いて突出していることを示す、観察光学機器７５００の代表的な側面プロファイルである。
【０５５０】
図７８は、内蔵ＰＣＢ７５３０に取り付けられた電源ピン７５２０を示すために観察光学機器のベースを透明にした、観察光学機器７５００の側面プロファイルの代表的な図である。
【０５５１】
別の実施形態では、銃器上のピカティニーレールによって供給される電力は、観察光学機器を制御するのに使用される遠隔キーパッドを介して観察光学機器に送達することができる。このシナリオでは、電源ピンは遠隔キーパッド内のＰＣＢに接続され、遠隔キーパッドハウジング内の内蔵リコイルラグを貫いて突出する。この場合、電力は、ケーブル内の２本の専用線を通ってライフルスコープのベースに送られる。
【０５５２】
図７９は、遠隔キーパッド７９００の上面の代表的な画像である。
【０５５３】
図８０は、電源ピン８０１０が内蔵リコイルラグを貫いて突出することを示す、遠隔キーパッド７９００の代表的な側面プロファイルである。
【０５５４】
図８１は、２つの電源ピン８０１０が内蔵リコイルラグを貫いて突出することを示す、遠隔キーパッド７９００の代表的な底面図である。
【０５５５】
図８２は、遠隔本体内部のＰＣＢ８２０５を示すためにカバーを透明にした、遠隔キーパッド７９００の代表的な底面図である。
【０５５６】
Ｘ．複数の機能を備えた単一キーパッドを有する観察光学機器
一実施形態では、本開示は、統合表示システムを有する観察光学機器と、キーパッドボタン毎に２つ以上の機能を備えた遠隔キーパッドシステムとを備えるシステムに関する。一実施形態では、遠隔キーパッドは、観察光学機器の機能の２つ以上の態様、すなわち、ボタン毎に２つ以上の機能を制御することができる。一実施形態では、ボタンの機能は、制御信号かソフトウェアビットの何れかの状態に依存する。
【０５５７】
一実施形態では、本開示は、観察光学機器及び／又は観察光学機器と共に使用される補助デバイスに対してユーザ／操作者が有する制御を拡張する遠隔キーパッドに関する。
【０５５８】
一実施形態では、本開示は、観察光学機器及び／又は観察光学機器と共に使用される１又は２以上の補助デバイスのためのキーパッドに関する。一実施形態では、２つ以上の機能がキーパッドの単一ボタンに割り当てられ、ソフトウェアビット又は別個の機械式スイッチで所望の機能を決定することができる。これにより、観察光学機器の機能性を大幅に向上させることができる。
【０５５９】
１つの代表的な実施形態では、第１のモードで、ボタンはディスプレイの輝度を変更することができ、第２のモードでは、同じボタンがシステム上の赤外線ポインタを起動させることができる。同じボタンを２つ以上の機能に使用することで、必要とされるボタンの数を最小限に抑えて、遠隔キーパッドを小さく且つ簡素に保つことができる。
【０５６０】
図８３は、３つのボタンを備えたキーパッドの代表的な図である。観察光学機器と関係付けられた遠隔キーパッドは、３つのボタンを有する。トップボタン８３０５はディスプレイの輝度を上げるために使用され、ミドルボタン８３１０はレーザ測距計を起動して標的を測距するために使用され、ボトムボタン８３１５はディスプレイの輝度を下げるために使用される。各ボタンの機能は、動作モードに依存する。
【０５６１】
一実施形態では、キーパッドは、２、３、４、５、６、７、８、９、１０、又は１１以上の動作モードを有することができる。一実施形態では、キーパッドは、キーパッド用に１０から５０までの動作モードを設定するプロセッサと通信することができる。例として、キーパッド用に１０個の動作モードを有するプロセッサと通信するキーパッドは、各ボタンに１０個の機能を与え、この機能は動作モードで決定されることになる。
【０５６２】
幾つかの方法を用いて、ボタンの機能を変更することができる。一実施形態では、ユーザ／操作者が遠隔キーパッド上のボタンを或る時間押し続けると、マイクロコントローラは、１又は２以上のボタンの機能を変更する。一実施形態では、操作者は、３つのボタンの内の１つを長時間、例えば１秒の間、押し続けることができ、これが、観察光学機器内部のマイクロコントローラに対して、ボタンに新しい機能を割り当てるビットを変更するように信号を送ることになる。一実施形態では、トップボタン８３０５を或る時間押し続けるとモードＡを設定することができ、ミドルボタン８３１０を或る時間押し続けるとモードＢを設定することができ、ボトムボタン８３１５を或る時間押し続けるとモードＣを設定することができる。各ボタンと関わり合う時間を変えることで、更なる動作モードを起動させることができる。例えば、ボタン８３０５を５秒間保持することで、モードＡを起動させることができ、ボタン８３０５と５回のクイックタップで関わることで、モードＦを起動させることができる。
【０５６３】
別の実施形態では、遠隔キーパッドボタンの機能は、観察光学機器上の別個の機械式スイッチを介して変更することができる。一実施形態では、機械式スイッチは３つの異なる位置を有することができ、これらは、マイクロコントローラ内の３つの異なるビット又はプログラムと通信する。これらのビット又はプログラムを用いて、遠隔キーパッドボタンに様々な機能を割り当てることができる。
【０５６４】
代表的な例が、図８４に示されている。観察光学機器は、遠隔キーパッド８３００と通信するスイッチ８４００を有する。第１設定点８４０５では、遠隔キーパッド８３００のトップボタン８３０５にディスプレイの輝度を増大させる機能を割り当てることができ、ミドルボタン８３１０はレーザ測距計を起動させることができ、ボトムボタン８３１５はディスプレイの輝度を減少させることができる。機械式スイッチ８４００が第２設定点８４１０に設定された場合、トップボタン８３０５及びボトムボタン８３１５の機能が観察光学機器上の補助的なポインティングレーザをオン／オフするようにプログラムすることができ、ミドルボタン８３１０は、依然としてレーザ測距計を起動するようにプログラムすることができる。機械的スイッチ８４００が第３設定点８４１５に設定されると、３つのボタンの機能を再度変更することができる。例えば、観察光学機器にデジタル磁気コンパスが装備され、位置及びランドマークデータがマイクロコントローラのメモリに保存されている場合、対象物の位置に関する情報を観察光学機器の視野内に表示することができる（拡張現実データ）。
【０５６５】
一実施形態では、キーパッドは、様々な動作モードをキーパッドの各ボタン又はスイッチに割り当てることを可能にする観察光学機器のプロセッサと通信する。例えば、一動作モードでは、キーパッドのボタンは、対象となる標的にマークを付けるための特定の機能を有する。操作者は、レーザ測距計を用いて標的を測距し、デジタル磁気コンパスからの方位データを用いて、視野内部の対象となる標的に「マークを付ける」ことができる。キーパッド上のボタンには、この任務に特に適した機能を割り当てることができる。
【０５６６】
キーパッド上の中央ボタンを用いて、レーザ測距計を起動し、標的を測距することができる。一度標的が測距されると、トップボタンとボトムボタンを用いて、例えば、「ランドマーク」、「味方」、「敵」、「不明」など、標的を分類するために予め定義された記述語のリストから選択することができる。操作者は、この行動を終えるとすぐに、機械式スイッチを変更して、操作者が輝度設定値を変更する、赤外線レーザを起動させる、又は標的の距離範囲に対する弾道解を取得することを可能にする機能を、遠隔キーパッドボタンに迅速に再び割り当てることができる。
【０５６７】
ＸＩＩ．相対座標マッピングシステムを備えた観察光学機器
一実施形態では、本開示は、相対座標マッピングシステム及び／又はドローン技術を用いて標的を正確にタグ付けして追跡するために、統合表示システムを備えた観察光学機器を使用する技術及び方法に関する。
【０５６８】
兵士には、敵標的の位置を正確に特定できること、他の兵士、近接航空支援などとこの位置を共有できること、並びに、これらの標的を自分の主光学機器の視野内に重ね合わせることによって容易に見られることが必要とされる。これを実現するための最も明白な方法は、ＧＰＳ、コンパス方位、高度、傾斜、測距センサの組み合わせを用いることである。しかしながら、ＧＰＳに頼ることには、ＧＰＳ信号がＧＰＳ衛星との直接の見通し線を必要とするといった欠点が存在し、この見通し線は常に可能であるとは限らない。相対座標技術及び／又はドローンを用いると、ＧＰＳの必要性を減らすことができる。相対座標技術は、統合表示システムを有する観察光学機器と連動して使用する場合に、実現可能となる。
【０５６９】
一実施形態では、ユーザは、統合表示システムを備えた観察光学機器をランドマーク又は標的に向け、これに「タグ付けする」ことができる。ユーザが複数の標的を「タグ付け」した場合、タグ付けされた標的から相対位置マップを作成することができる。これらのタグ付き標的は、他のユーザの観察光学機器に送信することができ、他のユーザは、視野内に表示されたタグ付き標的を見ることになる。その後、この標的データは全て、観察光学機器内の１又は２以上のメモリデバイスにローカルに保存されることになる。
【０５７０】
一実施形態では、ユーザはまた、タグ付き標的の代わりとして、又はタグ付き標的を補足するものとして、ドローンを使用することができる。これは、カメラ及び適切なセンサを収容する多数の小型ドローン又はマイクロドローンの「雲」を発進させ、戦場の上空を飛行してランドマークへのタグ付け及びマーク付けを開始することによって機能することになる。ドローンは、この情報をお互いに共有してユーザの元へ戻ることができ、ユーザは、この情報を観察光学機器のアクティブディスプレイに表示させることになる。
【０５７１】
相対座標技術及び／又はドローンの雲を使用することにより、ＧＰＳの欠点を克服することができる。
【０５７２】
・複数のユーザ及び複数の観察光学機器の場合、保存された標的データに冗長性が内在するようになる。ドローンの雲を使用すると、その冗長性を更に高めることができる。冗長性があれば、信号又はデータが失われる可能性が遥かに低くなる。
・ＧＰＳは、軌道上の衛星との間で極めて長い距離にわたってデータを送受信することが必要とされる。同じ戦闘空間にいる他のユーザ、又は同じ戦闘空間内のドローンの雲を用いることで、そのネットワークはユーザ及び標的により接近したものとなり、ユーザ及び標的の座標の精度が向上する。
・ＧＰＳ衛星の数が限られているため、ＧＰＳは遮断するのがずっと容易である。ユーザ及び／又はドローンの雲があれば、全ての信号を遮断することは遥かに難しくなり、冗長性が高まる。
・ＧＰＳモジュールを不要にすることで、観察光学機器が嵩張らなくなる。
【０５７３】
ＸＩＩＩ．弾薬ステータスインジケータを備えた観察光学機器
高ストレスの状況における射撃時には、射手は、銃器内に何個の弾が残っているかが容易に分からなくなる可能性がある。現在のところ、発射位置において銃器を保持しながら銃器弾倉内に残っている弾丸の数を決定する簡単又は従来の方法は存在しない。機械的カウンターを弾倉内に追加又は一体化することはできるが、機械的カウンターをチェックするには、弾丸カウントをチェックするために射手が照準器及び／又は標的から離れて見ることが必要とする。弾倉内の弾丸の数を決定する現行の他の方法及びシステムは、射手が照準ピクチャを見失うこと、弾倉を物理的にチェックすること、又は他の方法で射手の姿勢又は位置を中断させることが必要とする。
【０５７４】
一部の弾倉は、残りの弾丸を示すために透明であるか、又は透明なウィンドウを有するが、射手は、そのレベルを観察するために射撃位置を崩す必要がある。加えて、残りの弾丸は、グリップ又はレシーバーによって覆い隠される可能性がある。軍事環境において、一部の射手は、使用している弾倉がほぼ空であることを示すために、弾倉内の最終弾丸として曳光弾を装填しているが、これにより射手の位置が暴露される可能性があり、特別な弾丸を使用することが必要となる。
【０５７５】
他の方法及びシステムではグリップ上にデジタル読み出し装置を配置することによりこの問題に対処しようとしているが、これらの読み出しは、射手に向けて後方に光を投影し、射手が残りの弾丸を視認するために照準ピクチャから集中を途切れさせる必要がある領域に配置されることが多い。場合によっては、読み出し装置は、既存の銃器構成要素へのアタッチメントであり、読み出し装置を兵器に装着するために、射手がグリップのような部品を交換する必要があることもある。一部の読み出し装置は、弾倉の底部に装着され、一部の軍事用途において使い捨て又は半使い捨てアイテム、すなわち、より高価なアイテムと見なされる可能性がある。
【０５７６】
一実施形態では、本開示は、ユーザ／射手が弾薬ステータスを監視することを可能にする統合表示システムを備えた観察光学機器に関する。弾薬ステータスは、光学列の第１の焦点面に投影され、外部シーンの画像と結合することができる。弾倉の変更を積極的に実施又は準備することで、射手は、空の兵器及び弾倉によって決定付けられる最適以下の時間ではなく、選択した時間に再装填することが可能となる。
【０５７７】
一実施形態では、本開示は、弾倉内の最終弾丸をカウントするために弾倉内の１又は２以上の磁石、兵器弾倉ウェルに取り付けられたリモコン内のセンサを使用することに関する。その後、アクティブディスプレイを介して情報が表示され、光学系の第1焦点面に投影されて、観察光学機器の接眼レンズを通して見たときに生成された画像（弾丸インジケータ／弾丸ステータス）及び外向きのシーンの画像を同時に観察することができる。
【０５７８】
これにより、射手は、光学機器内の照準ピクチャから集中を途切れさせることなく、弾倉内の最終弾丸を認識することができる。加えて、本システムには、大部分が既存のハードウェアを使用でき、兵器又は兵器の弾倉に大幅な又は高価な変更を必要としないので、最小限の重量が追加される。
【０５７９】
一実施形態では、本開示は、残りの弾丸又は弾丸カウントを光学列の第１の焦点面に投影するアクティブディスプレイを有する統合表示システムを備えた観察光学機器に関する。
【０５８０】
一実施形態では、１又は２以上の磁石は、弾倉フォロワー内に位置付けられて、兵器レシーバー上の１又は２以上のセンサをトリガーすることができる。一実施形態では、磁気センサは、観察光学機器に既に接続されているリモコンに存在することができる。リモコンは、兵器の弾倉ウェルに取り付けられる。弾倉フォロワーは、弾倉から弾丸が剥がし取られるか又は排出されると上昇し、磁気センサが、観察光学機器のアクティブディスプレイに情報を送信する。
【０５８１】
この設計により、射手は、照準ピクチャから集中を途切れさせることなく、弾倉に残っている弾丸数に関するフィードバックを得ることになる。加えて、この弾薬追跡設計は、コストが制限され、統合表示システムが既に観察光学機器に存在するので、兵器システムの重量を増加することがない。
【０５８２】
更に、センサは、兵器の弾倉ウェルに既に取り付けられているリモコンに存在することができる。
【０５８３】
一実施形態では、弾倉フォロワーは、磁場が弾倉内の弾丸に垂直に弾倉の外側に投影されるように、フォロワーの背面に配置された１又は２以上の方位磁石を有するので、磁場は、スチールケース又は装甲孔開けスチール、もしくは他の磁気的に影響を受けるチップの供給又は装填を妨げることがない。
【０５８４】
弾倉に弾倉が送られると、弾丸が弾倉から剥ぎ取られる度に、フォロワー及び磁石が上昇する。兵器のレシーバーには、ホール効果センサなどのセンサが位置付けられ、磁場、磁場の強さの変化、及び磁場の位置の変化を検出する。センサは、弾倉内のフォロワーの高さを残りの弾丸数と関連付けるために使用されるプロッセッシングユニットに信号を送信する。情報は、アクティブディスプレイに送信され、アクティブディスプレイは、この情報を観察光学機器の主本体における光学列の第１の焦点面に投影する。残りの弾丸数は、アクティブレチクルディスプレイを介して、光学機器内の射手の視野内に表示される。
【０５８５】
一実施形態では、本開示は、満杯の弾倉から空の弾倉までの弾丸カウントを表示することができる統合表示システムを備えた観察光学機器に関し、或いは、統合表示システムは、射手が弾倉内の最終弾丸に近づいていることのインジケータとしてのみ機能することができる。
【０５８６】
一実施形態では、ホール効果センサは、光学機器又は光学機器の一部を制御するか、又はこれにリンクされるリモコンに存在することができる。一実施形態では、新しい弾倉フォロワーは、弾倉に挿入することができる。
【０５８７】
ＸＩＶ．拡張現実ゴーグルからの統合画像が可能な観察光学機器
拡張現実ゴーグルは、ユーザが、自分の視野にデジタル投影され且つ通常は裸眼で見ているものの上に重ね合わされた情報を見る能力を有することができるようにするために現在開発されている技術である。これは、標的情報から、熱及び暗視イメージングまでの何れかとすることができる。
【０５８８】
この出願全体を通じて説明されるように、統合表示システムを備えた観察光学機器により、ユーザは、視野にデジタル投影され且つ通常は光学機器を通して見ているものの上に重ね合わされた情報を見る能力を有することができる。一実施形態では、本開示は、拡張現実ゴーグルからの画像を統合することができる統合表示システムを備えた観察光学機器に関する。
【０５８９】
拡張現実ゴーグルを備えたユーザが暗視モードである場合、視野全体がユーザの前方のシーンのデジタル画像で埋められる。同様に、観察光学機器はまた、暗視拡張現実を表示することができる。この状況では、ユーザがアクティブディスプレイを備えた観察光学機器を覗き込もうとした場合、ユーザの視界は、拡張現実ゴーグルによって投影されるデジタル画像によって損なわれる。
【０５９０】
一実施形態では、本開示は、統合表示システムを備えた観察光学機器が、拡張現実ゴーグルによって投影されたデジタル画像を完全に非アクティブ化するか、又は統合表示システムを備えた観察光学機器のＦＯＶが拡張現実ゴーグルを介してＦＯＶをカバーしている場合にのみ拡張現実ゴーグルの視野（ＦＯＶ）内のデジタル画像の一部を無効にすることができるようにユーザの目に提示された時点を決定することによって、この問題を解決する。
【０５９１】
兵器に取り付けられた光学機器は、ユーザが光学機器を通して明瞭に見ることができる制限領域を有することが多い。この領域は、射出瞳及び瞳距離から構成されて決定される３Ｄ空間として存在する。この領域はまた、「アイボックス」としても知られる。
【０５９２】
一実施形態では、本開示は、拡張現実ゴーグルのユーザに、統合表示システムを備えた観察光学機器が、光学機器のアイボックスに相関する近接センサを使用してユーザの目に提供される時点を決定する方法を提供するシステム及び方法に関する。
【０５９３】
一実施形態では、拡張現実ゴーグルは、統合表示システムを有する観察光学機器と通信するように構成された近接センサを有することができる。近接センサは、その形状、機能、又は技術が異なる場合がある。観察光学機器からの入力が拡張現実ゴーグルのセンサによって受信されると、拡張現実ゴーグルは、ゴーグルによって投影されたデジタル画像を完全に非アクティブ化するか、拡張現実ゴーグルの視野（ＦＯＶ）におけるデジタル画像の一部を無効にすることができる。センサからの入力は、統合表示システムを備えた観察光学機器のＦＯＶが拡張現実ゴーグルを介してＦＯＶと重なり合うことになる場合に、拡張現実ゴーグルを無効にすることができる。これを実現するための一部の方法は、ＲＦＩＤ又は他の無線送信方法を使用することができる。
【０５９４】
一実施形態では、本開示は、統合表示システムを備えた観察光学機器に取り付けられたＩＲレーザ及び拡張現実ゴーグルに取り付けられたＩＲカメラの使用に関する。ＩＲレーザは、ユーザの拡張現実ゴーグルに向けられることになる。ユーザが銃器及び統合表示システムを備えた観察光学機器をユーザの目に提供すると、ＩＲレーザは、拡張現実ゴーグル上のＩＲカメラに衝突し、統合表示システムを備えた観察光学機器がユーザの目の前に位置付けられたことを拡張現実ゴーグルに示す。拡張現実ゴーグルは、拡張現実ゴーグルの画像を遮断するようにプログラムされ、これにより、ユーザは統合表示システムを備えた観察光学機器を見ることができるようになる。
【０５９５】
別の実施形態では、ＩＲレーザはまた、拡張現実ゴーグルに対して統合表示システムを備えた観察光学機器の正確な位置及び向きを示すことができる。この機能を使用すると、拡張現実ゴーグルは、統合表示システムを備えた観察光学機器によって遮られた視野の一部の画像のみをオフにするようにプログラムすることができる。
【０５９６】
これにより、ユーザは両目を開いた状態で操作できるようになり、より広い視野が得られて状況認識が大幅に向上する。拡張現実ゴーグルは、統合表示システムを備えた視野光学系のＦＯＶの外の全てに拡張現実像を提供し、統合表示システムを備えた視野光学系は、観察光学機器の視野内の拡張現実像全てを提供する。
【０５９７】
別の実施形態では、本開示は、磁場の存在を検出及び測定するため、兵器上又は兵器内の磁石と拡張現実ゴーグルシステムにおける磁気センサの使用に関する。また、センサとマグネットの位置が逆であってもよい。センサは、ユーザがアイボックス内にいる時点を測定するように較正される。ユーザが発射位置にあり且つアイボックスを通して見ている磁場又は磁場の強さをセンサが検出すると、ゴーグルは、観察光学機器のＦＯＶを妨げないようにユーザの拡張現実ディスプレイの全部又は一部をシャットダウンすることができる。
【０５９８】
別の実施形態では、本開示は、ストック又は拡張現実ゴーグルシステムに取り付けられた圧力スイッチの使用に関する。この圧力センサは、ストックの上部に取り付けられて、射手のチェック溶接によって作動させることができる。或いは、圧力センサは、ストック上の様々な場所に取り付けることができる。ストック上に取り付けられる場合、射手が光学機器を通して見る位置にあることを示す無線送信がゴーグルに送信することができる。
【０５９９】
圧力スイッチは、様々な射手、光学機器の位置、衣服、又は他の変数に対して固定又は調整することができる。スイッチはまた、拡張現実ゴーグルシステムに信号を送信する前に、特定の圧力閾値を超えることを可能にすることができる。
【０６００】
圧力センサはまた、拡張現実ゴーグルシステム内に又は上に統合することができる。これは、射手が光学機器を通して見ている発射位置にあるときにストックに押し付けられたときにアクティブになるように配置、移動又は較正することができる。
【０６０１】
全ての構成において、統合ディスプレイシステムを備えた観察光学機器と拡張現実ゴーグルの間のシステムは、射手／ユーザが、拡張現実ディスプレイを適切な側で無効にしながら非優性／サポートから兵器を肩に乗せて発射できるように設計することができる。
【０６０２】
ＸＶ．観察光学機器の表示ドライファイアフィードバック
ドライファイアの練習中、射手は、空のチャンバー又は非実弾の何れかで兵器のトリガーを操作、照準、及び引くことによって射撃を練習する。最も基本的な形式では、射手は、空の兵器を使用して、範囲内又は範囲外の基本的な標的基準を照準に定めて練習する。その後、トリガーが引かれると、射手は、兵器の動きを観察するが、実弾を発射した場合に意図した標的に命中させたかどうかに関して、射手の観察を超えるフィードバックはない。
【０６０３】
より高度な構成では、射手は、兵器に取り付けられ又は挿入されたレーザインジケータを使用し、該インジケータが、トリガーが射撃を行ったときに銃口の動きに関してより視覚的なフィードバックを提供する。これらのレーザは、命中又はミスに関するフィードバックを提供することができるが、極めて特殊で場合によっては高価な標的システムと組み合わされた場合に限られる。
【０６０４】
一実施形態では、本開示は、観察光学機器の内部画面上に標的を生成するように構成されたアクティブディスプレイを有する統合表示システムを備えた観察光学機器に関する。センサは、内部に投影された照準点までの観察光学機器の動きを追跡することができる。次いで、射手は、兵器のドライファイアを行う。射撃がなされると、スコープは、ユーザが物理的標的に実弾を発射した場合に、ユーザが投影標的に命中したか又はミスしたかを示すインジケータを射手に提供する。
【０６０５】
一実施形態では、観察光学機器は、ユーザのために照準又は標的基準を投影することができ、観察光学機器は、標的環境全体をデジタル表示する必要はない。これにより、ユーザは、観察光学機器の主本体における光学列を介して受信している画像にデジタル標的を重ね合わせることができる。このシステムは、環境全体をデジタルディスプレイにより再現して投影する必要がないので、観察光学機器の電池寿命を大幅に延ばすことになる。
【０６０６】
一実施形態では、観察光学機器の主本体がエッチングされたレチクルを有するので、レチクル画像をディスプレイに投影する必要はない。加えて、統合表示システムを備えた観察光学機器は、弾道及びドライファイア射撃の投影された弾道を計算及び補正できるオンボードの大気センサを含む。従って、射手は、訓練時に経験している環境及び大気条件を考慮したドライファイア訓練を受けることができる。
【０６０７】
一実施形態では、統合表示システムを備えた観察光学機器は、主本体の光学列の第１の焦点面に照準点を投影するアクティブディスプレイを有する。次に、ユーザは、兵器システムを動かして、射手が実弾事象中に標的の射程距離を狙っているかのように、投影された照準点の上又はこれを基準としてレチクルを配置する。
【０６０８】
一実施形態では、観察光学機器は、内部又は外部の加速度計、ジャイロスコープ、又は他のセンサを使用して、内部投影像に関連する観察光学機器の物理的動きを追跡することができる。レチクルがシミュレーション射撃を行う位置にあるときに、射手がトリガーを引く。観察光学機器は、加速度計、マクロフォン、ジャイロスコープ、又はセンサを使用して、発射ピンの衝撃又は動きを追跡する。射撃配置及び場合によってはフォロースルーは、投影された照準点に対して射撃時の照準レチクル点にて追跡及び測定される。次に、システムは、射手が実弾状況において射撃を命中したかミスしたかに関して内部ディスプレイ上のインジケータを射手に提供する。システムは、射撃が着地した場所に関する情報を射手に提供し、及び／又はユーザが射撃配置を修正する方法、又は射手により使用された物理的手法に関する指示を提供することになる。
【０６０９】
別の実施形態では、統合表示システムを備えた観察光学機器は、ユーザがエッチング／パッシブ又はアクティブ／デジタルレチクルを使用して測定できる標的を投影するアクティブディスプレイを有する。射手は、レチクルに組み込まれたホールドを利用するか、ウィンデージ及び／又はエレベーションダイヤルをダイヤルして遠くからの射撃を複製することができる。
【０６１０】
別の実施形態では、統合表示システムを備えた観察光学機器は、レーザ側距計を使用して射手をシミュレートして、投影された標的を測距することができる。次いで、射手は、適切なホールド又はダイヤルウィンデージ及び／又は高度調整を適用して、指定距離でシミュレートされた射撃を行うことができる。
【０６１１】
一実施形態では、統合表示システムを備えた観察光学機器は、風速、風向、及び圧力、高度、温度、湿度、角度、傾斜、勾配、コリオリ効果、スピンディフト、及びヘリコプターブレードからの下降力を含むがこれらに限定されない、他の大気変化を監視及び／又は表示することができる。
【０６１２】
別の実施形態では、統合表示システムを備えた観察光学機器は、雨、雪、みぞれ、又は他の効果を含む環境効果を含むことができる。これらの大気及び／又は環境の変化は、弾道に影響を与える又はその可能性があるリアルタイム状態を反映することができる搭載センサからデジタルシミュレーション又は収集することができる。
【０６１３】
一実施形態では、統合表示システムを備えた観察光学機器は、射手に最も適切な用途のためのユーザ選択可能な標的を含むことができる。標的は、２Ｄ又は３Ｄ画像とすることができる。標的の実施例には、限定ではないが、幾何学的形状、従来の標的の形状（ボウリングピンの例）、シルエット、ブルズアイ、小型ゲーム、中型ゲーム、大型ゲーム、鳥、水鳥、人間、人間のシルエット、敵性戦闘員、特定の対物レンズの像、既知又は疑わしいテロリスト、高価値標的、機器又は車両を含むことができる。システムは、限定ではないが、歩行、トロッティング、ジョギング、ランニング、ドライビング、ライディング、水泳、飛行する標的、又は小型船又は大型船舶のピッチングデッキ上の標的の速度で移動する物体を含む、移動標的を含むことができる。動きの方向は、単一の平面に限定されない場合があるが、シミュレートされた垂直、水平、又は斜めの動きを表すことができる。標的シミュレーションは、方向及び速度が異なる場合がある。
【０６１４】
別の実施形態では、統合表示システムを備えた観察光学機器は、「射撃」又は「射撃なし」シナリオ又は部分的に隠されるか又は覆われている可能性がある標的を含む場合もあり、又は含まない場合もある。隠された物体／人物／文字は、画像処理により表示することができる。システムは、シミュレーションに適した又は「非射撃」のユニット又は像を表示することができる。システムは、他のシステムとネットワークを構築して、実際に好適なシステムがレチクル内に表示されて、ユーザが、「非射撃の基準点及び／又は銃口認識インジケータを有して、射手が不必要又は意図せずに「フラグ」を立て、又は射手の兵器を実際の「非射撃物体」に向けるようにする。
【０６１５】
一実施形態では、統合表示システムを備えた観察光学機器は、命中、ミス、又は他の情報を射手及び観察者又はトレーナーに伝達する。これは、命中又はミスを音声で区別することで伝達することができる。これはまた、様々な色、パルス、又はライトの位置を介して命中又はミスを信号で通知する外部ライトを介して通信している可能性がある。
【０６１６】
一実施形態では、統合表示システムを備えた観察光学機器は、外部システムと通信する。伝達される情報は、命中又はミスのインジケータを与えるフィードバックとすることができ、或いは、射撃が中断したときの射手の照準ピクチャを示すことができる。通信リンクは、単一方向又は全方向とすることができる。外部システムは、オブザーバー／スポッター／トレーナーの修正、コメント、又はメッセージを射手に送信し、観察光学機器内に情報を表示することができる。通信は、物理コード、無線信号、ネットワーク接続、無線周波数、又はその他のデータ送信手段を介して行うことができる。別の実施形態では、観察光学機器は、射撃軌道を記録するカメラを有することができる。
【０６１７】
別の実施形態では、統合表示システムを備えた観察光学機器は、補助システム又は外部システムと連動及び／又は通信して、より詳細な環境を生成する。システムは、熱ユニット、暗視、又はユニットに物理的又はデジタル的に接続されたＣＥＭＯＳカメラと連動して、無光又は微小光環境で熱光学機器又は標的によって表示される標的の射撃を模倣することができる。システムは、ヘッドアップディスプレイ、又は射手が着用するデジタル画面と通信して、観察光学機器の画面を超えて延び、更にユーザのヘッドマウントシステム又はディスプレイインターフェイスによって模倣又は表示される拡張現実シナリオを可能することができる。
【０６１８】
一実施形態では、統合表示システムを備えた観察光学機器は、トリガーが下がったときに光学機器と統合又は接続されたレーザシステムからレーザを発射することができる。これにより、ダウンレンジセンサ又は標的が、シミュレートされた射撃時に銃口の配置及び方向を検出できるようになる。
【０６１９】
一実施形態では、統合表示システムを備えた観察光学機器は、完全に修正されていない兵器上に配置される。システムは、スナップキャップ、ブランク、又は他のシミュレートされた又はダミーの弾丸又は弾薬の有無にかかわらず使用できる。
【０６２０】
一実施形態では、統合表示システムを備えた観察光学機器により、ユーザ／射手は、メニュー、スイッチ、又は別の設定セレクタを介してドライファイア設定をアクティブに選択して、観察光学機器のプログラム／ドライファイア機能をアクティブにすることができる。観察光学機器は、ユーザがドライファイアモード又は設定を選択したことを示すアラートを表示することができる。観察光学機器は、ユーザにドライファイア設定を受け入れるように求めるプログラムを有することができ、ユーザが銃器の安全規則又は条件をクリック又は確認することを表示及び／又は必要とすることができる。
【０６２１】
別の実施形態では、統合表示システムを備えた観察光学機器は、修正された又は専用の兵器上に配置される。システムは、トリガーセンサと相互作用して、トリガーの引きを検出することができる。システムは、ハンマー、ストライカー、発射ピン、又は発射機構が降下、始動、作動又は誘起された後、ユーザが兵器又はトリガーシステムを手動で充電又はコックする必要性を排除するトリガーリセットシステムと連携することができる。システムは、液圧、空気、モータ、又は他の反動／運動量複製システム、機構又はユニットを介して、兵器の動作を模倣する反動シミュレーションシステム上に配置することができる。
【０６２２】
一実施形態では、本開示は、兵器上に追加の極値センサ、接続、デバイス、又はハウジングを配置することを可能にすることができる統合表示システムを備えた観察光学機器に関する。これらの外部センサ／システムは、物理的、ワイヤレス、又はネットワークを介してリンクすることができる。追加の外部センサにより、より正確な動きの測定が可能になる。追加の又は代替のプログラム、シナリオ、設定制御、又は電源をユニットに接続して、様々なトレーニング及び／又はユニットのより長い実行時間を可能にすることができる。
【０６２３】
外部ハウジング又は接続はまた、物理的な兵器に対する外部力／外側力をシミュレートすることもできる。
【０６２４】
別の実施形態では、統合表示システムを備えた観察光学機器は、追加の拡張現実ユニットを取り付けることができる。ユニットは、物理的又は無線接続を介して観察光学機器に情報を供給することができる。このユニットは、カメラ及び／又はコンパスを有し、これによりディスプレイ内の適切な場所に文字を正確に地理的に位置付けて画像化し配置することができる。モジュールは、個別のディスプレイを有していない場合があるが、観察光学機器のディスプレイにのみ情報を提供することができる。モジュールは、とりわけ、シミュレートされた人物、弾丸衝撃、及び命中インジケータを作成及び／又は登録することができる画像処理ユニットとして機能することができる。画像処理により、埋め込まれた物体／画像／人物／文字が表示することができる。
【０６２５】
一実施形態では、ドライファイアセッションの実世界状態をシミュレートすることができる統合表示システムを備えた観察光学機器は、トリガー自体から電気信号を送信する必要がなく、従って、光学機器を兵器に取り付けることの他に、ホスト兵器に修正を加える必要はない。
【０６２６】
一実施形態では、ドライファイアセッションの現実世界状態をシミュレートできる統合表示システムを備えた観察光学機器は、特定の外部標的を必要とせずに、射手に即時のドライファイアフィードバックを提供することになる。システムは、兵器の重量、取り扱い、又はバランスを変更する必要はない。
【０６２７】
一実施形態では、ドライファイアセッションの現実世界状態をシミュレートすることができる統合表示システムを備えた観察光学機器は、ドライファイアの練習中に明確なフィードバックを受け取るために射手によって使用することができる。この観察光学機器は、精巧な標的システムを設定する必要はなく、フォワード署名を投影する必要もない。このシステムは、ホスト兵器に変更を加える必要がなく、射手が実弾事象、演習又はシナリオ時に使用することになる兵器及び照準システムを練習して良好に理解することができる。
【０６２８】
一実施形態では、ドライファイアセッションの現実世界状態をシミュレートすることができる統合表示システムを備えた観察光学機器は、全ての情報を内在させることを可能にし、フィードバックのための物理的標的を必要としない。このシステムは、外部アタッチメントを必要とせず、兵器の重量、バランス、又は取り扱いを変更することなく実現することができる。
【０６２９】
別の実施形態では、ドライファイアセッションの現実世界状態をシミュレートすることができる統合表示システムを備えた観察光学機器は、ドライファイア機能に従うか、又は単にこれを特徴として備える専用のトレーニングツールとして構築することができる。
【０６３０】
一実施形態では、ドライファイアセッションの現実世界状態をシミュレートすることができる統合表示システムを備えた観察光学機器は、画像をキャプチャするためにカメラを必要としない。
【０６３１】
ＸＶＩ．統合表示システムを備えた観察光学機器
複数のユーザインタフェース
一実施形態では、本開示は、ユーザインタフェース技術を有する統合表示システムを備えた観察光学機器に関し、これにより、観察光学機器の広範な機能をユーザが容易に利用することができる。
【０６３２】
一実施形態では、ユーザインタフェースを使用して、アクティブレチクルスコープの特徴及び機能をナビゲートし、迅速に使用することができる。
【０６３３】
一実施形態では、観察光学機器は、異なるリモートデバイスを使用して、特定の観察光学機器に追加される技術に基づいてコマンド又は情報を入力することができる。理想的には、簡単にするために、シングルボタンリモコンを使用するが、観察光学機器に十分な特徴が追加されていれば、マルチボタンリモコンを使用できる。これらのリモコンは、物理的に接続されるか、ワイヤレスとすることができる。
【０６３４】
観察光学機器はまた、スマートフォン、タブレット、コンピュータ、時計、又は観察光学機器に情報又は機能を提供する他の何れかのデバイスなど、他のデバイスと通信することができる。これらのデバイスは、ワイヤレス又は物理的接続を介して通信することができる。
【０６３５】
一実施形態では、観察光学機器はまた、或いは代替的に、音声コマンドを介してユーザによって入力されたコマンドを受け取り実行することができる。スコープは、マイクロフォンを有することができ、或いは、射手が既に使用している通信システムにリンクすることができる。スコープはまた、ユーザが光学機器の機能をナビゲート及び／又は実行できるようにする視線追跡技術を統合することができる。
【０６３６】
一実施形態では、統合表示システムを備えた観察光学機器は、測距標的並びにタグ付け標的機能を有することができる。前述のように、統合表示システムを備えた観察光学機器を使用して、標的に「タグ付け」することができる。シングルボタンリモコンを使用する場合、標的へのタグ付けと標的の測距をユーザが区別する方法が必要となる。
【０６３７】
一実施形態では、標的を測距するために、ユーザは、リモコンの単一のボタンを単にタップするだけである。これにより、統合表示システムを備えた観察光学機器に、レーザパルスを発射して標的までの距離を測定し、弾道解及びホールドポイントを表示するように指示することになる。標的にタグ付けする場合、ユーザは、単一のボタンを押して保持する。ボタンを押している間、ディスプレイは、タグ付け機能が起動されたことをユーザに表示する短いアニメーションを示す。例えば、ユーザは、観察光学機器を指している視野の中央で描画されている図形を見ることができる。図形の描画が終わると、ユーザは、ボタンを離し、これにより、描画された図形によって現在覆われている標的にタグ付けすることをユーザが望んでいることが、観察光学機器に伝達される。
【０６３８】
ボタンを離すと直ちにメニューが表われ、ユーザがタグを付けたばかりの標的のタイプにラベル付けするための複数の選択肢が与えられる。例えば、選択肢は、限定ではないが、敵、味方、ウェイポイント、不明などを含むことができる。ユーザは、シングルタップで単一のリモコンボタンを使用して選択肢を繰り返し、次いで、押して保持して標的を選択することができ、或いは、観察光学機器上の５ボタンパッドを使用してメニューをナビゲートし選択を行うオプションを有する。
【０６３９】
標的にタグ付けされ、ラベルが付けられると、ディスプレイには、ユーザの視野に記号が表示される。形状は、ユーザがどのタイプの標的を迅速に識別するかをユーザに示すことができる。一実施形態では、メニューは、正しいタグの確認を要求することができる。
【０６４０】
また、ユーザが標的を変更又は削除できる必要がある。これを行うには、ユーザは、リモコンボタンを押して保持し、タグ付け記号が描画されるのを待機する。タグ付け記号が描かれると、ユーザは、ボタンを離さずに、観察光学機器を単に動かして、タグ付け記号が既存のタグ付けされた標的記号を覆うか又は接触し、次いでボタンを離すようにする。ボタンを離すと、標的タイプを一覧表示するメニューと削除オプションが表示される。ユーザは、シングルタップで単一のリモコンボタンを使用して選択肢を繰り返し、次いで押して保持して標的を選択することができ、或いは、ユーザは、観察光学機器上の５ボタンパッドを使用してメニューをナビゲートし選択を行うオプションを有する。
【０６４１】
一実施形態では、統合表示システムを備えた観察光学機器は、近接近標的タグを示す能力を有する。多義に極めて近接近した標的にタグ付けすると、システムは、誤って、新しい標的を以前にマークされた標的の選択肢として指定しようとする可能性がある。以前にマークした標的のメニューが表示されると、新しい標的をマークできるオプションが表示される。ユーザは、押して保持してこのオプションを選択するか、又は観察光学機器の５ボタンパッドを使用して選択をすることができる。次に、ユーザは、新しい標的に希望する標的ラベルを選択するように求められる。
【０６４２】
一実施形態では、統合表示システムを備えた観察光学機器は、座標を表示する能力を有することができる。一実施形態では、観察光学機器は、レーザ側距計、コンパス、及びＧＰＳユニットを有するか、又はこれらとペアにすることができる。これらの特徴は、タグ付けされた標的の座標をユーザに提供する機能を提供することができる。この特徴は、ラリーポイントの確立、航空支援の指示、砲撃の協調、又は他の用途に極めて有用とすることができる。完全で一定の座標表示は、表示が乱雑になる可能性があるため、ユーザが望まない場合がある。
【０６４３】
一実施形態では、完全にカスタマイズ可能なオプションは、ディープメニューオプションを介して、或いはコンピュータ又は他のより高度なインタフェース技術を介して利用可能とすることができる。一実施形態では、デフォルト設定は、リモコンのみを使用してユーザに対して簡素化することができる。ランデブーポイント又は空爆場所など、特定の標的タグラベルの選択肢は、常に標的マーカ隣接して座標を表示することができる。
【０６４４】
或いは、標的タグラベルの一部又は全ては、光学機器のレチクルが標的タグ上に数秒以上ホバリングしている場合にのみ座標を表示することができる。座標は、標的タグに隣接して又は観察光学機器の別の部分に表示することができる。ディスプレイは、パッシブで自動的に表示することができ、或いは、座標を表示するためにボタンを押す組み合わせが必要な場合もある。同じ押しの組み合わせで、表示されている座標を画面から削除することができる。座標表示の持続時間は、ユーザにより別のメニューオプションで決定することができる。
【０６４５】
ＸＶＩＩ．ターレット追跡システムを備えた観察光学機器
光学機器のレチクルを調整するには、通常、ターレットをダイヤルすることを含み、これにより、光学機器の照準レチクルが特定の単位数（通常はミルラジアン（ミル）又は ミニッツオブアングル（ＭＯ  Ａ））で上方又は下方、もしくは左右に移動する。これらの単位は通常、小さな戻り止めによって定められ、小さな可聴触覚的な「クリック」を生じることが多い。
【０６４６】
特定のターレットでは、３６０°を超える回転を可能にすることができる。これは、射手がより広い調整範囲にアクセスできるという利点をもたらす。例えば、1回の回転でレチクルが５ミル移動する場合、２回の完全な回転で１０ミルの調整が可能になる。これは、射手が照準基準としてレチクルを使用しながら標的と交戦できる距離が大幅に延長される。しかしながら、明確な基準がないと、射手は、現在どの回転が行われているのかに関して直ぐに混乱する可能性がある。この問題は、射手が３、４、又は４回転を超える調整が可能な場合に更に悪化する。
【０６４７】
一部のスコープは、ターレット上に基準線を特徴として備える。ターレットを回転させると、ターレットヘッドの本体が上昇し、水平基準線が露出する。しかしながら、これらの線は小さく、最良の条件下でも銃器の後ろからは見るのが困難である。光のない又は微小光の環境では、射手がターレットを照らすための光源を使用せずに、ターレットの回転を観察する良好な方法は存在しない。一部の狩猟、法執行機関、及び軍事シナリオでは、これは実行可能なオプションではない。
【０６４８】
代替形態の1つは、スコープに回転インジケータを設置することである。多くの場合、これらのインジケータは、ターレットが回転するときに光学機器から緩慢に突出する物理的なピンからなる。ピンの高さを変えることで、微小光又はや暗所条件で光学機器を使用するときのターレットの回転に関する基準点が射手に与えられるが、正確なターレット調整に関して異なる読み取りを容易に提供するものではない。例えば、スコープは、２回転目に突出するピンを有することができるが、ユーザは、１回転当たり１０ミルの調整を有するターレットで１１．１ミル又は１７．３ミルでダイヤルされているかどうかわからない場合がある。これらの値は、特に射手が中距離から長距離で標的と交戦している場合に、大幅に異なる衝撃点をもたらすことになる。
【０６４９】
回転インジケータを使用することはまた、射手がターレットの設定を知るために、光学機器を物理的に感じなければならないことを意味する。これには、射手が、発射又はサポートハンドの何れかをそれぞれの位置から動かすことにより、発射位置を中断させる必要がある。射手が一瞬のうちに標的と交戦する必要がある場合、これは受け入れられない解決策である。
【０６５０】
一実施形態では、本開示は、観察光学機器のターレット調整を追跡する方法に関し、これにより、追跡機構の構成要素は、信頼性があり、操作者に対して透明であり、環境保護されている。本明細書で開示されるターレット追跡システムは、ＬＥＤ、光センサ、及び様々な程度の光反射率／吸収を有する材料のストリップを使用する。
【０６５１】
一実施形態では、ターレット情報は、アクティブディスプレイに送信することができ、アクティブディスプレイは、統合表示システムを備えた観察光学機器の第１の焦点面にターレット情報を投影することができる。
【０６５２】
一実施形態では、本明細書で開示されるターレット追跡システムは、光学ターレットの現在の調整された値の読みやすい表示をユーザに提供する。一実施形態では、本開示は、統合表示システムと、ＬＥＤ、フォトセンサ、及び様々な程度の光反射率／吸収を有する材料のストリップを含むターレット位置追跡システムとを備えた観察光学機器に関する。次いで、センサは、データを統合表示システムのアクティブディスプレイに送信し、統合表示システムは、情報を主本体の光学列の第１の焦点面に投影する。
【０６５３】
一実施形態では、ターレット追跡システムは、仰角／垂直調整、ウィンデージ／水平調整ターレット、及び／又は観察光学機器上又はその中の他の任意の回転調整に使用することができる。
【０６５４】
図８８及び８９は、ターレット追跡システムの代表的な図である。図８８は、マイクロプロセッサ、フォトセンサ、及びＬＥＤ８８１０を備えたプリント回路基板８８０５とフォトセンサの光の受容角度を示すために描かれたシミュレートされた円錐形の代表的な描写である。図８９は、グレースケール勾配８９１０を有する材料を使用したターレット８９０５の代表的な図である。
【０６５５】
一実施形態では、観察光学機器は、ターレット内の固定位置内に収容されたＬＥＤ及びフォトセンサ８８１０を備えたターレット追跡システムを有する１又は２以上のターレット８９０５を有する。オペレータによりターレット８９０５が回転すると、正立チューブが移動し、これにより光学機器のレチクルの位置が変わる。ターレットの内径には材料８９１０が取り付けられる。
【０６５６】
一実施形態では、材料８９１０は、幅が約１０ｍｍ、長さが約４０ｍｍである。材料は、ターレット８９０５の３６０°を覆うことができる。この材料８９１０の片面には、内部ターレット壁に取り付けるのに使用される接着剤がある。材料８９１０の他方の面には、印刷されたグレースケール勾配があり、ＬＥＤが点灯すると、勾配どの部分がＬＥＤに暴露されているかに応じて様々な量の光を反射することになる。
【０６５７】
ＬＥＤが勾配ストリップを照明し、フォトセンサが勾配ストリップから反射された光の一部を受け取り、マイクロコントローラに信号を送信し、信号の強度は、検出された光の量によって異なる。オペレータよって調整ターレットが回転すると、勾配ストリップの異なる部分がＬＥＤ及びフォトセンサに暴露され、これによりマイクロコントローラに送信される信号強度が変化する。従って、システムのターレット設定は、フォトセンサによって検出された光の量と関連付けることによって追跡することができる。この情報は、マイクロコントローラから、例えば、観察光学機器の統合表示システム内のアクティブディスプレイに送信され、ターレット位置に相関する値をユーザに提供する。この値は、ターレットの外部読み取り値と相関することができる。
【０６５８】
別の実施形態では、反射材料は、所定位置に固定することができ、フォトセンサ及びＬＥＤは、反射材料の周りを回転することができる。
【０６５９】
別の実施形態では、ＬＥＤ及びセンサは、ターレットの外側に位置付けることができ、反射材料は、ターレット機構の外側に取り付けられる。この設計は、外部要素から保護するのに有利とすることができる。
【０６６０】
一実施形態では、ターレット追跡システムは、観察光学機器の内側及び／又は外側に存在することができる。一実施形態では、ターレット追跡システムは、ターレット本体の内部及び／又は外部に存在することができ、ターレットの一部とすることができる。
【０６６１】
一実施形態では、ターレット追跡システムは、光学ターレットと共に又はその隣に存在するモジュールとすることができる。
【０６６２】
別の実施形態では、反射勾配ストリップは、定義されたセクションを有することができ、又は無限に変化する反射率を有することができる。反射材料は、観察光学機器及び／又はターレットに取り付けることができ、或いは、観察光学機器、ターレット本体、ハウジング、コーティング、又は他の要素に組み込むことができる。反射勾配がセクションを定義していた場合、これらのセクションは、物理ターレット機構の回転及び／又はクリック調整と相関及び／又は一致することができる。
【０６６３】
別の実施形態では、反射材料は、２又は３以上の交互するレベルの反射率を有する。次いで、センサは、変更を追跡し、情報をプロセッサに送信して、プロセッサは、変更の数を「カウント」して、ディスプレイに値を提供する。
【０６６４】
一実施形態では、ターレット追跡システムはまた、全回転を「カウント」又は追跡して、単一の回転を超えた調整の表示を可能にすることができる。別の実施形態では、材料は、細かく較正され、及び／又は基準マークを有することができ、材料又はセンサは、正立チューブと共に又はその上で上下に移動して、より広いスペクトルの反射率を可能にし、これにより複数のターレットの回転をシステムが感知/読み取ることができる。
【０６６５】
一実施形態では、ターレットディスプレイは、常に見え続けることができ、或いは、射手がゼロではない調整をダイヤルした場合にのみ表示することができる。ターレットの表示オプションは、ユーザが選択可能とすることができる。ターレットの値は、数値、単語、頭字語、記号、グラフィックス又は他の方法を用いて表示することができる。表示設定は、ユーザ調整可能とすることができる。ディスプレイは、ターレットと単位基準を表示することができる。
【０６６６】
一実施形態では、限定ではないが、ミルラジアン（ｍＲａｄ又はミル）、ミニッツオブアングル（ＭＯ  Ａ）、ガンナーミル又は射手のＭＯＡを含むことができる、表示された角度測定単位を選択可能に使用することができる。これにより、射手は、別のユニットで修正を行っている観測手要素と連携することができる。
【０６６７】
例えば、射手が０．１ｍＲａｄ調整ターレットを備えたスコープ及びｍＲａｄ較正済みレチクルを有していた場合、観測手は、ＭＯＡにおいてフィードバックを提供することができる。次いで、射手は、光学機器を切り替えて、ＭＯＡの単位をデジタル表示することができる。観察光学機器は、物理的な調整増分を変更できないので、光学機器は、射手の単位変換を行う。
【０６６８】
この実施例では、１ＭＯＡ＝０．３０ミルである。観測手が射手に２ＭＯ  Ａだけ低いと伝えた場合、射手は、表示されている単位をＭＯＡに切り替えることができる。射手は、調整をダイヤルする。スコープターレットは、＋．１ｍｉｌ→．２ｍｉｌ→．３ｍｉｌ→．４ｍｉｌ→．５ｍｉｌ→．６ｍｉｌを読み取ることができる。
【０６６９】
内部に表示された調整をダイヤルしている間、＋．３４ＭＯＡ→．６８ＭＯＡ→１．０２ＭＯＡ→１．３６ＭＯＡ→１．７ＭＯＡ→２．０４ＭＯＡを読み取ることができる。これにより、射手は、別の角度測定単位で調整を行うことができる。
【０６７０】
別の実施形態では、統合表示システム及びターレット追跡システムを有する観察光学機器は、レーザ側距計及び弾道計算機と通信して、角度測定単位ではなく線形測定単位で補正を提供することができる。これらの単位には、インチ、フィート、ヤード、ミリメートル、センチメートル、メートルが挙げられるが、これらに限定されない。光学機器自体は、物理的な調整増分を変更できないので、光学機器は、標的までの所与の距離及び発射体の弾道プロファイルに基づいて、射手の単位変換を行う。
【０６７１】
この実施例では、０．１ミルは、１００ヤードで０．３６インチである。射手は、観察光学機器をインチ単位の表示単位に切り替えることができ、射手は、標的までの距離を測定することができる。距離は、スコープメニューに入力するか、光学機器に物理的又は無線で接続できるレーザ側距計により測定し自動的に入力することができる。
【０６７２】
射手が１００ヤードで１．５インチ低い場合、射手は調整をダイヤルする。
【０６７３】
スコープターレットは、＋．ｌｍｉｌ→．２ｍｉｌ→．３ｍｉｌ→．４ｍｉｌを読み取ることができる。ダイヤルすると、アクティブディスプレイによって提供されて光学列の第１の焦点面に投影された表示調整は、＋．３６インチ→．７２インチ→１．０８インチ→１．４４インチを読み取ることができる。これにより、射手は、線形測定単位に基づいて調整を行うことができる。
【０６７４】
一実施形態では、統合表示システム及びターレット追跡システムを有する観察光学機器は、観察光学機器メニューに格納された兵器プロファイルゼロに相関する単位を表示することができる。これらの兵器プロファイルは、ゼロ情報、弾道ソフトウェア及び／又はデータ、及び射手が射撃の計算及び／又は実行を成功させるのに使用できる他の補助情報を包含することができる。これは、物理ターレットゼロストップの有無にかかわらず統合することができる。この特徴は、異なる兵器プラットフォームに移動した場合、又は他の何れかの状況で射手が異なるゼロを有する場合、スイッチ口径兵器、スイッチバレル兵器、異なる弾薬負荷と共に、サイレンサー／サウンドサプレッサーの有無にかかわらず使用できる。
【０６７５】
例えば、射手は、２６インチの．３００Ｎｏｒｍａバレル射撃と２３０グレインの弾丸及び１８インチの７．６２ｘ５１  ＮＡＴＯバレル射撃の１７５グレインの弾丸を備えたスイッチカートリッジ／口径／バレルライフルを有しことができる。これら２つのバレルは、大幅に異なる速度及び弾道を有する。射手が、１００ｍで３００Ｎｏｒｍａで光学機器をゼロにし、次いで、バレルを７．６２ＮＡＴＯラウンドに切り替えて、１００ｍで再び兵器を射撃した場合、射手は、同じ場所において弾に影響を与えないことに気付くであろう。例証として、３００Ｎｏｒｍａでゼロにした後、１００メートルで射撃したときに、７．６２ＮＡＴＯ負荷は、１．３ミル低く、左に．４ミルであった。
【０６７６】
射手は、スコープのゼロをリセットすることを選択できるが、．３００Ｎｏｒｍａゼロを損なう可能性があり、射手が頻繁にカートリッジを切り替える必要がある場合、プロセスが冗長になる可能性がある。
【０６７７】
射手は、．３００Ｎｏｒｍａゼロを維持し、距離をダイヤルすることを選択できるが、射手は、ゼロに必要な調整を認識している必要がある。例えば、射手が、５．２ミルの調整が必要とされる射撃をダイヤルする必要がある場合、最終的なターレットの読み取り値は、６．５ミルになる（５．２ミルは、新しい射撃の場合であり、１．３は、１００ヤードゼロの場合の修正になる）。加えて、射手が、射撃後にスコープをゼロ設定に戻した場合、０ミルではなく１．３ミルで停止することを覚えておく必要がある。
【０６７８】
最後に、射手は、弾丸の落下に相関する距離でカートリッジをゼロにしようとすることができるが、これが丸められて覚えやすい距離に対応することはめったにない。射手は、１００ｍで７．６２ＮＡＴＯをゼロにすることができるが、．３００Ｎｏｒｍａは、２１７ｍでゼロにすることができる。これは、射手が射撃して迅速に補正しようとする場合は不便であり、２つのゼロの間を切り替える際のウィンデージ補正／水平方向の何らかのシフトは考慮されていない。
【０６７９】
一実施形態では、統合表示システム及びターレット追跡システムを有する観察光学機器は、これらの問題を解決するために保存された兵器プロファイルを使用することができる。例えば、射手は、．３００Ｎｏｒｍａの機械的ゼロを設定することができる。．３００の光学兵器プロファイルは、そのゼロをメモリに保存／維持する。内部ディスプレイは、ゼロを読み取るか、又は０高度及び／又は０風、或いは他の文書又はグラフィック表示をターレットステータスとして表示して、略語、矢印、記号、目盛り、又はエッチングされたパッシブアクティブ又はデジタルレチクルのマーキングを含めることができる。ディスプレイ又は光学機器は、どの兵器プロファイルが選択されているかを含まれる場合又は含まない場合がある。
【０６８０】
射手は、７．６２ＮＡＴＯにバレルを変更し、次いで、新しいバレルに保存された兵器プロファイルを選択することができる。適切な兵器プロファイルが選択されると、スコープディスプレイは、ユーザが現在１．３ミルの低さで、バレルのゼロの左側に．４ミルであることが示される。射手は、ターレットをそれらの設定にダイヤルすることができ、ディスプレイは、そのプロファイルの光学機器がゼロになったことを示すことができる。射手は、５．２ミルの調整が必要な射撃をすることができる。弾丸の落下のためにターレットをダイヤルした後、内部は、射手にゼロより５．２ミル上に表示することができる。物理的なターレットは、６．５ミルがダイヤルされたことを示すことができるが、射手は、光学系のメモリ／プログラムの内部に保存できるので、１．３ミルの修正を覚えておく必要はない。代わりに、射手は、スコープダイヤルにおいて調整／修正を行うのに十分な移動がある限り、機械的なゼロに関係なく、将来の全ての射撃の基準ポイントとして当該兵器プロファイルのデジタルゼロを使用することができる。
【０６８１】
別の実施形態では、統合表示システム及びターレット追跡システムを有する観察光学機器は、調整可能なベース、レール、マウント又は取付具上に配置、接続、又は統合されたことから結果として生じる変数を考慮することができる。取付具によって任意の方向に誘導される追加の角度、カント、傾斜、又は他の変数は、ユーザインタフェースを介して入力することができ、或いは、物理接続又はワイヤレス接続を介して自動的に考慮することができる。統合表示システムとターレット追跡システムを有する観察光学機器は、数値、単語、頭字語、記号、グラフィックス又は他の方法を使用してこの情報をディスプレイに保存及び／又は投影することができる。この情報は、光学ダイヤル調整及び取付具によって引き起こされる角度又は変数の両方を含む単一の合計したものとして示すことができる。或いは、この情報は、含まれる場合と含まれない場合がある総計とは別個に表示することができる。
【０６８２】
この実施例としては、銃器又は兵器の調整可能なベースに取り付けられた統合表示システム及びターレット追跡システムを備えた観察光学機器を使用する場合である。射手は、銃器のベースで光学機器をゼロにすることができ、ＭＯＡをゼロにする。このような時に、内部ディスプレイは、射手がゼロになっていることを表示されている。追加の仰角移動を得るために、射手は、調整可能な銃器ベースを通して追加の２０ＭＯＡを適用することができる。観察光学機器内で調整は行われなかったが、レチクルは、２０ＭＯＡ傾斜を有する。射手は、この情報を観察光学機器に入力することができる。入力後、統合表示システム及びターレット追跡システムを有する観察光学機器は、射手が兵器のゼロではなく２０ＭＯＡにあることを表示することができる。射手が、２５ＭＯＡ補正を使用して標的に発砲する必要がある場合、射手は、スコープに５ＭＯＡをダイヤルして合計２５ＭＯＡになる。
【０６８３】
スコープから５ＭＯＡ及び銃器ベースから２０ＭＯＡ
別の実施形態では、統合表示システム及びターレット追跡システムを有する観察光学機器は、限定ではないが、観測手、トレーナー、ハンティングガイド又は射撃係幹部などの別のユーザに表示された情報を送信することができる。これにより、２又は３以上の異なる当事者間の他の明確な通信を可能にすることができる。情報は、物理的、無線、ネットワーク、電波、又は他の通信手段を介して送信することができる。情報は、他の光学機器、携帯電話、タブレット、コンピュータ、時計、又は他のデバイスにて表示することができる。
【０６８４】
別の実施形態では、統合表示システム及びターレット追跡システムを有する観察光学機器は、追加の光センサ又は近接センサ又は他のセンサを使用して、ターレットロックがいつ係合されたか、又は係合されているかどうかを示すことができる。この情報は、光学ディスプレイ内に表示することができる。この情報は、数値、単語、頭字語、記号、グラフィックス、又は他の方法を使用して表示することができる。
【０６８５】
別の実施形態では、統合表示システム及びターレット追跡システムを有する観察光学機器により、射手は、アクティブなレチクル光学系のディスプレイ内に値を表示することにより照準ピクチャから集中を途切れさせることなく、ダイヤルされたＬＥＤ調整を見ることができる。加えて、射手は、ダイヤル、ノブ、又は他の形態のターレットの位置もしくは回転表示を動で感じるために、射撃位置を中断する必要はない。
【０６８６】
一実施形態では、本開示は、外部シーンの画像を生成するように構成された可動光学要素と、可動光学要素を調整するように構成されたターレットと、を有する光学系を備えた主本体を含む観察光学機器に関し、ターレットは、（ａ）ターレットの一部に結合された様々な程度の光吸収／反射を有する材料と（ｂ）材料から反射された光を検出するように構成された光センサと、を有し、検出された光の量がターレット位置及びビームコンバイナを示し、アクティブディスプレイがフォトセンサと通信して、生成された画像と光学系の第1焦点面における外部シーンの画像を同時に観察するためターレット位置を示す画像を生成するように構成される。
【０６８７】
一実施形態では、本開示は、観察光学機器に関し、観察光学機器は、（ｉ）外部シーンの画像を生成するように構成された可動光学要素と、可動光学要素を調整するように構成されたターレットとを有する光学系を含む主本体を備え、ターレットは、（ａ）ターレットの一部に結合された様々な程度の光吸収／反射を有する材料と、（ｂ）材料から反射された光を受け取るよう構成されたフォトセンサと、を有し、検出された光の量が、ターレット位置とビームコンバイナを示し、
観察光学機器が更に、
（ｉｉ）主本体に結合され、フォトセンサと通信しターレット位置を示す画像を生成するよう構成されたアクティブディスプレイと、生成された画像と光学系の第1焦点面における外部シーンの画像とを同時に観察するためビームコンバイナに生成された画像を導くための反射材料とを有するベースを備える。
【０６８８】
アーバンスナイパーは、「ループホール」（障壁を貫通する小さな孔）を使用して、標的と正確に交戦しながら身を隠すことができる。何らかの基本的な計算で、射手は、光学機器を調整して、これらの孔の１つを通って所与の距離で射撃し、更に遠くの距離の標的に精密に発砲することができる。
【０６８９】
一実施形態では、本開示は、ループ孔のサイズ、及びループ孔までの距離を含むがこれに限定されない他のループ孔の特性、兵器の物理的特性、発射体及び兵器システムの弾道データ、並びに観察光学機器によって測定され又は観察光学機器に入力された空電を使用して、交戦ウィンドウを表示できる統合表示システムを備えた観察光学機器に関する。観察光学機器は、測定されたループホールの内部寸法の境界マークだけでなく、複数の風及び標高ホールドマークを提供することができる。
【０６９０】
一実施形態では、本開示は、他のシステムよりもかなり容易且つ安全であるループホールを通って射撃するのに使用できる統合表示システムを備えた観察光学機器に関する。標的と交戦する射手は、高さオーバーボア効果を体験することができる。高さオーバーボアとは、兵器のバレルと照準器の中心と間の高さの差であり、アイアンサイト、拡大光学機器、レッドドット、又は他の照準機構である。射撃を狭い範囲でストレス下で行う場合、射手は、照準機構を介して標的を見ることができるが、バレル又はボアは障害物を取り除かない。
【０６９１】
例えば、射手は、車のボンネット上の標的と交戦しようとする場合がある。射手は、できるだけ姿勢を低く保とうとすると、視界から標的を見ることができるが、銃口が車をクリアできない場合がある。高さオーバーボアの違いに起因して、照準器を通ってクリア射撃と思われるものを射手が発射したときに、弾丸が標的に当たる代わりに、弾丸が車のボンネットに当たる。この高さオーバーボア効果は、兵器システムの角度に起因して、射手が長距離での射撃を試みることによって更に拡大することができる。
【０６９２】
一実施形態では、統合表示システムを備えた観察光学機器は、射手がループホールを通って標的とうまく交戦できる領域を表すデジタルボックスを光学機器内に表示することによって、射手にとってこのプロセスをかなり容易にする。
【０６９３】
一実施形態では、統合表示システムを備えた観察光学機器は、複数のホスト兵器に対して構成可能であり、様々な高さオーバーボアでは、垂直及び水平方向の制約を考慮し、様々な距離での弾丸落下を考慮する。
【０６９４】
一実施形態では、本開示は、ユーザの個人の弾道情報、ループホールのサイズ、及びループホールまでの距離を介してカスタマイズ可能な交戦ウィンドウを生成することができる、統合表示システムを備えた観察光学機器に関する。一実施形態では、アクティブディスプレイは、交戦ウィンドウを第１の焦点面に投影することができ、ループホールを介して標的に境界マーク並びに複数の風及び仰角ホールドマークを提供することができる。
【０６９５】
ループホールを通した射撃は、ニアゼロ及びファーゼロの原理を用いて得られる手法である。図９０は、ニアゼロ及びファーゼロの概念の代表的な概略図である。
【０６９６】
一実施形態では、統合表示システムを備えた観察光学機器は、ニアゼロ及びファーゼロを計算し、高さオーバーボアを考慮して、これにより射手がループホールを通ってより容易に射撃し、遙かに長い距離で標的と交戦することができる。
【０６９７】
一実施形態では、本開示は、統合表示システムを備えた観察光学機器に関し、アクティブディスプレイは、前の段落で述べた計算に基づいて、射手がニアゼロ及びファーゼロを使用して標的と交戦することができるウィンドウを投影する。このウィンドウは、スコープの高さオーバーボアの測定、ループホールまでの距離、ループホールのサイズ及び深さ、空電、発射体の弾道データ、角度、カント、発射体の口径／直径、兵器／射手の精度、及び／又は射手の標的の交戦に影響を与える可能性のある他の要因に基づくことができる。このボックスは、仰角／垂直及び／又はウィンデージ／水平ターレット調整と前後して調整することができる。境界マークは、任意の数の色、線の太さ、破線又は実線とすることができる。光学機器は、スコープが物理的に移動している間、加速度計又は他のセンサを使用して、交戦ウィンドウの位置を追跡することができる。
【０６９８】
射手が、ループホールを通ってうまく交戦するのではなく、衝撃をもたらすことになる領域に向けられると、統合表示システムを備えた観察光学機器は、射手に警告メッセージを提供する。このメッセージは、文書で又はグラフィックで表示することができる。射手がループホールを取って射撃に失敗したことを示すインジケータがレチクル上に存在することができる。
【０６９９】
一実施形態では、射手は、寸法、向き、及びループホールまでの距離を観察光学機器内のプログラム又はメニューに入力する。１又は２以上のプロセッシングユニット／マイクロコントローラを介した観察光学機器は、射手がループホールを記述するのに使用できる標準的な形状を維持することができる。観察光学機器はまた、射手が開口部の長さ及び角度の測定値を入力して、ループホールの境界表示をより適切にカスタマイズすることができる。
【０７００】
別の実施形態では、射手は、レーザ側距計を使用して、ループホールまでの距離を取得することができる。観察光学機器により、射手は、スコープ内のループホールの輪郭を「トレース」することもできる。これは、キーパッド又は他のインタフェース制御デバイスを使用して、ディスプレイ上にループホールを描画することができる。観察光学機器はまた、射手がレチクル又はトレースポイントでループホールの輪郭を「トレース」するときに、射手が光学機器の動きを追跡できるようにすることもできる。
【０７０１】
別の実施形態では、観察光学機器は、ループホールを「見る」ことができるカメラを使用することができる。射手は、カメラに開口部を位置合わせさせ、光学機器内に射撃ウィンドウを表示させることができる。カメラは、射手の動きを追跡することができ、射手のループホールまでの高さ、距離、角度が変更された場合、カメラは自動的に変更を追跡し、光学系内に更新された射撃ウィンドウを表示することができる。
【０７０２】
別の実施形態では、観察光学機器は、光学機器にて表示することができるカスタム弾丸落下補正（ＢＤＣ）レチクルを作成することができる。ＢＤＣは、射手がループホールを介して標的とうまく交戦できる範囲並びに標的に適切な風が当たる範囲を表示することができる。
【０７０３】
一実施形態では、観察光学機器は、光学機器上／内のセンサから空電を収集することができ、光学機器の外側のセンサがループホールの外側のセンサを含むことができる、或いは、空電は、メニュー及びキーパッド又は別のインタフェース制御デバイスを介して射手によって光学機器に入ることができることができる。
【０７０４】
別の実施形態では、射手がループホールの外側での射撃をダイヤル又は行うようにした場合、観察光学機器は、射手がどのようにして標的とうまく交戦するかについての指示を射手に与えることができる。観察光学機器は、射撃したい標的と交戦するのに十分な水平距離がループホールにない場合、射撃の位置を左に移動するように射手に指示することができる。これらの指示は、文書で、記号又はグラフィックで表示され、通信機器を介して可聴とすることができ、或いは他の方法で通信することができる。これらの指示は、光学機器内に表示されるか、又は他の通信デバイスに送信することができる。
【０７０５】
別の実施形態では、観察光学機器は、射撃ループホール角度内で兵器が兵器システムをスイング、移動、又は旋回させることができるプログラム可能な二脚、三脚、シャーシ、支持システム、又は装置とペアにすることができる。サポートデバイスは、レール、ピボット又はパンサポート、連接ボール、又は兵器システムの移動をサポート及び可能にする他の機構を使用することができる。サポートデバイスは、兵器を完全にサポートするか、射手からの追加のサポートを必要とする可能性がある。このデバイスは、兵器がウィンドウの外部の標的と交戦するのを防ぐことができるプログラム可能な停止部を特徴として備えることができる。回転又は移動ストップ部は、射手によって又は光学素子との通信を介して入力/設定することができる。サポートデバイスは、物理的に光学機器にリンクするか、又はワイヤレスでリンクすることができる。サポートデバイスは、手動で制御されるか、モータ又は電子機器を介して制御することができる。
【０７０６】
ＸＩＸ．レンズの保護シールド
光学系のレンズは傷が付きやすく、ユーザの画質を低下させる。一部のレンズは、衝撃を受けたときに破砕、破壊、又は粉砕するほど脆弱である。レンズの損傷を防ぐために、ユーザは、システムに光学カバーを使用することが多い。
【０７０７】
光学カバーは、レンズの保護に役立つが、多くの場合、展開又は取り外しに手間取る可能性かある。また、カバーは、鮮明さを低下させ、色を歪め、チューブ効果の感覚を作り出し、又はユーザへの光を制限又は遮断することで、画質に悪影響を与えることもよくある。
【０７０８】
一実施形態では、本開示は、外部レンズを保護するための保護ウィンドウに関する。保護ウィンドウを使用すると、ユーザは、展開時間の問題を排除し、カバーのないシステムと比較して、影響があったとしても画質への影響を最小限に抑えられるはずである。
【０７０９】
一実施形態では、本開示は、観察光学機器の外部レンズを保護するための統合された透明シールドに関する。このウィンドウは、ガラス、アクリル、ポリマー、セラミック、ナノ粒子構造要素、又は他の透明な媒体で作ることができる。ウィンドウは、硬度の向上、耐擦傷性の改善、撥水性の向上、色の歪みの低減、又は望ましい特性の向上と望ましくない影響の最小化のために、追加のコーティングを施すことができる。
【０７１０】
一実施形態では、透明シールドは、シール及び／又はパージされた光学系の一部である。一実施形態では、シールドは、Ｏリングによってシールされた溝、接着剤、又は光学システムの気密シールを維持できる他の方法を含むがこれらに限定されない、任意の適切な方法によって所定位置に保持することができる。
【０７１１】
別の実施形態では、透明シールドは、ウィンドウを取り外し又は交換できるように、シールされた光学系の前方に存在することができる。ウィンドウの交換は、破損した場合の交換、最適な光ろ過のための異なるコーティングの使用、ウィンドウの色合い又は色の変化、偏光ウィンドウの挿入又は取り外し、もしくは他の理由などの目的で行うことができる。このウィンドウは、スナップ、戻り止め、溝、ねじ山、又は反動などの光学機器にかかる負担に耐えながら、ウィンドウの取り外しと交換を可能にすることができる別の方法で所定位置に保持することができる。
【０７１２】
一実施形態では、透明シールドは、丸い形状を含む任意の形状とすることができる。
【０７１３】
シールドは、保護された光学系の要求に最適なサイズ及び形状にすることができる。
【０７１４】
一実施形態では、シールドを使用して、前向き又は後向きレンズを保護することができる。
【０７１５】
本明細書で開示される装置及び方法は更に、以下の各項で説明することができる。
【０７１６】
１．（ｉ）外部シーンからの標的像を第１の焦点面に合焦させる対物レンズ系と、標的像を反転させる正立レンズ系と、第２の焦点面と、を有する第１の光学系と、（ｉｉ）対物レンズ系と第１の焦点面の間にあるビームコンバイナと、を有する本体と、
アクティブディスプレイと、アクティブディスプレイから集光するレンズ系と、（ｉｉ）アクティブディスプレイからの像を、アクティブディスプレイからの像と対物レンズ系からの標的像とが第１の焦点面に結合されて同時に観察されるビームコンバイナに導くミラーと、を有する第２の光学系と、
を備える、観察光学機器。
【０７１７】
２．第１の焦点面を定めるように構成された光学系と、第１の焦点面上に重畳されるデジタル像を生成するためのアクティブディスプレイと、アクティブディスプレイに結合されたコントローラであって、コントローラが１又は２以上のディスプレイ要素に選択的に給電してデジタル像を生成するように構成されたコントローラと、を備える、観察光学機器。
【０７１８】
３．（ａ）主チューブと、（ｂ）主チューブの第１の端部に結合された対物レンズ系と、（ｃ）主チューブの第２の端部に結合された接眼レンズ系であって、主チューブ、対物レンズ系及び接眼レンズ系が少なくとも第１の焦点面を定めるように構成される接眼レンズ系と、（ｄ）対物レンズ組立体と第１の焦点面の間に位置決めされたビームコンバイナと、を備える、観察光学機器。
【０７１９】
４．（ａ）主チューブと、（ｂ）外部シーンからの標的像を合焦させる、主チューブの第１の端部に結合された対物レンズ系と、（ｃ）主チューブの第２の端部に結合された接眼レンズ系であって、主チューブ、対物レンズ系及び接眼レンズ系が少なくとも第１の焦点面を定めるように構成される接眼レンズ系と、（ｄ）対物レンズ組立体と第１の焦点面の間に位置決めされたビームコンバイナと、（ｅ）像を生成して、この像をビームコンバイナに導くアクティブディスプレイと、を備え、生成された像と標的像とが第１の焦点面に結合される、観察光学機器。
【０７２０】
５．（ｉ）外部シーンの像を生成するための光学系と、ビームコンバイナとを備えた主本体と、（ｉｉ）本体に結合され、像を生成するためのアクティブディスプレイと、生成された像をビームコンバイナに導いて、生成された像及び外部シーンの像を主本体の第１の焦点面において同時に重ね合わせて観察するようにするためのミラーと、を有するベースと、を備える、観察光学機器。
【０７２１】
６．（ｉ）外部シーンからの標的像を第１の焦点面に合焦させる対物レンズ系と、標的像を反転させる正立レンズ系と、第２の焦点面と、を有する第１の光学系と、（ｉｉ）対物レンズ系と第１の焦点面の間に配置されるビームコンバイナと、を有する本体と、
アクティブディスプレイと、アクティブディスプレイから集光するレンズ系と、を備えた第２の光学系と、（ｉｉ）アクティブディスプレイからの像を、アクティブディスプレイからの像と対物レンズ系からの標的像とが第１の焦点面に結合されて同時に観察されるビームコンバイナに導くミラーと、を有するベースと、
を備える、観察光学機器。
【０７２２】
１
７．外部シーンを観察するための光学系を備えた主本体と、像を生成するためにアクティブディスプレイと集光器レンズ系とを有して、主本体に結合されたベースと、を備え、生成された像が主本体の光学系の第１の焦点面において外部シーンの像に結合される、観察光学機器。
【０７２３】
８．（ｉ）（ａ）外部シーンからの標的像を合焦させる、主チューブの第１の端部に結合された対物レンズ系と、（ｂ）主チューブの第２の端部に結合された接眼レンズ系であって、主チューブ、対物レンズ系及び接眼レンズ系が少なくとも第１の焦点面を定めるように構成される接眼レンズ系と、（ｃ）対物レンズ組立体と第１の焦点面の間に位置決めされたビームコンバイナと、を有する主チューブと、
（ｉｉ）像を生成して、この像をビームコンバイナに導くためのアクティブディスプレイを有するベースと、を備え、生成された像と標的像とが第１の焦点面に結合される観察光学機器。
【０７２４】
９．（ｉ）外部シーンからの標的像を第１の焦点面に合焦させる対物レンズ系と、標的像を反転させる正立レンズ系と、第２の焦点面と、標的像を観察するための接眼レンズ系と、を有する第１の光学系と、（ｉｉ）対物レンズ系と第１の焦点面の間にあるビームコンバイナと、（ｉｉｉ）ビームコンバイナと対物レンズ系の間にあるフォーカスセルと、（ｉｖ）フォーカスセルを視差調整組立体に結合させる接続要素と、を有する本体を備える、観察光学機器。
【０７２５】
１０．第１の焦点面と対物レンズ系の間にビームコンバイナと、ビームコンバイナと対物レンズ系の間に位置決めされたフォーカスセルと、デジタル像を生成するためのアクティブディスプレイであって、そのデジタル像が第１の焦点面上に重畳されるアクティブディスプレイと、アクティブディスプレイに結合されたコントローラであって、そのコントローラが１又は２以上のディスプレイ要素に選択的に給電してデジタル像を生成するように構成されたコントローラと、を備える、観察光学機器。
【０７２６】
１１．（ａ）主チューブと、（ｂ）主チューブの第１の端部に結合された対物レンズ系と、主チューブの第２の端部に結合された接眼レンズ系と、（ｃ）対物レンズ組立体と第１の焦点面の間に位置決めされたビームコンバイナと、（ｄ）ビームコンバイナと対物レンズ組立体の間に位置決めされたフォーカスセルと、を備える、観察光学機器。
【０７２７】
１２．（ａ）主チューブと、（ｂ）外部シーンからの標的像を合焦させる、主チューブの第１の端部に結合された対物レンズ系と、（ｃ）主チューブの第２の端部に結合された接眼レンズ系であって、主チューブ、対物レンズ系及び接眼レンズ系が少なくとも第１の焦点面を定めるように構成される接眼レンズ系と、（ｄ）対物レンズ組立体と第１の焦点面の間に位置決めされたビームコンバイナと、（ｅ）ビームコンバイナと対物レンズ組立体の間に位置決めされたフォーカスセルと、（ｆ）フォーカスセルを視差調整組立体に結合させる接続要素と、を備える、観察光学機器。
【０７２８】
１３．（ｉ）外部シーンからの標的像を第１の焦点面に合焦させる対物レンズ系と、標的像を反転させる正立レンズ系と、第２の焦点面と、標的像を観察するための接眼レンズ系と、を有する第１の光学系と、
（ｉｉ）対物レンズ系と第１の焦点面の間にあるビームコンバイナと、
を有する本体と、
（ｉ）アクティブディスプレイと、アクティブディスプレイから集光するレンズ系と、  を備えた第２の光学系と、（ｉｉ）アクティブディスプレイからの像をビームコンバイナに導く反射材料と、（ｉｉｉ）（ａ）アクティブディスプレイを反射材料に対して移動すること、（ｂ）反射材料をアクティブディスプレイに対して移動すること、（ｃ）反射材料をビームコンバイナに対して移動すること、（ｄ）ビームコンバイナを反射材料に対して移動すること、並びに（ｅ）正立レンズ系をビームコンバイナに対して移動すること、の内の１又は２以上を実行するための調整機構と、を備える観察光学機器であって、アクティブディスプレイからの像と対物レンズ系からの標的像とが、第１の焦点面に結合されて同時に観察される観察光学機器。
【０７２９】
１４．第１の焦点面を定めるように構成された光学系と、デジタル像を生成するためのアクティブディスプレイと、そのデジタル像を第１の焦点面に導くための反射材料と、（ａ）アクティブディスプレイを反射材料に対して移動すること、並びに（ｂ）反射材料をアクティブディスプレイに対して移動すること、の内の１又は２以上を実行するための１又は２以上の調整機構と、を備える、観察光学機器。
【０７３０】
１５．（ａ）主チューブと、（ｂ）外部シーンからの標的像を合焦させる、主チューブの第１の端部に結合された対物レンズ系と、（ｃ）主チューブの第２の端部に結合された接眼レンズ系であって、主チューブ、対物レンズ系及び接眼レンズ系が少なくとも第１の焦点面を定めるように構成される接眼レンズ系と、（ｄ）対物レンズ組立体と第１の焦点面の間に位置決めされたビームコンバイナと、（ｅ）アクティブディスプレイと、アクティブディスプレイからの像をビームコンバイナに導く反射材料と、（ｆ）（ｉ）アクティブディスプレイを反射材料に対して移動すること、（ｉｉ）反射材料をアクティブディスプレイに対して移動すること、（ｉｉｉ）反射材料をビームコンバイナに対して移動すること、（ｉｖ）ビームコンバイナを反射材料に対して移動すること、並びに（ｖ）正立レンズ系をビームコンバイナに対して移動すること、の内の１又は２以上を実行するための調整機構と、を備え、アクティブディスプレイからの像と対物レンズ系からの標的像とが、第１の焦点面に結合されて同時に観察される観察光学機器。
【０７３１】
１６．（ｉ）外部シーンの像を生成するための光学系と、ビームコンバイナとを備えた主本体と、（ｉｉ）主本体に結合され、像を生成するためのアクティブディスプレイと、生成された像をビームコンバイナに導いて、生成された像及び外部シーンの像を主本体の第１の焦点面において同時に重ね合わせて観察するようにするためのミラーと、を有するベースと、を備える観察光学機器であって、ベースが１又は２以上の電源用の区画を有する観察光学機器。
【０７３２】
１７．（ｉ）外部シーンからの標的像を第１の焦点面に合焦させる対物レンズ系と、標的像を反転させる正立レンズ系と、第２の焦点面と、を有する第１の光学系と、（ｉｉ）対物レンズ系と第１の焦点面の間に配置されるビームコンバイナと、を有する本体と、
（ｉ）（ａ）アクティブディスプレイと、そのアクティブディスプレイから集光するレンズ系と、（ｂ）アクティブディスプレイからの像を、アクティブディスプレイからの像と対物レンズ系からの標的像とが第１の焦点面に結合されて同時に観察されるビームコンバイナに導くミラーと、を備えた第２の光学系と、（ｉｉ）１又は２以上の電源用の区画と、を備えたベースと、を備える、観察光学機器。
【０７３３】
１８．外部シーンを観察するための光学系を備えた主本体と、像を生成するためにアクティブディスプレイと集光器レンズ系とを有して、主本体に結合されたベースと、を備える観察光学機器であって、生成された像が主本体の光学系の第１の焦点面において外部シーンの像に結合され、更に、ベースが１又は２以上の電源用の区画を有する観察光学機器。
【０７３４】
１９．（ｉ）（ａ）外部シーンからの標的像を合焦させる、主チューブの第１の端部に結合された対物レンズ系と、（ｂ）主チューブの第２の端部に結合された接眼レンズ系であって、主チューブ、対物レンズ系及び接眼レンズ系が少なくとも第１の焦点面を定めるように構成される接眼レンズ系と、（ｃ）対物レンズ組立体と第１の焦点面の間に位置決めされたビームコンバイナと、を有する主チューブと、
（ｉｉ）像を生成して、この像をビームコンバイナに導くためのアクティブディスプレイを有するベースと、を備える観察光学機器であって、生成された像と標的像とが第１の焦点面に結合され、ベースが１又は２以上の電源用の区画を更に有する観察光学機器。
【０７３５】
２０．（ｉ）外部シーンの像を生成するための光学系を備えた主本体と、（ｉｉ）主本体に結合されて、像を生成するためのアクティブディスプレイと電源用の区画とを有するベースと、を備える、観察光学機器。
【０７３６】
２１．（ｉ）外部シーンの像を生成するための光学系を備えた主本体と、（ｉｉ）主本体に結合されて、電源用の区画を有するベースと、を備える、観察光学機器。
【０７３７】
２２．（ｉ）外部シーンからの標的像を第１の焦点面に合焦させる対物レンズ系と、標的像を反転させる正立レンズ系と、第２の焦点面と、を有する第１の光学系と、（ｉｉ）対物レンズ系と第１の焦点面の間にあるビームコンバイナと、
を有する本体と、
アクティブディスプレイと、アクティブディスプレイから集光するレンズ系と、（ｉｉ）アクティブディスプレイからの像を、アクティブディスプレイからの像と対物レンズ系からの標的像とが第１の焦点面に結合されて同時に観察されるビームコンバイナに導くミラーと、を備えた第２の光学系であって、そのレンズ系が５レンズ系である第２の光学系と、を備える、観察光学機器。
【０７３８】
２３．第１の焦点面を定めるように構成された光学系と、デジタル像を生成するためのアクティブディスプレイと、アクティブディスプレイから集光するレンズ系であって、デジタル像が第１の焦点面上に重畳されるレンズ系と、アクティブディスプレイに結合されたコントローラであって、そのコントローラが１又は２以上のディスプレイ要素に選択的に給電してデジタル像を生成するように構成されたコントローラと、を備える観察光学機器であって、更に、そのレンズ系が、２つのレンズを有する内側セルと、３つのレンズを有する外側セルとから成り、外側セルが内側セルに対して固定される観察光学機器。
【０７３９】
２４．（ｉ）像を生成するための光学系と、ビームコンバイナとを備えた主本体と、（ｉｉ）本体に結合され、像を生成するためのアクティブディスプレイと、生成された像をビームコンバイナに導いて、生成された像及び外部シーンの像を主本体の第１の焦点面において同時に重ね合わせて観察するようにするためのミラーと、を有するベースであって、更にそのレンズ系が５レンズ系であり、５レンズ系がアクティブディスプレイから２ｍｍを超えない位置に位置付けられるベースと、を備える、観察光学機器。
【０７４０】
２５．（ｉ）外部シーンからの標的像を第１の焦点面に合焦させる対物レンズ系と、標的像を反転させる正立レンズ系と、第２の焦点面と、を有する第１の光学系と、（ｉｉ）対物レンズ系と第１の焦点面の間に配置されるビームコンバイナと、を有する本体と、
アクティブディスプレイと、アクティブディスプレイから集光するレンズ系と、を備えた第２の光学系と、（ｉｉ）アクティブディスプレイからの像を、アクティブディスプレイからの像と対物レンズ系からの標的像とが第１の焦点面に結合されて同時に観察されるビームコンバイナに導くミラーと、を備えたベースであって、そのレンズ系が、３つの単レンズと１つの複レンズからなる５レンズ系であるベースと、を備える、観察光学機器。
【０７４１】
２６．外部シーンを観察するための光学系を備えた主本体と、像を生成するためにアクティブディスプレイと集光器レンズ系とを有して、主本体に結合されたベースと、を備える観察光学機器であって、生成された像が主本体の光学系の第１の焦点面において外部シーンの像に結合され、集光器レンズ系が、少なくとも１つのレンズを有する内側セルと、少なくとも１つのレンズを有する外側セルと、内側セルのレンズと外側セルのレンズとの間隔を調整するための機構と、を有する観察光学機器。
【０７４２】
２７．（ｉ）（ａ）外部シーンからの標的像を合焦させる、主チューブの第１の端部に結合された対物レンズ系と、（ｂ）主チューブの第２の端部に結合された接眼レンズ系であって、主チューブ、対物レンズ系及び接眼レンズ系が少なくとも第１の焦点面を定めるように構成される接眼レンズ系と、（ｃ）対物レンズ組立体と第１の焦点面の間に位置決めされたビームコンバイナと、を有する主チューブと、
（ｉｉ）像を生成するためのアクティブディスプレイと、アクティブディスプレイから集光するためのレンズ系と、この像をビームコンバイナに導くためのミラーと、を有するベースと、を備える観察光学機器であって、生成された像と標的像とが主チューブの第１の焦点面に結合され、そのレンズ系が、２つのレンズを備えた内側セルと、３つのレンズを備えた外側セルと、を有する観察光学機器。
【０７４３】
２７Ａ．（ａ）主チューブの第１の端部に結合された対物レンズ系と、主チューブの第２の端部に結合された接眼レンズ系と、対物レンズ組立体と光学系の第１の焦点面との間に位置付けられるビームコンバイナと、を有する主チューブと、（ｂ）デジタル像を生成するための統合表示システムと、（ｃ）弾道関連データを処理して、その統合表示システムにデジタル像内の照準レチクルを適合させるように仕向けるコンピューティングデバイスと、を備える、観察光学機器。
【０７４４】
２８．外部シーンからの標的像を、第１レチクルを有する第１の焦点面に合焦させる対物レンズ系を有する主本体であって、本体内に変倍レンズ要素が取り付けられた主本体と、
外部シーンからの標的像の光学倍率を調整するために本体内に取り付けられた倍率調整機構と、光学倍率の調整を示す信号を生成するために、倍率調整機構と連動するセンサと、マークのセットを生成し、そのマークのセットを第１レチクル上に重ね合わせる又は重畳するための統合表示システムと、センサと通信し、センサによって生成された信号に応答して、第１レチクルの上に重ね合わされるマークの第１セットの少なくとも一部のサイズを調整するように動作可能な電子コントローラと、を有して、主本体の底部に結合されたベースと、を備える、観察光学機器。
【０７４５】
２９．外部シーンからの標的像を、第１レチクルを有する第１の焦点面に合焦させる対物レンズ系を有する主本体であって、本体内に変倍レンズ要素が取り付けられた主本体と、
外部シーンからの標的像の光学倍率を調整するために本体内に取り付けられた倍率調整機構と、光学倍率の調整を示す信号を生成するために、倍率調整機構と連動するセンサと、
マークのセットを生成し、そのマークのセットを第１レチクル上に重ね合わせる又は重畳するための統合表示システムと、センサと通信し、センサによって生成された信号に応答して、第１レチクルの上に重ね合わされるマークの第１セットの少なくとも一部のサイズを調整するように動作可能な電子コントローラと、を備える、観察光学機器。
【０７４６】
３０．外部シーンからの標的像を、第１レチクルを有する第１の焦点面に合焦させる対物レンズ系を有する主本体であって、本体内に変倍レンズ要素が取り付けられた主本体と、外部シーンからの標的像の光学倍率を調整するために、本体内に取り付けられ、変倍レンズ要素に結合されて変倍レンズ要素を駆動するようにする倍率調整機構と、光学倍率の調整を示す信号を生成するために、倍率調整機構と連動するセンサと、マークのセットを生成し、そのマークのセットを第１レチクル上に重ね合わせる又は重畳するための統合表示システムと、センサと通信し、センサによって生成された信号に応答して、マークの第１セットの見かけのサイズが光学倍率の変化に影響されないように、第１レチクルの上に重ね合わされるマークの第１セットの少なくとも一部のサイズを、光学倍率の変化と逆関係に調整するように動作可能な電子コントローラと、を有して、主本体の底部に結合されたベースと、を備える、観察光学機器。
【０７４７】
３１．外部シーンからの標的像を、第１レチクルを有する第１の焦点面に合焦させる対物レンズ系を有する光学系と、対物レンズ系と第１の焦点面の間にあるビームコンバイナと、を有する主本体と、
本体内に取り付けられた変倍レンズと、
外部シーンからの標的像の光学倍率を調整するために本体内に取り付けられた倍率調整機構と、
光学倍率の調整を示す信号を生成するために、倍率調整機構と連動するセンサであって、その信号が、第１の倍率設定値と、第１の倍率設定値よりも大きな第２の倍率設定値とを少なくとも含めて、光学照準デバイスの複数の光学倍率設定値を示すセンサと、
主本体の底部に結合され、マークのセットを生成し、そのマークのセットを第１レチクル上に重ね合わせる又は重畳するための統合表示システムと、センサと通信し、センサによって生成された信号に応答して、第１レチクルの上に重ね合わされるマークの第１セットの少なくとも一部のサイズを調整するように動作可能な電子コントローラと、を有するベースと、を備える観察光学機器であって、
電子コントローラが、第１の倍率設定値を示す信号に応答して第１のレチクルパターンを形成するために、統合表示システムのアクティブディスプレイ上に配置されるマークの第１セットを生成するように、並びに、第２の倍率設定値を示す信号に応答して、第１のレチクルパターンとは異なる第２のレチクルパターンを形成するために、マークの第１セットを削除してアクティブディスプレイ上にマークの第２セットを生成するように構成される観察光学機器。
【０７４８】
３２．外部シーンからの標的像を、第１レチクルを有する第１の焦点面に合焦させる対物レンズ系を有する光学系と、対物レンズ系と第１の焦点面の間にあるビームコンバイナと、を有する主本体と、
本体内に取り付けられた変倍レンズと、
外部シーンからの標的像の光学倍率を調整するために、本体内に取り付けられ、変倍レンズ要素に結合されて変倍レンズ要素を駆動するようにする倍率調整機構と、
光学倍率の調整を示す信号を生成するために、倍率調整機構と連動するセンサであって、その信号が、第１の倍率設定値と、第１の倍率設定値よりも大きな第２の倍率設定値とを少なくとも含めて、光学照準デバイスの複数の光学倍率設定値を示すセンサと、
主本体の底部に結合され、マークの第１セットを生成するためのアクティブディスプレイと、生成されたマークの第１セットをビームコンバイナに投影するための反射材料とを有するベースと、を備える観察光学機器であって、
マークの第１セットが第１レチクルの上に重畳され又は重ね合わされ、電子コントローラがセンサと通信し、センサによって生成された信号に応答して、第１レチクルの上に重ね合わされるマークの第１セットの少なくとも一部のサイズを調整又は変更するように動作可能であり、電子コントローラが、第１の倍率設定値を示す信号に応答して第１のレチクルパターンを形成するために、統合表示システムのアクティブディスプレイ上に配置されるマークの第１セットを生成するように、並びに、第２の倍率設定値を示す信号に応答して、第１のレチクルパターンとは異なる第２のレチクルパターンを形成するために、マークの第１セットを削除してアクティブディスプレイ上にマークの第２セットを生成するように構成される観察光学機器。
【０７４９】
３３．正立レンズ組立体を備えた正立チューブを有する主本体と、正立チューブに結合されたカムスリーブと、カムチューブに結合された様々な光学反射率／吸収率を備える材料と、その材料からの反射光を受光するためのフォトセンサを有して主本体に結合されたベースと、を備える、観察光学機器。
【０７５０】
３４．正立レンズ組立体を備えた正立チューブを有する主本体と、正立チューブに結合されたカムスリーブと、少なくとも２つの区域を備えた材料であって、各区域が異なる光学吸収率／反射率を有し、各区域が特定の倍率設定値と関係し、カムスリーブに結合される材料と、統合表示システムとその材料区域からの反射光を受光するためのフォトセンサとを有して、主本体に結合されたベースと、を備える、観察光学機器。
【０７５１】
３５．正立レンズ組立体を備えた正立チューブを有する主本体と、
正立チューブに結合されたカムスリーブと、
様々な光学吸収率／反射率を備えた材料であって、各区域が光学倍率と関係し、カムスリーブに結合される材料と、
主本体に結合され、像を生成してこの像を主本体の第１の焦点面に投影するための統合表示システムと、その材料からの反射光を受光するためのフォトセンサと、フォトセンサと通信し、フォトセンサによって生成された信号に応答して、統合表示システムのアクティブディスプレイにより生成される像を調整又は変更するように動作可能なマイクロプロセッサと、を有するベースと、を備える、観察光学機器。
【０７５２】
３６．第１の端部及び第２の端部を備えて、中心軸を有する主本体と、
本体内に配置された対物レンズ系と、
本体内に配置された接眼レンズと、
主本体内に配置され、正立レンズ系を有する正立チューブと（対物レンズ系、接眼レンズ及び正立レンズ系が、第１の焦点面及び第２の焦点面を有する光学系を形成する）、
外部シーンからの標的像の光学倍率を調整するために本体内に取り付けられた倍率調整機構と、
倍率調整機構と連動し、異なる光学吸収率／反射率の少なくとも２つの区域を各区域が光学倍率と関係する形で備えた材料を有するカムスリーブと、
マークの第１セットを生成し、そのマークのセットを第１レチクル上に重ね合わせる又は重畳するための統合表示システムと、その材料からの反射光を検出して信号を生成するためのフォトセンサと、フォトセンサと通信し、センサによって生成された信号に応答して、第１レチクルの上に重ね合わされるマークの第１セットの少なくとも一部のサイズを調整するように動作可能な電子コントローラと、を有して、主本体の底部に結合されたベースと、を備える、観察光学機器。
【０７５３】
３７．第１の端部及び第２の端部を備えて、中心軸を有する主本体と、
本体内に配置された対物レンズ系と、
本体内に配置された接眼レンズと、
主本体内に配置され、正立レンズ系を有する正立チューブと（対物レンズ系、接眼レンズ及び正立レンズ系が、第１レチクルを備えた第１の焦点面を有する光学系を形成する）、
外部シーンからの標的像の光学倍率を調整するために本体内に取り付けられた倍率調整機構と、
倍率調整機構と連動し、少なくとも２つの光学吸収率／反射率の区域を有するカムスリーブであって、各区域が光学倍率と関係し、第１区域が第１の倍率設定値を示し、第２区域が第1の倍率設定値より大きい第２の倍率設定値を示す各スリーブと、
マークの第１セットを生成し、そのマークのセットを第１レチクル上に重ね合わせる又は重畳するための統合表示システムと、その材料の区域からの反射光検出に基づいて信号を生成するためのフォトセンサと、フォトセンサと通信する電子コントローラと、を有して、主本体の底部に結合されたベースと、を備える観察光学機器であって、
電子コントローラが、第１の倍率設定値を示す信号に応答して第１のレチクルパターンを形成するために、統合表示システムのアクティブディスプレイ上に配置されるマークの第１セットを生成するように、並びに、第２の倍率設定値を示す信号に応答して、第１のレチクルパターンとは異なる第２のレチクルパターンを形成するために、マークの第１セットを削除してアクティブディスプレイ上にマークの第２セットを生成するように構成される観察光学機器。
【０７５４】
３８．第１の端部及び第２の端部を備えて、中心軸を有する主本体と、
本体内に配置された対物レンズ系と、
本体内に配置された接眼レンズと、
主本体内に配置され、正立レンズ系を有する正立チューブと（対物レンズ系、接眼レンズ及び正立レンズ系が、第１レチクルを備えた第１の焦点面を有する光学系を形成する）、
像の光学倍率を調整するために倍率調整リングと協働して移動する正立チューブを取り囲むカムスリーブであって、異なる光学吸収率／反射率を備えた少なくとも２つの区域を、各区域が光学倍率設定値に対応する形で備える材料が、カムスリーブに結合されたカムスリーブと、
主本体に結合され、その材料からの反射光に基づいて信号を生成するフォトセンサと、フォトセンサからの信号に基づいて像を生成するようにアクティブディスプレイに指示する、フォトセンサと通信するマイクロプロセッサと、を有するベースと、を備える観察光学機器であって、
生成された像が、観察光学機器の第１の焦点面に投影される／重ね合わされる又は重畳される観察光学機器。
【０７５５】
３９．（ｉ）視光軸及びビームコンバイナに沿って外部シーンの像を生成するための光学系を備えた主本体と、（ｉｉ）像を生成するためのアクティブディスプレイと、生成された像をビームコンバイナに導いて、生成された像と外部シーンの像とを光学系の第１の焦点面において同時に重ね合わせて観察するようにするための反射材料と、ユーザの存在を検出するためのセンサと、前記センサと通信して観察光学機器の電力状態を制御することができるプロセッサと、を有して、前記主本体の底部に結合されたベースと、を備える、観察光学機器。
【０７５６】
４０．（ｉ）外部シーンからの標的像を第１の焦点面に合焦させる対物レンズ系を有する光学系と、（ｉｉ）対物レンズ系と第１の焦点面の間に配置されるビームコンバイナと、を有する主本体と、
（ｉ）像を生成するアクティブディスプレイと、アクティブディスプレイから集光するレンズ系と、（ｉｉ）生成された像と外部シーンの像とを同時に重ね合わせて観察するために、生成された像と対物レンズ系からの標的像とが第１の焦点面に結合されるビームコンバイナに、生成された像を導く反射材料と、（ｉｉｉ）ユーザの存在を検出するためのセンサと、
（ｉｖ）センサと通信して、観察光学機器の電力状態を制御することができるプロセッサと、を有して、主本体の底部に結合されるベースと、を備える、観察光学機器。
【０７５７】
４１．外部シーンを観察するための光学系を備えた主本体と、主本体の底部に結合されたベースであって、ベースが像を生成するためのアクティブディスプレイを有し、生成された像が光学系の第１の焦点面において外部シーンの像に結合されるベースと、ユーザの存在を検出するためのセンサと、センサと通信し、観察光学機器の電力状態を制御することができるプロセッサと、を有するベースと、を備える、観察光学機器。
【０７５８】
４２．（ｉ）外部シーンからの標的像を第１の焦点面に合焦させる対物レンズ系と、標的像を反転させる正立レンズ系と、第２の焦点面と、を有する第１の光学系と、（ｉｉ）対物レンズ系と第１の焦点面の間に配置されるビームコンバイナと、を有する主本体と、
（ｉ）像を生成するアクティブディスプレイと、アクティブディスプレイから集光するレンズ系と、（ｉｉ）アクティブディスプレイから生成された像を、アクティブディスプレイからの像と対物レンズ系からの標的像とが第１の焦点面に結合されて同時に観察されるビームコンバイナに導くミラーと、を有して、主本体の底部と結合するベースと、を備える、観察光学機器。
【０７５９】
４３．外部シーンを観察するための光学系を備えた主本体と、主本体の底部に結合されたベースであって、ベースが像を生成するためのアクティブディスプレイを有するベースと、を備える観察光学機器であって、生成された像が光学系の第１の焦点面において外部シーンの像に結合される、観察光学機器。
【０７６０】
４４．第１の焦点面と対物レンズ系の間にビームコンバイナと、ビームコンバイナと対物レンズ系の間に位置決めされたフォーカスセルと、像を生成するためのアクティブディスプレイと、を有する光学系であって、像が第１の焦点面上に重畳される光学系と、アクティブディスプレイに結合されたコントローラであって、そのコントローラが１又は２以上のディスプレイ要素に選択的に給電して像を生成するように構成されたコントローラと、を備える、観察光学機器。
【０７６１】
４５．外部シーンからの標的像を合焦させる、主チューブの第１の端部に結合された対物レンズ系と、主チューブの第２の端部に結合された接眼レンズ系あって、主チューブ、対物レンズ系及び接眼レンズ系が、少なくとも第１の焦点面を定めるように構成される接眼レンズ系と、を有する主本体と、対物レンズ組立体と第１の焦点面の間に位置決めされたビームコンバイナと、ビームコンバイナと対物レンズ組立体の間に位置決めされたフォーカスセルと、フォーカスセルを視差調整組立体に結合させるロッドと、像を生成するためのアクティブディスプレイと、そのデジタル像をビームコンバイナに導くための反射面と、を備える観察光学機器であって、生成された像と標的像を第１の焦点面上に合焦させることができる観察光学機器。
【０７６２】
４６．（ｉ）外部シーンからの標的像を第１の焦点面に合焦させる対物レンズ系と、標的像を反転させる正立レンズ系と、第２の焦点面と、接眼レンズ系と、を有する第１の光学系と、（ｉｉ）対物レンズ系と第１の焦点面の間にあるビームコンバイナと、（ｉｉｉ）ビームコンバイナと対物レンズ系の間にあるフォーカスセルと、（ｉｖ）フォーカスセルを視差調整組立体に結合させる接続要素と、
を有する本体を備える、観察光学機器。
【０７６３】
４７．（ａ）主チューブと、主チューブの第１の端部に結合された対物レンズ系と、
（ｃ）主チューブの第２の端部に結合された接眼レンズ系と、（ｃ）対物レンズ組立体と第１の焦点面の間に位置決めされたビームコンバイナと、（ｄ）ビームコンバイナと対物レンズ組立体の間に位置決めされたフォーカスセルと、を備える、観察光学機器。
【０７６４】
４８．（ｉ）外部シーンからの標的像を第１の焦点面に合焦させる対物レンズ系と、標的像を反転させる正立レンズ系と、第２の焦点面と、を有する第１の光学系と、（ｉｉ）ビームコンバイナと、を有する主本体と、
像を生成するためのアクティブディスプレイと、アクティブディスプレイから集光するレンズ系と、アクティブディスプレイからの像を、アクティブディスプレイからの像と対物レンズ系からの標的像とが第１の焦点面に結合されて同時に観察されるビームコンバイナに導く反射材料と、を収容するキャビティを有して、主本体の底部と結合するベースであって、ベースが更に１又は２以上の電源用の区画を有するベースと、
を備える、観察光学機器。
【０７６５】
４９．外部シーンからの標的像を合焦させる、主チューブの第１の端部に結合された対物レンズ系と、主チューブの第２の端部に結合された接眼レンズ系あって、主チューブ、対物レンズ系及び接眼レンズ系が、少なくとも第１の焦点面を定めるように構成される接眼レンズ系と、対物レンズ組立体と第１の焦点面の間に位置決めされたビームコンバイナと、を有する主本体と、
像を生成して、この像をビームコンバイナに導くためのアクティブディスプレイを有するベースであって、生成された像と標的像とが第１の焦点面に結合され、ベースが１又は２以上の電源用の区画を更に有するベースと、を備える、観察光学機器。
【０７６６】
５０．（ｉ）外部シーンの像を生成するための光学系を備えた主本体と、（ｉｉ）)主本体に結合されて、像を生成してこの像を光学系の第１の焦点面に導くためのアクティブディスプレイと、１又は２以上の電源用の区画とを有するベースと、を備える、観察光学機器。
【０７６７】
５１．（ｉ）外部シーンの像を生成するための光学系と、ビームコンバイナとを備えた主本体と、（ｉｉ）主本体に結合され、像を生成するためのアクティブディスプレイと、生成された像をビームコンバイナに導いて、生成された像と外部シーンの像を主本体の第１の焦点面において同時に重ね合わせて観察するための反射材料と、を有するベースであって、ベースが１又は２以上の電源用の区画を有するベースと、を備える、観察光学機器。
【０７６８】
５２．外部シーンを観察するための光学系を備えた主本体と、像を生成するためにアクティブディスプレイと集光器レンズ系とを有して、主本体に結合されたベースであって、生成された像が主本体の光学系の第１の焦点面において外部シーンからの像に結合され、更にベースが１又は２以上の電源用の区画を有するベースと、を備える
観察光学機器。
【０７６９】
５３．（ｉ）（ａ）外部シーンからの標的像を合焦させる、主チューブの第１の端部に結合された対物レンズ系と、（ｂ）主チューブの第２の端部に結合された接眼レンズ系であって、主チューブ、対物レンズ系及び接眼レンズ系が少なくとも第１の焦点面を定めるように構成される接眼レンズ系と、（ｃ）対物レンズ組立体と第１の焦点面の間に位置決めされたビームコンバイナと、を有する主チューブと、
（ｉｉ）像を生成して、この像をビームコンバイナに導くためのアクティブディスプレイを有するベースであって、生成された像と標的像とが第１の焦点面に結合され、ベースが１又は２以上の電源用の区画を更に有するベースと、を備える、観察光学機器。
【０７７０】
５４．第１の焦点面を定めるように構成された光学系と、像を生成するためのアクティブディスプレイと、この像を第１の焦点面に導くための反射材料と、（ａ）アクティブディスプレイを反射材料に対して移動すること、並びに（ｂ）反射材料をアクティブディスプレイに対して移動すること、の内の１又は２以上を実行するための１又は２以上の調整機構と、を備える、観察光学機器。
【０７７１】
５５．（ａ）主チューブと、（ｂ）外部シーンからの標的像を合焦させる、主チューブの第１の端部に結合された対物レンズ系と、（ｃ）主チューブの第２の端部に結合された接眼レンズ系であって、主チューブ、対物レンズ系及び接眼レンズ系が少なくとも第１の焦点面を定めるように構成される接眼レンズ系と、（ｄ）対物レンズ組立体と第１の焦点面の間に位置決めされたビームコンバイナと、（ｅ）像を生成するためのアクティブディスプレイと、この像をアクティブディスプレイからビームコンバイナに導く反射材料であって、
アクティブディスプレイからの像と対物レンズ系からの標的像とが第１の焦点面に結合されて同時に観察される反射材料と、（ｆ）（ｉ）アクティブディスプレイを反射材料に対して移動すること、又は（ｉｉ）反射材料をアクティブディスプレイに対して移動すること、の内の１又は２以上を実行するための調整機構と、を備える、観察光学機器。
【０７７２】
５６．（ｉ）外部シーンからの標的像を第１の焦点面に合焦させる対物レンズ系と、標的像を反転させる正立レンズ系と、第２の焦点面と、標的像を観察するための接眼レンズ系と、を有する第１の光学系と、（ｉｉ）ビームコンバイナと、を有する本体と、（ｉｉｉ）像を生成するためのアクティブディスプレイと、生成された像をアクティブディスプレイからビームコンバイナに導く反射材料と、を備えた第２の光学系と、（ａ）アクティブディスプレイを反射材料に対して移動すること、（ｂ）反射材料をアクティブディスプレイに対して移動すること、（ｃ）反射材料をビームコンバイナに対して移動すること、（ｄ）ビームコンバイナを反射材料に対して移動すること、並びに（ｅ）正立レンズ系をビームコンバイナに対して移動すること、の内の１又は２以上を実行するための１又は２以上の調整機構と、を備える観察光学機器であって、アクティブディスプレイからの像と対物レンズ系からの標的像とが、第１の焦点面に結合されて同時に観察される、観察光学機器。
【０７７３】
５７．更にベースを備える、１〜５６項の内の何れか１項に記載の観察光学機器。
【０７７４】
５８．更に統合表示システムを備える、１〜５７項の内の何れか１項に記載の観察光学機器。
【０７７５】
５９．更に統合表示システムを有するベースを備える、１〜５８項の内の何れか１項に記載の観察光学機器。
【０７７６】
６０．ベースが観察光学機器の主本体と結合する、１〜５９項又は６１〜１５６項の内の何れか１項に記載の観察光学機器。
【０７７７】
６１．ベースが観察光学機器の主本体の底部側と結合する、１〜６０項又は６２〜１５６項の内の何れか１項に記載の観察光学機器。
【０７７８】
６２．統合表示システムがハウジングに収容される、１〜６１項又は６３〜１５６項の内の何れか１項に記載の観察光学機器。
【０７７９】
６３．ハウジングが観察光学機器の主本体の上側と結合する、１〜６２項又は６４〜１５６項の内の何れか１項に記載の観察光学機器。
【０７８０】
６４．統合表示システムがアクティブディスプレイを有する、１〜６３項の内の何れか１項に記載の観察光学機器。
【０７８１】
６５．統合表示システムが、アクティブディスプレイと反射材料とを有する、１〜６４項の内の何れか１項に記載の観察光学機器。
【０７８２】
６６．統合表示システムが、アクティブディスプレイ、反射材料、及び集光光学系を有する、１〜６５項の内の何れか１項に記載の観察光学機器。
【０７８３】
６７．反射材料がビームコンバイナの下方に位置付けられる、１〜６６項の内の何れか１項に記載の観察光学機器。
【０７８４】
６８．反射材料がビームコンバイナの上方に位置付けられる、１〜６７項の内の何れか１項に記載の観察光学機器。
【０７８５】
６９．反射材料がビームコンバイナと平行である、１〜６８項の内の何れか１項に記載の観察光学機器。
【０７８６】
７０．アクティブディスプレイと反射材料がビームコンバイナと平行である、１〜６９項の内の何れか１項に記載の観察光学機器。
【０７８７】
７１．反射材料が、観察光学機器の対物レンズ側に位置付けられる、１〜７０項の内の何れか１項に記載の観察光学機器。
【０７８８】
７２．反射材料が、観察光学機器の接眼レンズ側に位置付けられる、１〜７１項の内の何れか１項に記載の観察光学機器。
【０７８９】
７３．アクティブディスプレイが、観察光学機器の対物レンズ側に位置付けられる、１〜７２項の内の何れか１項に記載の観察光学機器。
【０７９０】
７４．アクティブディスプレイが、観察光学機器の接眼レンズ側に位置付けられる、１〜７３項の内の何れか１項に記載の観察光学機器。
【０７９１】
７５．第２の光学系が、観察光学機器の本体に結合されたベース内にある、１〜７４項の内の何れか１項に記載の観察光学機器。
【０７９２】
７６．ビームコンバイナが、主本体の対物レンズ組立体と、観察光軸に沿って位置決めされ離間した第１の焦点面との間に位置付けられる、１〜７５項の内の何れか１項に記載の観察光学機器。
【０７９３】
７７．ビームコンバイナが、観察光学機器の仰角ノブのほぼ下方に位置付けられる、１〜７６項の内の何れか１項に記載の観察光学機器。
【０７９４】
７８．ビームコンバイナが、観察光学機器の接眼レンズ組立体と比べて、対物レンズ組立体により近く位置付けられる、１〜７７項の内の何れか１項に記載の観察光学機器。
【０７９５】
７９．統合表示システムが角度付きミラーを備える、１〜７８項の内の何れか１項に記載の観察光学機器。
【０７９６】
８０．ミラーが、約４０°から約５０°に角度が付けられる、１〜７９項の内の何れか１項に記載の観察光学機器。
【０７９７】
８１．ミラーが約４５°に角度が付けられる、１〜８０項の内の何れか１項に記載の観察光学機器。
【０７９８】
８２．統合表示システムが、内側レンズセルと外側レンズセルとを有する集光器光学系を備える、１〜５６項の内の何れか１項に記載の観察光学機器。
【０７９９】
８３．ベースの一端部が主本体の倍率調整リング付近に取り付けられ、ベースの他端部が主本体の対物レンズ組立体付近に取り付けられる、１〜８２項の内の何れか１項に記載の観察光学機器。
【０８００】
８４．ベースが、主本体の長さの４０％から６５％である、１〜８３項の内の何れか１項に記載の観察光学機器。
【０８０１】
８５．更にフォーカスセルを備える、１〜８４項の内の何れか１項に記載の観察光学機器。
【０８０２】
８６．従来のフォーカスセルの位置と比べて、対物レンズ側の方に調整されたフォーカスセルを更に備える、１〜８５項の内の何れか１項に記載の観察光学機器。
【０８０３】
８７．更にビームコンバイナを備える、１〜８６項の内の何れか１項に記載の観察光学機器。
【０８０４】
８８．従来のフォーカスセルの位置に位置決めされたビームコンバイナを更に備える、１〜８７項の内の何れか１項に記載の観察光学機器。
【０８０５】
８９．更に視差調整組立体を備える、１〜８８項の内の何れか１項に記載の観察光学機器。
【０８０６】
９０．観察光学機器の主本体に接続ロッドを更に備える、１〜８９項の内の何れか１項に記載の観察光学機器。
【０８０７】
９１．接続要素がロッド又はシャフトである、１〜９０項の内の何れか１項に記載の観察光学機器。
【０８０８】
９２．接続要素は、長さが約５ｍｍから５０ｍｍである、１〜９１項の内の何れか１項に記載の観察光学機器。
【０８０９】
９３．接続要素は、長さが約３０ｍｍである、１〜９２項の内の何れか１項に記載の観察光学機器。
【０８１０】
９４．視差調整組立体が回転可能な要素を備える、１〜９３項の内の何れか１項に記載の観察光学機器。
【０８１１】
９５．視差調整組立体がノブを備える、１〜９４項の内の何れか１項に記載の観察光学機器。
【０８１２】
９６．接続要素がフォーカスセルを視差調整組立体に結合させる、１〜９５項の内の何れか１項に記載の観察光学機器。
【０８１３】
９７．接続要素の一端部がフォーカスセルに結合され、接続要素の他端部が視差調整組立体のカムピンに結合される、１〜９６項の内の何れか１項に記載の観察光学機器。
【０８１４】
９８．視差調整組立体が、カム溝とカムピンを有する、１〜９７項の内の何れか１項に記載の観察光学機器。
【０８１５】
９９．アクティブディスプレイから集光するためのレンズ系を備える、１〜９８項又は１００〜１５６項の内の何れか１項に記載の観察光学機器。
【０８１６】
１００．レンズ系が１又は２以上のレンズセルからなる、１〜９９項又は１０１〜１５６項の内の何れか１項に記載の観察光学機器。
【０８１７】
１０１．レンズ系が、内側レンズセルと外側レンズセルとからなる、１〜１００項又は１０２〜１５６項の内の何れか１項に記載の観察光学機器。
【０８１８】
１０２．レンズ系が５レンズ系からなる、１〜１０１項又は１０３〜１５６項の内の何れか１項に記載の観察光学機器。
【０８１９】
１０３．レンズ系が、２つのレンズを有する内側レンズセルと、３つのレンズを有する外側レンズセルとからなる、１〜１０２項又は１０４〜１５６項の内の何れか１項に記載の観察光学機器。
【０８２０】
１０４．レンズ系が５レンズ系であって、その第１レンズがアクティブディスプレイから２ｍｍ以内に位置付けられる、１〜１０３項又は１０５〜１５６項の内の何れか１項に記載の観察光学機器。
【０８２１】
１０５．レンズ系が５レンズ系から成り、その第１レンズが非球面レンズである、１〜１０４項又は１０６〜１５６項の内の何れか１項に記載の観察光学機器。
【０８２２】
１０６．レンズ系が、少なくとも１つのレンズを有する内側レンズセルと、少なくとも１つのレンズを有する外側レンズセルとから成り、内側セルの少なくとも１つのレンズと外側セルの少なくとも１つのレンズとの間隔を調整するための機構を更に備える、１〜１０５項又は１０７〜１５６項の内の何れか１項に記載の観察光学機器。
【０８２３】
１０７．更に、１又は２以上のバネが外側レンズセルと内側レンズセルの間に位置付けられる、１〜１０６項又は１０８〜１５６項の内の何れか１項に記載の観察光学機器。
【０８２４】
１０８．レンズ系が単一レンズセルからなる、１〜１０７項又は１０９〜１５６項の内の何れか１項に記載の観察光学機器。
【０８２５】
１０９．調整機構がねじである、１〜１０８項又は１１０〜１５６項の内の何れか１項に記載の観察光学機器。
【０８２６】
１１０．調整機構がくさびである、１〜１０９項又は１１１〜１５６項の内の何れか１項に記載の観察光学機器。
【０８２７】
１１１．アクティブディスプレイの垂直軸を揃えるために、内側レンズセルの表面に対してねじを締め付けることができる、１〜１１０項又は１１２〜１５６項の内の何れか１項に記載の観察光学機器。
【０８２８】
１１２．アクティブディスプレイを調整するために、内側レンズセルの表面に対してねじを締め付けることができる、１〜１１１項又は１１３〜１５６項の内の何れか１項に記載の観察光学機器。
【０８２９】
１１３．電源が１又は２以上の電池である、１〜１１２項又は１１４〜１５６項の内の何れか１項に記載の観察光学機器。
【０８３０】
１１４．電源が１又は２以上のＣＲ１２３電池である、１〜１１３項又は１１５〜１５６項の内の何れか１項に記載の観察光学機器。
【０８３１】
１１５．位置データをコンピューティングデバイスに提供するために、全地球測位システム（ＧＰＳ）受信機、デジタルコンパス及びレーザ測距計の内の１又は２以上を更に備え、コンピューティングデバイスは応答性よく、受信したデータの一部又は全部を用いて弾道解を計算する、１〜１１４項又は１１６〜１５６項の内の何れか１項に記載の観察光学機器。
【０８３２】
１１６．コンピューティングデバイスは、慣性データ、位置データ、環境センサデータ及び画像データの内の１又は２以上を受信し、すぐに応答して、受信したデータの一部又は全部を用いて弾道解を計算する、１〜１１５項又は１１７〜１５６項の内の何れか１項に記載の観察光学機器。
【０８３３】
１１７．観察光学機器は、ネットワーク要素（ＮＥ）としてネットワークと通信するように適合され、コンピューティングデバイスが、受信したデータの一部又は全部をそのネットワークに向けて伝播させる、１〜１１６項又は１１８〜１５６項の内の何れか１項に記載の観察光学機器。
【０８３４】
１１８．最初のユーザインタラクションに応答して、コンピューティングデバイスは測距モードに入り、現在観察されている照準レチクルと関係する標的関連情報が引き出されてメモリに保存される、１〜１１７項又は１１９〜１５６項の内の何れか１項に記載の観察光学機器。
【０８３５】
１１９．第２のユーザインタラクションに応答して、コンピューティングデバイスは再取得モードに入り、標的を再取得するために、以前に保存された標的関連情報がメモリから引き出され、レチクル像を適合させるために使用される、１〜１１８項又は１２０〜１５６項の内の何れか１項に記載の観察光学機器。
【０８３６】
１２０．標的までの距離を決定し、決定された距離をコンピューティングデバイスに伝達するための測距計を更に備え、コンピューティングデバイスは応答性よく、決定された距離に応じて照準レチクルを適合させる。１〜１１９項又は１２１〜１５６項の内の何れか１項に記載の観察光学機器。
【０８３７】
１２１．測距計は、レーザ測距計及び視差式測距計の内の一方を備える、１〜１２０項又は１２２〜１５６項の内の何れか１項に記載の観察光学機器。
【０８３８】
１２２．レーザ測距計が近赤外線（ＮＩＲ）測距計を備える、１〜１２１項又は１２３〜１５６項の内の何れか１項に記載の観察光学機器。
【０８３９】
１２３．弾丸の飛翔経路に関連付けられた画像フレームを検出し、これらの画像フレームをコンピューティングデバイスに伝達するように適合された画像センサを更に備え、コンピューティングデバイスはこれらの画像フレームから弾道を計算するように動作可能である、１〜１２２項又は１２４〜１５６項の内の何れか１項に記載の観察光学機器。
【０８４０】
１２４．画像センサは、曳光弾に関連付けられたスペクトル領域内の発光を検出するように適合される、１〜１２３項又は１２５〜１５６項の内の何れか１項に記載の観察光学機器。
【０８４１】
１２５．それぞれのユーザ入力をコンピューティングデバイスに伝達するように適合されたウィンデージノブ及び仰角ノブを更に備え、コンピューティングデバイスは応答性よく、ユーザ入力に応じて照準レチクルを適合させる、１〜１２４項又は１２６〜１５６項の内の何れか１項に記載の観察光学機器。
【０８４２】
１２６．細部を指示するユーザインタラクションに応答して、コンピューティングデバイスは発射ターゲティングモードに入り、標的を再取得するために、標的関連情報がメモリから引き出され、レチクル像を適合させるために使用される、１〜１２５項又は１２７〜１５６項の内の何れか１項に記載の観察光学機器。
【０８４３】
１２７．第２弾薬モードを指示するユーザインタラクションに応答して、コンピューティングデバイスは、第２弾薬に関連付けられた弾道特性に応じて照準レチクルを適合させる、１〜１２６項又は１２８〜１５６項の内の何れか１項に記載の観察光学機器。
【０８４４】
１２８．環境データが、気圧データ、湿度データ及び温度データの内の１又は２以上を備え、コンピューティングデバイスは応答性よく、環境データの一部又は全部を使用して弾道解を計算する、１〜１２７項又は１２９〜１５６項の内の何れか１項に記載の観察光学機器。
【０８４５】
１２９．照準レチクルが光学スコープの視野外となった場合には、コンピューティングデバイスは慣性基準情報を利用して、シミュレートされた照準点基準を表示用に生成する、１〜１２８項又は１３０〜１５６項の内の何れか１項に記載の観察光学機器。
【０８４６】
１３０．電子コントローラは、照準デバイスの光学倍率の変化に合わせて、マークのセットの実サイズを調整するように構成される、１〜１２９項の内の何れか１項に記載の観察光学機器。
【０８４７】
１３１．マークのセットがレチクルである、１〜１３０項の内の何れか１項に記載の観察光学機器。
【０８４８】
１３２．マークのセットが数字又は文字を含む、１〜１３１項の内の何れか１項に記載の観察光学機器。
【０８４９】
１３３．統合表示システムが観察光学機器の主本体内に位置しない、１〜１３２項の内の何れか１項に記載の観察光学機器。
【０８５０】
１３４．アクティブディスプレイが、照準デバイスの前方焦点面に近接して配置されない、１〜１３３項の内の何れか１項に記載の観察光学機器。
【０８５１】
１３５．マークの第１セットは、第１レチクルの光学中心にある照準ドットと、光学中心を中心とした円、又は弧、又は馬蹄形とを含み、マークの第２セットは、光学中心の下方に離間配置された複数のホールドオーバ・マークと、ホールドオーバ・マークの左右に離間配置された複数のウィンデージ照準マークと、を含む、１〜１３４項の内の何れか１項に記載の観察光学機器。
【０８５２】
１３６．第１のレチクルパターンが近接戦闘用レチクルである、１〜１３５項の内の何れか１項に記載の観察光学機器。
【０８５３】
１３７．第２のレチクルパターンが長距離用レチクルである、１〜１３６項の内の何れか１項に記載の観察光学機器。
【０８５４】
１３８．複数マークのセットが、複数のマークとその間にあるスペースとを含み、そのマークとスペースは、観察光学機器の接眼レンズを通して観察できる物体空間での角度に対するものであり、電子コントローラは、物体空間内でマーク及びスペースで規定される角度の全てが光学倍率の調整範囲の全体にわたって不変であるように、第１の焦点面におけるマーク及びスペースの実サイズを調整するように動作可能である、１〜１３７項の内の何れか１項に記載の観察光学機器。
【０８５５】
１３９．センサは、観察光学機器のカムスリーブに結合された複数の光吸収率／反射率を備えた材料である、１〜１３８項の内の何れか１項に記載の観察光学機器。
【０８５６】
１４０．主本体の底部が長手方向分割部を有する、１〜１３９項の内の何れか１項に記載の観察光学機器。
【０８５７】
１４１．主本体の底部は、ベースの１又は２以上の構成要素と通信するための長手方向分割部を有する、１〜１４０項の内の何れか１項に記載の観察光学機器。
【０８５８】
１４２．主本体の底部は、統合表示システムの構成要素と通信するための長手方向分割部を有する、１〜１４１項の内の何れか１項に記載の観察光学機器。
【０８５９】
１４３．観察光学機器の主本体内で観察光軸に沿って位置決めされた第１の光学系を用いてシーンを観察するステップと、ベースのキャビティに位置付けられる統合表示システムによって生成された像を同時に観察するステップと、を含み、ベースが観察光学機器の主本体と結合する、ことを特徴とする、観察光学機器を用いた観察方法。
【０８６０】
１４４．観察光学機器の主本体内で観察光軸に沿って位置決めされた第１の光学系を用いてシーンを観察するステップと、ベースのキャビティに位置付けられる統合表示システムによって生成された像を同時に観察するステップと、を含み、シーンの像と生成された像とが光学系の第１の焦点面に投影される、ことを特徴とする観察光学機器を用いた観察方法。
【０８６１】
１４５．対物レンズ組立体と接眼レンズ組立体とを有する観察光学機器の主本体内で観察光軸に沿って位置決めされた第１の光学系を用いてシーンを観察するステップと、ベースのキャビティに位置付けられる統合表示システムによって生成された像を同時に観察するステップと、を含み、シーンの像と生成された像とが光学系の第１の焦点面に投影され、統合表示システムが、像を生成するためのアクティブディスプレイと、この像から集光するためのレンズ系と、生成された像を対物レンズ組立体と主本体の第１の焦点面との間に位置付けられるビームコンバイナに導くための反射面と、を有する、ことを特徴とする観察光学機器を用いた観察方法。
【０８６２】
１４６．観察光学機器の主本体内で観察光軸に沿って位置決めされた第１の光学系を用いてシーンを観察するステップと、ベースのキャビティに位置付けられる統合表示システムによって生成された像を同時に観察するステップであって、シーンの像と生成された像とが光学系の第１の焦点面に投影されるステップと、接続ロッドによってフォーカスセルに接続される視差ノブを調整することによって視差誤差を除去するステップと、を含む観察光学機器を用いた観察方法。
【０８６３】
１４７．観察光学機器の主本体内で観察光軸に沿って位置決めされた第１の光学系を用いてシーンを観察するステップと、統合表示システムによって生成された像を同時に観察するステップであって、シーンの像と生成された像とが光学系の第１の焦点面に投影されるステップと、接続ロッドによってフォーカスセルに接続される視差ノブを調整することによって視差誤差を除去するステップと、を含む観察光学機器を用いた観察方法。
【０８６４】
１４８．観察光学機器の主本体と結合するベース内に位置付けられるアクティブディスプレイを用いて像を生成するステップと、レンズ系を用いてアクティブディスプレイから集光するステップと、生成された像をベースから主本体内のビームコンバイナに反射させるステップと、生成された像を主本体の第１の焦点面に投影するステップと、を含む観察光学機器を用いた観察方法。
【０８６５】
１４９．対物レンズ組立体と接眼レンズ組立体とを有する観察光学機器の主本体内で観察光軸に沿って位置決めされた第１の光学系を用いてシーンを観察するステップと、観察光学機器の主本体と結合するベース内に位置付けられるアクティブディスプレイを用いて像を生成するステップと、レンズ系を用いてアクティブディスプレイから集光するステップと、生成された像を、ベースから対物レンズ組立体と主本体内の第１の焦点面との間に位置付けられるビームコンバイナに反射させるステップと、生成された像を主本体の第１の焦点面に投影して、生成された像と観察像とを同時に観察できるようにするステップと、を含む観察光学機器を用いた観察方法。
【０８６６】
１５０．（ａ）主本体を有する観察光学機器を設けるステップであって、主本体が、主チューブの第１の端部に結合された対物レンズ系と、主チューブの第２の端部に結合された接眼レンズ系と、を有し、主チューブ、対物レンズ系及び接眼レンズ系が、少なくとも第１の焦点面を定めるように構成されるステップと、
（ｂ）観察光学機器の主本体と結合するベース内に位置付けられるアクティブディスプレイから像を生成するステップと、
（ｃ）ディスプレイからの放出光を、対物レンズ組立体と主本体内の第１の焦点面との間に位置付けられるビームコンバイナに反射させるステップであって、アクティブディスプレイからの像と対物レンズ系からの標的像とが第１の焦点面に結合されて同時に観察されるステップと、
を含む観察光学機器のユーザに情報を提供する方法。
【０８６７】
１５１．電子機器でアクティブディスプレイを制御するステップを含む、１〜１５０項又は１５２〜１５６項の内の何れか１項に記載の方法。
【０８６８】
１５２．アクティブディスプレイを用いて、アクティブな標的レチクル、修正照準点、距離及び風情報、仰角、ＧＰＳ及びコンパス情報、標的ＩＤ、外部センサ情報、弾道情報の内の少なくとも１つに関する像を提供するステップを含む、１〜１５１項又は１５３〜１５６項の内の何れか１項に記載の方法。
【０８６９】
１５３．十分な日光から曇天の星明かりに及ぶ環境条件の下で観察できるように、アクティブディスプレイの輝度を制御するステップを含む、１〜１５２項又は１５４〜１５６項の内の何れか１項に記載の方法。
【０８７０】
１５４．一端部に外部シーンからの標的像を合焦させる対物レンズ系と、他端部に接眼レンズ系と、対物レンズ系と接眼レンズ系の間に位置付けられる正立レンズ系を備えた可動正立チューブと、を有する本体であって、可動正立レンズ系、対物レンズ系及び接眼レンズ系が第１の焦点面及び第２の焦点面を有する第１の光学系を形成し、可動正立チューブと連動して動く第レチクルが第１の焦点面にあり、ビームコンバイナが第１の焦点面と対物レンズ組立体の間に位置付けられる本体と、
像を生成するためのアクティブディスプレイと、アクティブディスプレイから集光するレンズ系と、生成された像を、アクティブディスプレイから、アクティブディスプレイからの像と対物レンズ系からの標的像とが第１の焦点面に結合されて同時に観察されるビームコンバイナに導く反射材料と、を備えた第２の光学系と、
を備える、観察光学機器。
【０８７１】
１５５．（ａ）主チューブと、（ｂ）外部シーンからの標的像を合焦させる、主チューブの第１の端部に結合された対物レンズ系と、（ｃ）主チューブの第２の端部に結合された接眼レンズ系であって、主チューブ、対物レンズ系及び接眼レンズ系が少なくとも第１の焦点面を定めるように構成され、ターレット調整に関係して動く第１レチクルが第１の焦点面にある接眼レンズ系と、（ｄ）対物レンズ組立体と第１の焦点面の間に位置決めされたビームコンバイナと、（ｅ）像を生成して、この像をビームコンバイナに導くアクティブディスプレイと、を備え、生成された像と標的像とが第１の焦点面に結合される、観察光学機器。
【０８７２】
１５６．（ｉ）外部シーンとビームコンバイナとの観察光軸に沿って像を生成するための光学系を備えた主本体と、（ｉｉ）主本体に結合され、像を生成するためのアクティブディスプレイと、生成された像をビームコンバイナに導いて、生成された像及び外部シーンの像を主本体の第１の焦点面において同時に重ね合わせて観察するようにするためのミラーと、を有するベースと、を備える、観察光学機器。
【０８７３】
１５７．光学列及び第１のビームコンバイナを有する主本体と、第１のアクティブディスプレイと第１のアクティブディスプレイの前方に位置付けられた第２のビームコンバイナと第１のアクティブディスプレイに垂直な第２のアクティブディスプレイとを有するベースと、を備えた観察光学機器。
【０８７４】
１５８．光学列及びビームコンバイナを有する主本体と、アクティブディスプレイを有する統合表示システムを備えたベースと、を備え、アクティブディスプレイが、弾薬ステータスを主本体の光学列の第１の焦点面に投影することができる、観察光学機器。
【０８７５】
１５９．弾薬追跡システムは、弾倉フォロワー内に位置付けられた１又は２以上の磁石と、兵器レシーバに結合された１又は２以上のセンサとを備える、弾薬追跡システム。
【０８７６】
１６０．観察光学機器であって、光学列及びビームコンバイナを有する主本体と、統合表示システムと観察光学機器の一部に装着されたＩＲレーザと拡張現実ゴーグルに取り付けられたＩＲカメラとを有するベースと、を備える、観察光学機器。
【０８７７】
１６１．本明細書で実質的に示され且つ記載されたドライファイアセッションを監視及び追跡する方法及びシステム。
【０８７８】
１６２．本明細書で実質的に示され且つ記載された統合表示システムを備える観察光学機器を用いて現実世界状態をシミュレーションする方法及びシステム。
【０８７９】
１６３．光学列及びビームコンバイナを有する主本体と、本明細書で示され且つ記載された統合表示システム及びユーザインタフェースを有するベースと、を備える観察光学機器。
【０８８０】
１６４．本明細書で実質的に示され且つ記載された複数の機能を備えた単一のキーパッドを有する観察光学機器。
【０８８１】
１６５．本明細書で実質的に示され且つ記載された相対座標マッピングシステムを備えた観察光学機器。
【０８８２】
１６６．本明細書で実質的に示され且つ記載された単一のリコモンを用いて標的を「側距」及び「タグ付け」する能力を有する統合表示システムを備える観察光学機器。
【０８８３】
１６７．実質的に示され且つ記載された統合表示システム及びターレット追跡システムを有する、観察光学機器。
【０８８４】
１６８．実質的に示され且つ記載された観察光学機器のターレット調整を追跡する方法。
【０８８５】
１６９．ＬＥＤ、フォトセンサ、及び光学反射／吸収の異なる程度を有する材料のストリップを備えた、ターレット追跡システム。
【０８８６】
１７０．光学列及びビームコンバイナを有する主本体と、統合表示システムを有するベースと、ターレット追跡システムと、を備えた観察光学機器であって、ターレット追跡システムは、ターレット情報を統合システムのアクティブディスプレイに伝達し、アクティブディスプレイは、情報を主本体の光学列の第１の焦点面に投影する、観察光学機器。
【０８８７】
１７１．交戦ウィンドウを表示することができる統合表示システムを備えた観察光学機器。
【０８８８】
１７２．光学列及びビームコンバイナを有する主本体と、主本体の光学列の第1焦点面に交戦ウィンドウを投影することができるアクティブディスプレイを有する統合表示システムを有するベースと、を備える、観察光学機器システム。
【０８８９】
１７３．観察光学機器システムであって、光学列及びビームコンバイナを有する主本体と、主本体の光学列の第1焦点面に交戦ウィンドウを投影することができるアクティブディスプレイを有する統合表示システムを有するベースと、を備え、交戦ウィンドウが、ループホールのサイズ、ループホールまでの距離、兵器の物理的特性、発射体及び兵器システムの弾丸データ、及び観察光学機器によって測定され又は観察光学機器内に入力された空電からなるグループから選択された要因を用いて決定される、観察光学機器システム。
【０８９０】
１７４．観察光学機器であって、
外部シーンからの標的画像を合焦させる対物レンズ系を一端に有する本体と、
本体のもう一方の端にある接眼レンズ系と、対物レンズと接眼レンズ系の間に位置付けられた正立レンズ系を有する可動正立チューブとを備え、
正立レンズ系、対物レンズ系及び接眼レンズ系が、第１の焦点面及び第２の焦点面を有する第１の光学系を形成し、第１の焦点面において第１のレチクルが、可動正立チューブと連動して移動し、
第１の焦点面と対物レンズ組立体との間に位置付けられ、フォトセンサが結合されたビームコンバイナと、
像を生成するための第１のアクティブディスプレイと、像を生成するための第２のアクティブディスプレイと、第１のアクティブディスプレイ及び／又は第２のアクティブディスプレイから光を収集するレンズ系と、第１及び第２のアクティブディスプレイから生成された像をビームコンバイナに導く反射材料と、
を含む第２の光学系と、
を備え、アクティブディスプレイからの像と対物レンズ系からの標的像が第１の焦点面に結合されて同時に観察するようにする、観察光学機器。
【０８９１】
１７５．観察光学機器であって、（ａ）主チューブと、（ｂ）外部シーンからの標的画像を合焦する主チューブの第１の端に結合された対物レンズ系と、（ｃ）主チューブの第２の端部に結合された接眼レンズ系であって、主チューブ、対物レンズ系及び接眼レンズ系が、少なくとも第１の焦点面を定めるように構成されており、第１の焦点面における第１のレチクルがターレット調整に関連して移動する、接眼レンズ系と、（ｄ）対物レンズ組立体と第１の焦点面との間に位置付けられた第１のビームコンバイナであって、フォトセンサ及び光フィルタがビームコンバイナに結合される、第１のビームコンバイナと、（ｅ）像を生成し、像を第１のビームコンバイナに導くための第１のアクティブディスプレイ及び第２のアクティブディスプレイであって、生成された像とターゲット像が第１の焦点面に結合される、観察光学機器。
【０８９２】
１７６．観察光学機器であって、
（ｉ）外部シーンの光軸に沿って像を生成する光学系と第１ビームコンバイナとを有する主本体であって、フォトセンサがビームコンバイナに結合される、主本体と、
（ｉｉ）主本体に結合されて、第２のビームコンバイナの前方で像を生成するため第１のアクティブディスプレイと第１のアクティブディスプレイに垂直な第２のアクティブディスプレイとを有するベースと、
を備え、
第１のアクティブディスプレイ及び第２のアクティブディスプレイからの像は、第２のビームコンバイナにおいて結合され、生成された画像を第１のビームコンバイナに導くための反射材料に向けられて、生成された像と光学系の第１の焦点面における外部シーンの画像とを同時に重ねて観察するようにする、観察光学機器。
【０８９３】
１７７．観察光学機器であって、
（ｉ）外部シーンから第１の焦点面に標的像を合焦させる対物レンズ系、標的像を反転させる正立レンズ系、第２の焦点面を有する第１の光学系と、
（ｉｉ）対物レンズ系と第１の焦点面との間に配置される第１のビームコンバイナと、
を有する主本体と、
第２の光学系を有して主本体に結合されるベースであって、
（ｉ）像を生成するアクティブディスプレイと、アクティブディスプレイからの光を収集するレンズ系と、第１のアクティブディスプレイに垂直な第２のアクティブディスプレイと、
（ｉｉ）第１のアクティブディスプレイ及び第２のアクティブディスプレイからの像を結合する第２のビームコンバイナと、
（ｉｉｉ）アクティブディスプレイから結合された像を第１のビームコンバイナに導くミラーと、
を有するベースと、
を備え、
アクティブディスプレイからの画像と対物レンズ系からの標的像が第１の焦点面に結合されて同時に観察され、ベースが更に近接センサを含む、観察光学機器。
【０８９４】
１７８．近接センサが、主本体の接眼レンズの下方のベース内にある、請求項１〜１７７の何れか１項に記載の観察光学機器。
【０８９５】
１７９．観察光学機器であって、
外部シーンを観察するための光学系を有する主本体と、
主本体の下部に結合するベースと、
を備え、
ベースが、キャビティを有し且つ像を生成するため少なくとも２つのアクティブディスプレイを含み、生成された像が、光学系の第１の焦点面において外部シーンの像に結合され、ベースが更に、ベースの後部に位置付けられた近接センサを更に含む。
【０８９６】
１８０．観察光学機器であって、
第1の焦点面と対物レンズ系との間にビームコンバイナを有する光学系と、
異なる程度の光学反射率／吸収率の材料を有するターレット追跡機構と、
第１の焦点面上に重ね合わされる像を生成するためのアクティブディスプレイと、
アクティブディスプレイに結合されたコントローラと、
を備え、コントローラは、１又は２以上のディスプレイ要素に選択的に電力を供給して像を生成するよう構成される。
【０８９７】
１８１．観察光学機器であって、
外部シーンから標的像を合焦する第１の端部に結合された対物レンズ系と、第２の端部に結合された接眼レンズ系とを有する主本体であって、主本体、対物レンズ系、及び接眼レンズ系が少なくとも第１の焦点面を定めるように構成された、主本体と、
対物レンズ組立体と第１の焦点面との間に位置付けられたビームコンバイナと、
ビームコンバイナと対物レンズ組立体との間に位置付けられたフォーカスセルと、
様々な程度の光学反射率／吸収率を有するターレット追跡システムと、
像を生成するためのアクティブディスプレイ及び生成された像をビームコンバイナに導くための反射面と、
を備え、生成された像と標的像が第１の焦点面上に合焦することができる。
【０８９８】
１８２．観察光学機器であって、
（ｉ）外部シーンから第１の焦点面に標的像を合焦させる対物レンズ系と、標的像を反転させる正立レンズ系と、第２の焦点面と、を有する光学系と、
（ｉｉ）ビームコンバイナと、
（ｉｉｉ）様々な程度の光反射率／吸収率を有する材料を備えたカムスリーブと、
を有する主本体と、
主本体の底部に結合されたベースであって、像を生成するための少なくとも２つのアクティブディスプレイを収容うるキャビティと、アクティブディスプレイから光を収集するレンズ系と、アクティブディスプレイからビームコンバイナに像を導く反射材料と、を有するベースと、
を備え、
アクティブディスプレイからの像と対物レンズ系からの標的像が、第１の焦点面に結合されて同時に観察され、上記ベースが更に、フォトセンサ及びＬＥＤを有する回路基板を含む、観察光学機器。
【０８９９】
１８３．観察光学機器であって、
（ｉ）外部シーンから第１の焦点面に標的像を合焦させる対物レンズ系と、標的像を反転させる正立レンズ系と、第２の焦点面と、を有する光学系と、
（ｉｉ）様々な程度の光反射率／吸収率を有する材料を有するターレット追跡機構と、
を有する主本体と、
フォトセンサ及びＬＥＤを備えた回路基板を有し、キャビティを有する主本体の底部に結合されるベースと、
を備える、観察光学機器。
【０９００】
１８４．観察光学機器であって、
（ｉ）外部シーンの観察光軸に沿って画像を生成する光学系と、ビームコンバイナとを備え、フォトセンサがビームコンバイナに結合されている、主本体と、
（ｉｉ）主本体に結合されたベースであって、像を生成するための少なくとも２つのアクティブディスプレイと、生成された像と、光学系の第１の焦点面における外部シーンの像を同時に重ね合わせて観察するため、生成された像をビームコンバイナに導く反射材料と、を有するベースと、
（ｉｉｉ）アクティブディスプレイと通信するカメラと、
を備える、観察光学機器。
【０９０１】
１８５．観察光学機器であって、
（ｉ）外部シーンから第１の焦点面に標的像を合焦させる対物レンズ系、標的像を反転させる正立レンズ系、及び第２の焦点面を有する第１の光学系と、
（ｉｉ）対物レンズ系と第１の焦点面との間に配置されたビームコンバイナと、
を有する主本体と、
第２の光学系を有して主本体に結合されるベースであって、
（ｉｉ）対物レンズ系と第１の焦点面との間に配置される第１のビームコンバイナと、
を有する主本体と、
第２の光学系を有して主本体に結合されるベースであって、
（ｉ）像を生成する少なくとも２つのアクティブディスプレイ及びアクティブディスプレイから光を収集するレンズ系と、
（ｉｉ）アクティブディスプレイから生成された像をビームコンバイナに導くミラーと、
を有するベースと、
を備え、
アクティブディスプレイからの画像と対物レンズ系からの標的像が第１の焦点面に結合されて同時に観察され、ベースが更に、電源と通信するため１又は２以上の電気ピンを備える、観察光学機器。
【０９０２】
１８６．電気ピンがベース内の回路基板に接続されている、請求項１〜１８５の何れか１項に記載の観察光学機器。
【０９０３】
１８７．観察光学機器であって、
外部シーンを観察するための光学系を備えた本体と、
本体の底部に結合するベースと、
を備え、ベースは、像を生成するため少なくとも２つのアクティブディスプレイを備えたキャビティを有し、生成された像が、光学系の第１の第１の焦点面にて外部シーンの像に結合され、ベースは更に、電源と通信するための電気ピンを備える、観察光学機器。
【０９０４】
１８８．レチクルパターンが、製造設定に基づいて調整される、請求項１〜１８７の何れか１項に記載の観察光学機器。
【０９０５】
統合表示システムを備えた観察光学機器の複数の実施形態を詳細に説明してきたが、これらの修正形態及び変形形態が可能であり、その全てが本発明の真の精神及び範囲に入ることは明らかとなるはずである。上記の説明に関して、サイズ、材料、形状、形態、動作の機能及び態様、組立、及び用途の変形を含めるための、本発明の部品に対する最適な寸法的関係性が、当業者にとって容易に明白であると見なされ、図面に示し本明細書に記載したものと等価な関係性が全て本発明に包含されるように意図されていることを理解すべきである。それゆえ、上記のものは、単に本発明の原理を例示するものと見なされる。更に、当業者には多数の修正形態及び変更形態が容易に想起されることになるので、図示し記載した正確な構造及び動作に本発明を限定することは望ましいことではなく、相応に本発明の範囲に入る全ての適切な修正形態及び等価形態を利用することができる。
【符号の説明】
【０９０６】
７５００  観察光学機器
７５１０  ベース
７５２０  電源ピン
【図１Ａ】
2021535353.tif 000003
【図１Ｂ】
2021535353.tif 000004
【図１Ｃ】
2021535353.tif 000005
【図１Ｄ】
2021535353.tif 000006
【図１Ｅ】
2021535353.tif 000007
【図２】
2021535353.tif 000008
【図３】
2021535353.tif 000009
【図４】
2021535353.tif 000010
【図５Ａ】
2021535353.tif 000011
【図５Ｂ】
2021535353.tif 000012
【図５Ｃ】
2021535353.tif 000013
【図５Ｄ】
2021535353.tif 000014
【図５Ｅ】
2021535353.tif 000015
【図５Ｆ】
2021535353.tif 000016
【図６】
2021535353.tif 000017
【図７】
2021535353.tif 000018
【図８】
2021535353.tif 000019
【図９】
2021535353.tif 000020
【図１０】
2021535353.tif 000021
【図１１】
2021535353.tif 000022
【図１２】
2021535353.tif 000023
【図１３】
2021535353.tif 000024
【図１４】
2021535353.tif 000025
【図１５】
2021535353.tif 000026
【図１６】
2021535353.tif 000027
【図１７】
2021535353.tif 000028
【図１８】
2021535353.tif 000029
【図１９】
2021535353.tif 000030
【図２０】
2021535353.tif 000031
【図２１】
2021535353.tif 000032
【図２２】
2021535353.tif 000033
【図２３】
2021535353.tif 000034
【図２４】
2021535353.tif 000035
【図２５】
2021535353.tif 000036
【図２６】
2021535353.tif 000037
【図２７】
2021535353.tif 000038
【図２８Ａ】
2021535353.tif 000039
【図２８Ｂ】
2021535353.tif 000040
【図２９】
2021535353.tif 000041
【図３０】
2021535353.tif 000042
【図３１】
2021535353.tif 000043
【図３２】
2021535353.tif 000044
【図３３】
2021535353.tif 000045
【図３４】
2021535353.tif 000046
【図３５】
2021535353.tif 000047
【図３６】
2021535353.tif 000048
【図３７】
2021535353.tif 000049
【図３８】
2021535353.tif 000050
【図３９】
2021535353.tif 000051
【図４０】
2021535353.tif 000052
【図４１】
2021535353.tif 000053
【図４２】
2021535353.tif 000054
【図４３】
2021535353.tif 000055
【図４４】
2021535353.tif 000056
【図４５】
2021535353.tif 000057
【図４６】
2021535353.tif 000058
【図４７】
2021535353.tif 000059
【図４８】
2021535353.tif 000060
【図４９】
2021535353.tif 000061
【図５０】
2021535353.tif 000062
【図５１】
2021535353.tif 000063
【図５２】
2021535353.tif 000064
【図５３】
2021535353.tif 000065
【図５４】
2021535353.tif 000066
【図５５】
2021535353.tif 000067
【図５６】
2021535353.tif 000068
【図５７】
2021535353.tif 000069
【図５８】
2021535353.tif 000070
【図５９】
2021535353.tif 000071
【図６０】
2021535353.tif 000072
【図６１】
2021535353.tif 000073
【図６２】
2021535353.tif 000074
【図６３】
2021535353.tif 000075
【図６４】
2021535353.tif 000076
【図６５】
2021535353.tif 000077
【図６６】
2021535353.tif 000078
【図６７】
2021535353.tif 000079
【図６８】
2021535353.tif 000080
【図６９】
2021535353.tif 000081
【図７０】
2021535353.tif 000082
【図７１】
2021535353.tif 000083
【図７２】
2021535353.tif 000084
【図７３】
2021535353.tif 000085
【図７４】
2021535353.tif 000086
【図７５】
2021535353.tif 000087
【図７６】
2021535353.tif 000088
【図７７】
2021535353.tif 000089
【図７８】
2021535353.tif 000090
【図７９】
2021535353.tif 000091
【図８０】
2021535353.tif 000092
【図８１】
2021535353.tif 000093
【図８２】
2021535353.tif 000094
【図８３】
2021535353.tif 000095
【図８４】
2021535353.tif 000096
【図８５】
2021535353.tif 000097
【図８６】
2021535353.tif 000098
【図８７】
2021535353.tif 000099
【図８８】
2021535353.tif 000100
【図８９】
2021535353.tif 000101
【図９０】
2021535353.tif 000102
【国際調査報告】
2021535353.tif 000103